(57)【要約】  本発明は、空調及び冷凍用途を含む熱交換システムにおける使用のための、ジフルオロメタン（ＨＦＣ−３２）、ペンタフルオロエタン（ＨＦＣ−１２５）、及びトリフルオロヨードメタン（ＣＦ３Ｉ）を含む冷媒組成物に関し、特定の態様では、加熱及び冷却用途のために冷媒Ｒ−４１０Ａの代替品としてのかかる組成物の使用、並びにＲ−４１０Ａとの使用のために設計されたシステムを含む熱交換システムの追加導入に関する。【特許請求の範囲】
【請求項１】
少なくとも約９７重量％の以下の３つの化合物の組み合わせを含む冷媒であって、前記組み合わせが、
約４９重量％のジフルオロメタン（ＨＦＣ−３２）、
約１１．５重量％のペンタフルオロエタン（ＨＦＣ−１２５）、及び
約３９．５重量％のトリフルオロヨードメタン（ＣＦ３Ｉ）から本質的になり、
前記百分率が前記３つの化合物の総重量に基づく、冷媒。
【請求項２】
前記冷媒が、少なくとも約９９．５重量％の前記３つの化合物の組み合わせを含む、請求項１に記載の冷媒。
【請求項３】
前記冷媒が不燃性である、請求項２に記載の冷媒。
【請求項４】
請求項４に記載の冷媒を含む、熱伝達組成物。
【請求項５】
請求項３に記載の冷媒と、ＰＯＥ潤滑剤とを含む、熱伝達組成物。
【請求項６】
前記組み合わせが、
４９重量％＋／−０．３重量％のジフルオロメタン（ＨＦＣ−３２）、
１１．５重量％＋／−０．３重量％のペンタフルオロエタン（ＨＦＣ−１２５）、及び
３９．５重量％＋／−０．３重量％のトリフルオロヨードメタン（ＣＦ３Ｉ）から本質的になる、請求項１に記載の冷媒。
【請求項７】
前記冷媒が不燃性である、請求項６に記載の冷媒。
【請求項８】
蒸発器と、凝縮器と、圧縮機とを備える熱伝達システムにおける冷却方法であって、プロセスが、
ｉ）冷媒を凝縮することであって、
少なくとも約９７重量％の以下の３つの化合物の組み合わせを含み、前記組み合わせが、
約４９重量％のジフルオロメタン（ＨＦＣ−３２）、約１１．５重量％のペンタフルオロエタン（ＨＦＣ−１２５）、及び
約３９．５重量％のトリフルオロヨードメタン（ＣＦ３Ｉ）から本質的になり、前記百分率が前記３つの化合物の総重量に基づく、ことと、
ｉｉ）前記冷媒を冷却される本体又は物品の付近で蒸発させることであって、前記冷媒の蒸発温度が、約−４０℃〜約−１０℃の範囲である、ことと、を含む、方法。
【請求項９】
前記冷媒の前記蒸発温度が、約０℃〜約１０℃の範囲である、請求項８に記載の方法。
【請求項１０】
蒸発器と、凝縮器と、圧縮機とを備え、かつ内部に冷媒を含む、熱伝達システムであって、前記冷媒が、
少なくとも約９７重量％の以下の３つの化合物の組み合わせを含み、前記組み合わせが、
約４９重量％のジフルオロメタン（ＨＦＣ−３２）、約１１．５重量％のペンタフルオロエタン（ＨＦＣ−１２５）、及び
約３９．５重量％のトリフルオロヨードメタン（ＣＦ３Ｉ）から本質的になり、前記百分率が前記３つの化合物の総重量に基づく、熱伝達システム。
【発明の詳細な説明】
【技術分野】
【０００１】
（関連出願の相互参照）
本出願は、参照により本明細書に組み込まれる、２０１７年１０月６日に出願された米国特許仮出願第６２／５６９，４１９号の優先的な利益を主張する。
【０００２】
本出願は、参照により本明細書に組み込まれる、２０１７年１２月１日に出願された米国特許仮出願第６２／５９３，３９３号の優先的な利益を主張する。
【０００３】
（発明の分野）
本発明は、空調及び冷凍用途を含む、熱交換用途において有用性を有する組成物、方法、及びシステムに関する。特定の態様では、本発明は、冷媒Ｒ−４１０Ａが使用されているであろうタイプの熱伝達システムにおいて有用な組成物に関する。本発明の組成物は、特に、加熱及び冷却用途のための冷媒Ｒ−４１０Ａの代替品として、かつＲ−４１０Ａと共に使用するために設計されたシステムを含む熱交換システムを追加導入することに対して有用である。
【背景技術】
【０００４】
産業用、商用、及び家庭用の使用について、機械冷凍システム、並びにヒートポンプ及び空調機などの関連する熱伝達デバイスが当該技術分野で周知である。クロロフルオロカーボン（ＣＦＣ）は、かかるシステムのための冷媒として１９３０年代に開発された。しかしながら、１９８０年代以降、成層圏オゾン層に対するＣＦＣの影響が多くの注目を集めるようになった。１９８７年には、ＣＦＣ製品の段階的削減のためのタイムテーブルを定めた、地球環境を保護するためのモントリオール議定書に多くの政府が署名した。水素を含有する、より環境的に許容される材料、すなわちヒドロクロロフルオロカーボン（ＨＣＦＣ）がＣＦＣに取って代わった。
【０００５】
最も一般的に使用されたヒドロクロロフルオロカーボンの１つが、クロロジフルオロメタン（ＨＣＦＣ−２２）であった。しかしながら、モントリオール議定書のその後の改正は、ＣＦＣの段階的削減を加速させ、ＨＣＦＣ−２２を含むＨＣＦＣの段階的削減をスケジュールした。
【０００６】
ＣＦＣ及びＨＣＦＣに代わる不燃性、非毒性の代替物の必要性に応じて、業界では、オゾン破壊係数がゼロであるいくつかのヒドロフルオロカーボン（ＨＦＣ）が開発された。オゾン破壊に寄与しないため、空調及び冷却器用途におけるＨＣＦＣ−２２の産業用代替品としてＲ−４１０Ａ（ジフルオロメタン（ＨＦＣ−３２）及びペンタフルオロエタン（ＨＦＣ−１２５）の５０：５０ｗ／ｗブレンド）が採用された。しかしながら、Ｒ−４１０Ａは、Ｒ−２２のドロップイン代替品ではない。したがって、Ｒ−４１０ＡでのＲ−２２の置き換えは、Ｒ−２２と比較して、Ｒ−４１０Ａの実質的により高い動作圧力及び容積に適用させるための圧縮機の置き換え及び再設計を含む、熱交換システム内の主要な構成要素の再設計を必要とした。
【０００７】
Ｒ−４１０Ａは、Ｒ−２２よりも許容されるオゾン破壊係数（ＯＤＰ）を有する一方、地球温暖化係数が２０８８と高いため、Ｒ−４１０Ａの継続使用には問題が伴う。したがって、より環境的に許容される代替品でのＲ−４１０Ａの置き換えが当該技術分野で必要とされている。
【０００８】
代替の熱伝達流体が、中でも優れた熱伝達特性（特に特定の用途の必要性に十分に適合する熱伝達特性）、化学安定性、低毒性若しくは無毒性、不燃性、潤滑剤混和性、及び／又は潤滑剤適合性を含む、達成するのが困難な特性のモザイクを保有することが非常に望ましいことが当該技術分野で理解されている。更に、Ｒ−４１０Ａの任意の代替品は、理想的には、システムの修正又は再設計を回避するために、Ｒ−４１０Ａの動作条件に対して良好な一致となるものである。その多くが予測できないものであるこれらの要求の全てを満たす熱伝達流体の開発は、大きな課題である。
【０００９】
使用効率に関しては、冷媒の熱力学性能又はエネルギー効率の喪失は、電気エネルギーの需要の増加の結果として化石燃料の使用量の増加をもたらし得ることに留意することが重要である。したがって、かかる冷媒の使用は、環境に対して二次的な悪影響を有することになる。
【００１０】
燃焼性は、多くの熱伝達用途について重要な特性であると考えられている。本明細書で使用するとき、用語「不燃性」は、ＡＳＴＭ規格のＥ−６８１−２００９  Ｓｔａｎｄａｒｄ  Ｔｅｓｔ  Ｍｅｔｈｏｄ  ｆｏｒ  Ｃｏｎｃｅｎｔｒａｔｉｏｎ  Ｌｉｍｉｔｓ  ｏｆ  Ｆｌａｍｍａｂｉｌｉｔｙ  ｏｆ  Ｃｈｅｍｉｃａｌｓ（Ｖａｐｏｒｓ  ａｎｄ  Ｇａｓｅｓ）に従って、ＡＳＨＲＡＥ  Ｓｔａｎｄａｒｄ  ３４−２０１６  Ｄｅｓｉｇｎａｔｉｏｎ  ａｎｄ  Ｓａｆｅｔｙ  Ｃｌａｓｓｉｆｉｃａｔｉｏｎ  ｏｆ  Ｒｅｆｒｉｇｅｒａｎｔｓ及びＡＳＨＲＡＥ  Ｓｔａｎｄａｒｄ  ３４−２０１６のＡｐｐｅｎｄｉｘ  Ｂ１に記載されている条件で不燃性と判定される化合物又は組成物を指し、これは、参照により本明細書に組み込まれ、本明細書において便宜上、「不燃性試験」と呼ばれる。
【００１１】
蒸気圧縮式熱伝達システム中を循環する潤滑剤がその意図される潤滑機能を行うために圧縮機に戻されることが、システム効率の維持及び圧縮機の適切かつ確実な働きについて重要である。そうでなければ、潤滑剤が堆積し、熱伝達部品中を含む、システムのコイル及びパイプの中に留まる可能性がある。更に、潤滑剤が蒸発器の内面に堆積すると、蒸発器の熱交換効率が低下し、それによりシステムの効率が低減される。
【００１２】
Ｒ−４１０Ａは、かかるシステムの使用中に生じる温度でポリオールエステル（ＰＯＥ）と混和性であるため、Ｒ−４１０Ａは現在、空調用途においてＰＯＥ潤滑油と共に一般的に使用されている。しかしながら、Ｒ−４１０Ａは、低温冷凍システム及びヒートポンプシステムの動作中に典型的に生じる温度ではＰＯＥと非混和性である。したがって、この非混和性を軽減する対策が講じられない限り、ＰＯＥ及びＲ−４１０Ａを低温冷凍又はヒートポンプシステムに使用することはできない。
【００１３】
本出願人らは、空調用途、特にルーフトップ空調、可変冷媒流（ＶＲＦ）空調及び冷却器空調用途を含む住宅用空調及び商用空調用途において、Ｒ−４１０Ａの代替品として使用可能な組成物を提供できることが望ましいと理解するようになった。本出願人らはまた、本発明の組成物、方法、及びシステムが、例えば、ヒートポンプ及び低温冷凍システムにおいて、これらのシステムの動作中に生じる温度でＰＯＥと非混和性になる欠点を解消するという利点を有することを理解するようになった。
【発明の概要】
【００１４】
本発明は、Ｒ−４１０Ａの代替品として使用され得、かつ好ましい実施形態において、低い地球温暖化係数（ＧＷＰ）及びほぼゼロのＯＤＰと併せて、優れた熱伝達特性、化学安定性、低毒性若しくは無毒性、不燃性、潤滑剤混和性及び潤滑剤適合性の所望の特性のモザイクを示す、冷媒組成物を提供する。
【００１５】
本発明は、少なくとも約９７重量％の以下の３つの化合物を含む冷媒であって、各化合物が以下の相対百分率で存在する、冷媒、を含む：
約４９重量％のジフルオロメタン（ＨＦＣ−３２）、
約１１．５重量％のペンタフルオロエタン（ＨＦＣ−１２５）、及び
約３９．５重量％のトリフルオロヨードメタン（ＣＦ３Ｉ）。本段落による冷媒は、本明細書において便宜上、冷媒１と呼ばれることがある。特定化合物のリストに基づく百分率に関して本明細書で使用するとき、「相対百分率」という用語は、列挙された化合物の総重量に基づく特定化合物の百分率を意味する。
【００１６】
重量パーセントに関して本明細書で使用するとき、特定成分の量に対する「約」という用語は、特定成分の量が＋／−２重量％の量で変化し得ることを意味する。本発明の冷媒及び熱伝達組成物は、「約」であるものとして指定された量の特定化合物を含み、この量は、特定量の＋／−１重量％、更により好ましくは＋／−０．５重量％である。
【００１７】
本発明は、少なくとも約９８．５重量％の以下の３つの化合物を含む冷媒であって、各化合物が以下の相対百分率で存在する、冷媒、を含む：
約４９重量％のジフルオロメタン（ＨＦＣ−３２）、
約１１．５重量％のペンタフルオロエタン（ＨＦＣ−１２５）、及び
約３９．５重量％のトリフルオロヨードメタン（ＣＦ３Ｉ）。本段落による冷媒は、本明細書において便宜上、冷媒２と呼ばれることがある。
【００１８】
本発明は、少なくとも約９９．５重量％の以下の３つの化合物を含む冷媒であって、各化合物が以下の相対百分率で存在する、冷媒、を含む：
約４９重量％のジフルオロメタン（ＨＦＣ−３２）、
約１１．５重量％のペンタフルオロエタン（ＨＦＣ−１２５）、及び
約３９．５重量％のトリフルオロヨードメタン（ＣＦ３Ｉ）。本段落による冷媒は、本明細書において便宜上、冷媒３と呼ばれることがある。
【００１９】
本発明は、以下の３つの化合物から本質的になる冷媒であって、各化合物が以下の相対百分率で存在する、冷媒、を含む：
約４９重量％のジフルオロメタン（ＨＦＣ−３２）、
約１１．５重量％のペンタフルオロエタン（ＨＦＣ−１２５）、及び
約３９．５重量％のトリフルオロヨードメタン（ＣＦ３Ｉ）。本段落による冷媒は、本明細書において便宜上、冷媒４と呼ばれることがある。
【００２０】
本発明は、以下の３つの化合物からなる冷媒であって、各化合物が以下の相対百分率で存在する、冷媒、を含む：
約４９重量％のジフルオロメタン（ＨＦＣ−３２）、
約１１．５重量％のペンタフルオロエタン（ＨＦＣ−１２５）、及び
約３９．５重量％のトリフルオロヨードメタン（ＣＦ３Ｉ）。本段落による冷媒は、本明細書において便宜上、冷媒５と呼ばれることがある。
【００２１】
本発明は、以下の３つの化合物から本質的になる冷媒であって、各化合物が以下の相対百分率で存在する、冷媒、を含む：
約４９重量％のジフルオロメタン（ＨＦＣ−３２）、
１１．６重量％〜１１．９重量％のペンタフルオロエタン（ＨＦＣ−１２５）、及び
３９重量％〜４０重量％のトリフルオロヨードメタン（ＣＦ３Ｉ）。本段落による冷媒は、本明細書において便宜上、冷媒６と呼ばれることがある。
【００２２】
本発明は、以下の３つの化合物からなる冷媒であって、各化合物が以下の相対百分率で存在する、冷媒、を含む：
約４９重量％のジフルオロメタン（ＨＦＣ−３２）、
１１．６重量％〜１１．９重量％のペンタフルオロエタン（ＨＦＣ−１２５）、及び３９重量％〜４０重量％のトリフルオロヨードメタン（ＣＦ３Ｉ）。本段落による冷媒は、本明細書において便宜上、冷媒７と呼ばれることがある。
【００２３】
本発明は、以下の３つの化合物から本質的になる冷媒であって、各化合物が以下の相対百分率で存在する、冷媒、を含む：
約４９重量％のジフルオロメタン（ＨＦＣ−３２）、
約１１．５重量％のペンタフルオロエタン（ＨＦＣ−１２５）、及び
３９〜３９．４重量％のトリフルオロヨードメタン（ＣＦ３Ｉ）、
並びに、冷媒は、当該３つの化合物の総重量に基づいて約３９．０相対重量％未満のＣＦ３Ｉを含まない。本段落による冷媒は、本明細書において便宜上、冷媒８と呼ばれることがある。
【００２４】
本発明は、以下の３つの化合物からなる冷媒であって、各化合物が以下の相対百分率で存在する、冷媒、を含む：
約４９重量％のジフルオロメタン（ＨＦＣ−３２）、
約１１．５重量％のペンタフルオロエタン（ＨＦＣ−１２５）、及び
３９〜３９．４重量％のトリフルオロヨードメタン（ＣＦ３Ｉ）、並びに、冷媒は、当該３つの化合物の総重量に基づいて約３９．０相対重量％未満のＣＦ３Ｉを含まない。本段落による冷媒は、本明細書において便宜上、冷媒９と呼ばれることがある。
【００２５】
本発明は、以下の３つの化合物から本質的になる冷媒であって、各化合物が以下の相対百分率で存在する、冷媒、を含む：
約４９重量％のジフルオロメタン（ＨＦＣ−３２）、
約１１．５重量％のペンタフルオロエタン（ＨＦＣ−１２５）、及び
３９．１重量％〜４０重量％のトリフルオロヨードメタン（ＣＦ３Ｉ）、
並びに、冷媒は、当該３つの化合物の総重量に基づいて３９．５相対重量％のＣＦ３Ｉを含まない。本段落による冷媒は、本明細書において便宜上、冷媒１０と呼ばれることがある。
【００２６】
本発明は、以下の３つの化合物からなる冷媒であって、各化合物が以下の相対百分率で存在する、冷媒、を含む：
約４９重量％のジフルオロメタン（ＨＦＣ−３２）、
約１１．５重量％のペンタフルオロエタン（ＨＦＣ−１２５）、及び
３９．１重量％〜４０重量％のトリフルオロヨードメタン（ＣＦ３Ｉ）、
並びに、冷媒は、当該３つの化合物の総重量に基づいて３９．５相対重量％のＣＦ３Ｉを含まない。本段落による冷媒は、本明細書において便宜上、冷媒１１と呼ばれることがある。
【００２７】
本発明は、以下の３つの化合物から本質的になる冷媒であって、各化合物が以下の相対百分率で存在する、冷媒、を含む：
約４９重量％のジフルオロメタン（ＨＦＣ−３２）、
１１．１重量％〜１２重量％のペンタフルオロエタン（ＨＦＣ−１２５）、及び
３９重量％〜４０重量％のトリフルオロヨードメタン（ＣＦ３Ｉ）。本段落による冷媒は、本明細書において便宜上、冷媒１２と呼ばれることがある。
【００２８】
本発明は、以下の３つの化合物からなる冷媒であって、各化合物が以下の相対百分率で存在する、冷媒、を含む：
約４９重量％のジフルオロメタン（ＨＦＣ−３２）、
１１．１重量％〜１２重量％のペンタフルオロエタン（ＨＦＣ−１２５）、及び
３９重量％〜４０重量％のトリフルオロヨードメタン（ＣＦ３Ｉ）。本段落による冷媒は、本明細書において便宜上、冷媒１３と呼ばれることがある。
【００２９】
本発明は、以下の３つの化合物から本質的になる冷媒であって、各化合物が以下の相対百分率で存在する、冷媒、を含む：
約４９重量％のジフルオロメタン（ＨＦＣ−３２）、
１１．１〜１２重量％のペンタフルオロエタン（ＨＦＣ−１２５）、及び
３９重量％〜４０重量％のトリフルオロヨードメタン（ＣＦ３Ｉ）、
並びに、冷媒は、当該３つの化合物の総重量に基づいて１１．５相対重量％のＨＦＣ−１２５を含まない。本段落による冷媒は、本明細書において便宜上、冷媒１４と呼ばれることがある。
【００３０】
本発明は、以下の３つの化合物からなる冷媒であって、各化合物が以下の相対百分率で存在する、冷媒、を含む：
約４９重量％のジフルオロメタン（ＨＦＣ−３２）、
１１．１〜１２重量％のペンタフルオロエタン（ＨＦＣ−１２５）、及び
３９重量％〜４０重量％のトリフルオロヨードメタン（ＣＦ３Ｉ）、
並びに、冷媒は、当該３つの化合物の総重量に基づいて１１．５相対重量％のＨＦＣ−１２５を含まない。本段落による冷媒は、本明細書において便宜上、冷媒１５と呼ばれることがある。
【００３１】
本発明は、以下の３つの化合物から本質的になる冷媒であって、各化合物が以下の相対百分率で存在する、冷媒、を含む：
約４９重量％のジフルオロメタン（ＨＦＣ−３２）、
１１．１〜１２重量％のペンタフルオロエタン（ＨＦＣ−１２５）、及び
３９．１重量％〜４０重量％のトリフルオロヨードメタン（ＣＦ３Ｉ）、
並びに、冷媒は、当該３つの化合物の総重量に基づいて１１．５相対重量％のＨＦＣ−１２５を含まず、かつ３９．５％のＣＦ３Ｉを含まない。本段落による冷媒は、本明細書において便宜上、冷媒１６と呼ばれることがある。
【００３２】
本発明は、以下の３つの化合物からなる冷媒であって、各化合物が以下の相対百分率で存在する、冷媒、を含む：
約４９重量％のジフルオロメタン（ＨＦＣ−３２）、
１１．１〜１２重量％のペンタフルオロエタン（ＨＦＣ−１２５）、及び
３９．１重量％〜４０重量％のトリフルオロヨードメタン（ＣＦ３Ｉ）、
並びに、冷媒は、当該３つの化合物の総重量に基づいて１１．５相対重量％のＨＦＣ−１２５を含まず、かつ３９．５％のＣＦ３Ｉを含まない。本段落による冷媒は、本明細書において便宜上、冷媒１７と呼ばれることがある。
【００３３】
本発明は、以下の３つの化合物から本質的になる冷媒であって、各化合物が以下の相対百分率で存在する、冷媒、を含む：
４９重量％＋／−０．３重量％のジフルオロメタン（ＨＦＣ−３２）、
１１．５重量％＋／−０．３重量％のペンタフルオロエタン（ＨＦＣ−１２５）、及び
３９．５重量％＋／−０．３重量％のトリフルオロヨードメタン（ＣＦ３Ｉ）。本段落による冷媒は、本明細書において便宜上、冷媒１８と呼ばれることがある。
【００３４】
本発明は、以下の３つの化合物からなる冷媒であって、各化合物が以下の相対百分率で存在する、冷媒、を含む：
４９重量％＋／−０．３重量％のジフルオロメタン（ＨＦＣ−３２）、
１１．５重量％＋／−０．３重量％のペンタフルオロエタン（ＨＦＣ−１２５）、及び
３９．５重量％＋／−０．３重量％のトリフルオロヨードメタン（ＣＦ３Ｉ）。本段落による冷媒は、本明細書において便宜上、冷媒１９と呼ばれることがある。
【００３５】
本発明は、少なくとも約９７重量％の以下の３つの化合物を含む冷媒であって、各化合物が以下の相対百分率で存在する、冷媒、を含む：
約４９重量％のジフルオロメタン（ＨＦＣ−３２）、
約１１．５重量％のペンタフルオロエタン（ＨＦＣ−１２５）、及び
約３９．５重量％のトリフルオロヨードメタン（ＣＦ３Ｉ）、
並びに、冷媒は、不燃性試験を満たす。本段落による冷媒は、本明細書において便宜上、冷媒２０と呼ばれることがある。
【００３６】
本発明は、少なくとも約９８．５重量％の以下の３つの化合物を含む冷媒であって、各化合物が以下の相対百分率で存在する、冷媒、を含む：
約４９重量％のジフルオロメタン（ＨＦＣ−３２）、
約１１．５重量％のペンタフルオロエタン（ＨＦＣ−１２５）、及び
約３９．５重量％のトリフルオロヨードメタン（ＣＦ３Ｉ）、
並びに、冷媒は、不燃性試験を満たす。本段落による冷媒は、本明細書において便宜上、冷媒２１と呼ばれることがある。
【００３７】
本発明は、少なくとも約９９．５重量％の以下の３つの化合物を含む冷媒であって、各化合物が以下の相対百分率で存在する、冷媒、を含む：
約４９重量％のジフルオロメタン（ＨＦＣ−３２）、
約１１．５重量％のペンタフルオロエタン（ＨＦＣ−１２５）、及び
約３９．５重量％のトリフルオロヨードメタン（ＣＦ３Ｉ）、
並びに、冷媒は、不燃性試験を満たす。本段落による冷媒は、本明細書において便宜上、冷媒２２と呼ばれることがある。
【００３８】
本発明は、以下の３つの化合物から本質的になる冷媒であって、各化合物が以下の相対百分率で存在する、冷媒、を含む：
約４９重量％のジフルオロメタン（ＨＦＣ−３２）、
約１１．５重量％のペンタフルオロエタン（ＨＦＣ−１２５）、及び
約３９．５重量％のトリフルオロヨードメタン（ＣＦ３Ｉ）、
並びに、冷媒は、不燃性試験を満たす。本段落による冷媒は、本明細書において便宜上、冷媒２３と呼ばれることがある。
【００３９】
本発明は、以下の３つの化合物から本質的になる冷媒であって、各化合物が以下の相対百分率で存在する、冷媒、を含む：
約４９重量％のジフルオロメタン（ＨＦＣ−３２）、
約１１．５重量％のペンタフルオロエタン（ＨＦＣ−１２５）、及び
約３９．５重量％のトリフルオロヨードメタン（ＣＦ３Ｉ）、
並びに、冷媒は、不燃性試験を満たす。本段落による冷媒は、本明細書において便宜上、冷媒２４と呼ばれることがある。
【００４０】
本発明は、
４９重量％のジフルオロメタン（ＨＦＣ−３２）、
１１．５重量％のペンタフルオロエタン（ＨＦＣ−１２５）、及び
３９．５重量％のトリフルオロヨードメタン（ＣＦ３Ｉ）から本質的になる冷媒を含み、これらの百分率はこれらの３つの化合物の総重量に基づく。本段落による冷媒は、本明細書において便宜上、冷媒２５と呼ばれることがある。
【００４１】
本発明は、
４９重量％のジフルオロメタン（ＨＦＣ−３２）、
１１．５重量％のペンタフルオロエタン（ＨＦＣ−１２５）、及び
３９．５重量％のトリフルオロヨードメタン（ＣＦ３Ｉ）から本質的になる冷媒を含み、これらの百分率はこれらの３つの化合物の総重量に基づく。本段落による冷媒は、本明細書において便宜上、冷媒２６と呼ばれることがある。
【００４２】
説明
定義：
本発明の目的では、摂氏度（℃）の温度に関する「約」という用語は、規定温度が＋／−５℃の量で変動し得ることを意味する。好ましい実施形態では、約であると指定された温度は、好ましくは特定温度の＋／−２℃、より好ましくは＋／−１℃、更により好ましくは＋／−０．５℃である。
【００４３】
「能力」という用語は、冷凍システムにおいて冷媒によって提供される冷却の量（ＢＴＵ／ｈｒ）である。これは、冷媒が蒸発器を通る際の冷媒のエンタルピー（ＢＴＵ／ｌｂ）の変化を、冷媒の質量流量で乗じることによって実験的に決定される。エンタルピーは、冷媒の圧力及び温度の測定から決定することができる。凍システムの能力は、冷却される領域を特定の温度に維持する能力に関連する。冷媒の能力は、冷媒が提供する冷却又は加熱の量を表し、冷媒の所与の体積流量に対する熱量を送出する圧縮機のある程度の性能を提供する。換言すれば、特定の圧縮機を考慮すると、より高い能力を有する冷媒は、より多くの冷却又は加熱力を供給するであろう。
【００４４】
「成績係数」という語句（以下「ＣＯＰ」）は、冷媒の蒸発又は凝縮を伴う特定の加熱又は冷却サイクルにおいて冷媒の相対的な熱力学的効率を表すのに特に有用な、広く受け入れられている冷媒性能の尺度である。冷凍工学では、この用語は、蒸気の圧縮時に圧縮機によって印加されるエネルギーに対する有効な冷凍又は冷却能力の比率を表し、したがって冷媒などの熱伝達流体の所与の体積流量に対する熱量を送出する所与の圧縮機の能力を表す。換言すれば、特定の圧縮機を考慮すると、より高いＣＯＰを有する冷媒は、より多くの冷却又は加熱力を供給するであろう。特定の動作条件における冷媒のＣＯＰを推定するための１つの手段は、標準的な冷凍サイクル分析技術を用いて冷媒の熱力学的特性から得られる（例えば、参照によりその全体が本明細書に組み込まれる、Ｒ．Ｃ．Ｄｏｗｎｉｎｇ，ＦＬＵＯＲＯＣＡＲＢＯＮ  ＲＥＦＲＩＧＥＲＡＮＴＳ  ＨＡＮＤＢＯＯＫ，Ｃｈａｐｔｅｒ  ３，Ｐｒｅｎｔｉｃｅ−Ｈａｌｌ，１９８８を参照のこと）。
【００４５】
「吐出温度」という語句は、圧縮機の出口における冷媒の温度を指す。低い吐出温度の利点は、好ましくは圧縮機部品を保護するように設計されたシステムの熱防御面を作動させることなく既存の設備の使用を可能にし、吐出温度を下げるための液体注入などの高価な制御装置の使用を回避することである。
【００４６】
「地球温暖化係数」（以下「ＧＷＰ」）は、様々な気体の地球温暖化への影響を比較することを可能にするために開発された。具体的には、ある気体の１トンの放出が、二酸化炭素の１トンの放出に対して相対的に、所与の期間にわたってどのくらいのエネルギーを吸収するかの尺度である。ＧＷＰが大きいほど、所与の気体は、ＣＯ２と比較して、その期間にわたって地球をより一層温めることになる。ＧＷＰに通常使用される期間は、１００年である。ＧＷＰは、アナリストが異なる気体の放出推定値を合計することを可能にする、一般的な尺度を提供する。ｗｗｗ．ｅｐａ．ｇｏｖを参照されたい。
【００４７】
「質量流量」という用語は、単位時間当たりの導管を通過する冷媒の質量である。
【００４８】
「職業暴露限界（ＯＥＬ）」という用語は、ＡＳＨＲＡＥ  Ｓｔａｎｄａｒｄ  ３４−２０１６  Ｄｅｓｉｇｎａｔｉｏｎ  ａｎｄ  Ｓａｆｅｔｙ  Ｃｌａｓｓｉｆｉｃａｔｉｏｎ  ｏｆ  Ｒｅｆｒｉｇｅｒａｎｔｓに従って決定される。
【００４９】
本明細書で使用するとき、特定の先行冷媒「に対する代替品」として、本発明の特定の熱伝達組成物又は冷媒に関する「〜に対する代替品」という用語は、これまでその先行冷媒と共に一般的に使用されていた熱伝達システムでの本発明の指定された組成物の使用を意味する。例として、住宅用空調及び商用空調（ルーフトップシステム、可変冷媒流（ＶＲＦ）システム及び冷却器システムを含む）などの、これまでＲ４１０Ａ用に設計されてきた及び／又はＲ４１０Ａと共に一般的に使用されてきた熱伝達システムにおいて、本発明の冷媒又は熱伝達組成物を使用するとき、本発明の冷媒は、そのようなシステムにおいてＲ４１０Ａの代替品になる。
【００５０】
「熱力学的グライド」という語句は、一定圧力での蒸発器又は凝縮器における相変化プロセス中に様々な温度を有する非共沸冷媒混合物に適用される。
【００５１】
冷媒及び熱伝達組成物
出願人らは、本明細書に記載される冷媒１〜３９の各々を含む本発明の冷媒が、特に本発明の冷媒をＲ−４１０Ａの代替品として、特に従来の４１０Ａ住宅用空調システム及び従来のＲ−４１０Ａ商用空調システム（従来のＲ−４１０Ａルーフトップシステム、従来のＲ−４１０Ａ可変冷媒流（ＶＲＦ）システム及び従来のＲ−４１０Ａ冷却器システムを含む）で使用する場合、非常に有利な特性、特に不燃性を提供できることを見出した。
【００５２】
本発明の冷媒の特有の利点は、不燃性試験に従って試験したときに不燃性であることであり、上述したように、Ｒ−４１０Ａの代替品として様々なシステムで使用でき、優れた熱伝達特性、低い環境影響（特に低いＧＷＰ及びほぼゼロのＯＤＰを含む）、化学安定性、低毒性若しくは無毒性、及び／又は潤滑剤適合性を有し、使用時に不燃性を維持する、冷媒を提供することが当該技術分野において望まれている。この望ましい利点は、本発明の冷媒によって達成され得る。
【００５３】
本発明は、以下の３つの化合物から本質的になる冷媒であって、各化合物が以下の相対百分率で存在する、冷媒、を含む：
約４９重量％のジフルオロメタン（ＨＦＣ−３２）、
１１．６重量％〜１１．９重量％のペンタフルオロエタン（ＨＦＣ−１２５）、及び
３９重量％〜４０重量％のトリフルオロヨードメタン（ＣＦ３Ｉ）、
並びに、冷媒は、当該３つの化合物の総重量に基づいて１１．５重量％のＨＦＣ−１２５を含まず、かつ１２相対重量％以上のＨＦＣ−１２５を含まない。本段落による冷媒は、本明細書において便宜上、冷媒２７と呼ばれることがある。
【００５４】
本発明は、以下の３つの化合物からなる冷媒であって、各化合物が以下の相対百分率で存在する、冷媒、を含む：
約４９重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、冷媒は、当該３つの化合物の総重量に基づいて１１．５重量％のＨＦＣ−１２５を含まず、かつ１２相対重量％以上のＨＦＣ−１２５を含まない。本段落による冷媒は、本明細書において便宜上、冷媒２８と呼ばれることがある。
【００５５】
本発明は、以下の３つの化合物から本質的になる冷媒であって、各化合物が以下の相対百分率で存在する、冷媒、を含む：
４７重量％〜４９．５重量％のジフルオロメタン（ＨＦＣ−３２）、
１１重量％〜１３．５重量％のペンタフルオロエタン（ＨＦＣ−１２５）、及び
３９重量％〜４１．５重量％のトリフルオロヨードメタン（ＣＦ３Ｉ）。本段落による冷媒は、本明細書において便宜上、冷媒２９と呼ばれることがある。
【００５６】
本発明は、以下の３つの化合物からなる冷媒であって、各化合物が以下の相対百分率で存在する、冷媒、を含む：
４７重量％〜４９．５重量％のジフルオロメタン（ＨＦＣ−３２）、
１１重量％〜１３．５重量％のペンタフルオロエタン（ＨＦＣ−１２５）、及び
３９重量％〜４１．５重量％のトリフルオロヨードメタン（ＣＦ３Ｉ）。本段落による冷媒は、本明細書において便宜上、冷媒３０と呼ばれることがある。
【００５７】
本発明は、以下の３つの化合物から本質的になる冷媒であって、各化合物が以下の相対百分率で存在する、冷媒、を含む：
４７重量％〜４９．５重量％のジフルオロメタン（ＨＦＣ−３２）、
１１重量％〜１３．５重量％のペンタフルオロエタン（ＨＦＣ−１２５）、及び
３９重量％〜４１．５重量％のトリフルオロヨードメタン（ＣＦ３Ｉ）、並びに、冷媒は、当該３つの化合物の総重量に基づいて１１．５重量％のＨＦＣ−１２５を含まず、かつ１２相対重量％以上のＨＦＣ−１２５を含まない。本段落による冷媒は、本明細書において便宜上、冷媒３１と呼ばれることがある。
【００５８】
本発明は、以下の３つの化合物からなる冷媒であって、各化合物が以下の相対百分率で存在する、冷媒、を含む：
４７重量％〜４９．５重量％のジフルオロメタン（ＨＦＣ−３２）、
１１重量％〜１３．５重量％のペンタフルオロエタン（ＨＦＣ−１２５）、及び
３９重量％〜４１．５重量％のトリフルオロヨードメタン（ＣＦ３Ｉ）、並びに、冷媒は、当該３つの化合物の総重量に基づいて１１．５重量％のＨＦＣ−１２５を含まず、かつ１２相対重量％以上のＨＦＣ−１２５を含まない。本段落による冷媒は、本明細書において便宜上、冷媒３２と呼ばれることがある。
【００５９】
本発明は、以下の３つの化合物からなる冷媒であって、各化合物が以下の相対百分率で存在する、冷媒、を含む：
約４９重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、冷媒は、当該３つの化合物の総重量に基づいて３９．０重量％のＣＦ３Ｉを含まず、かつ３９．５相対重量％以上のＣＦ３Ｉを含まない。本段落による冷媒は、本明細書において便宜上、冷媒３３と呼ばれることがある。
【００６０】
本発明は、以下の３つの化合物からなる冷媒であって、各化合物が以下の相対百分率で存在する、冷媒、を含む：
約４９重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、冷媒は、当該３つの化合物の総重量に基づいて３９．０重量％のＣＦ３Ｉを含まず、かつ３９．５相対重量％以上のＣＦ３Ｉを含まない。本段落による冷媒は、本明細書において便宜上、冷媒３４と呼ばれることがある。
【００６１】
本発明は、以下の３つの化合物からなる冷媒であって、各化合物が以下の相対百分率で存在する、冷媒、を含む：
約４９重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、冷媒は、当該３つの化合物の総重量に基づいて３９．０重量％のＣＦ３Ｉを含まない。本段落による冷媒は、本明細書において便宜上、冷媒３５と呼ばれることがある。
【００６２】
本発明は、以下の３つの化合物からなる冷媒であって、各化合物が以下の相対百分率で存在する、冷媒、を含む：
約４９重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、冷媒は、当該３つの化合物の総重量に基づいて３９．０重量％のＣＦ３Ｉを含まない。本段落による冷媒は、本明細書において便宜上、冷媒３６と呼ばれることがある。
【００６３】
本発明は、以下の３つの化合物からなる冷媒であって、各化合物が以下の相対百分率で存在する、冷媒、を含む：
約４９重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、冷媒は、当該３つの化合物の総重量に基づいて３９．５相対重量％以上のＣＦ３Ｉを含まない。本段落による冷媒は、本明細書において便宜上、冷媒３７と呼ばれることがある。
【００６４】
本発明は、以下の３つの化合物からなる冷媒であって、各化合物が以下の相対百分率で存在する、冷媒、を含む：
約４９重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、冷媒は、当該３つの化合物の総重量に基づいて３９．５相対重量％以上のＣＦ３Ｉを含まない。本段落による冷媒は、本明細書において便宜上、冷媒３８と呼ばれることがある。
【００６５】
本発明は、以下の３つの化合物からなる冷媒であって、各化合物が以下の相対百分率で存在する、冷媒、を含む：
約４９重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、並びに、当該冷媒は、不燃性試験を満たす。本段落による冷媒は、本明細書において便宜上、冷媒３９と呼ばれることがある。
【００６６】
好ましくは、熱伝達組成物は、熱伝達組成物の４０重量％を超える量で、冷媒１〜３９の各々を含む本発明の任意の冷媒を含む。
【００６７】
好ましくは、熱伝達組成物は、熱伝達組成物の約５０重量％を超える量で、冷媒１〜３９の各々を含む本発明の任意の冷媒を含む。
【００６８】
好ましくは、熱伝達組成物は、熱伝達組成物の７０重量％を超える量で、冷媒１〜３９の各々を含む本発明の任意の冷媒を含む。
【００６９】
好ましくは、熱伝達組成物は、熱伝達組成物の８０重量％を超える量で、冷媒１〜３９の各々を含む本発明の任意の冷媒を含む。
【００７０】
好ましくは、熱伝達組成物は、熱伝達組成物の９０重量％を超える量で、冷媒１〜３９の各々を含む本発明の任意の冷媒を含む。
【００７１】
好ましくは、熱伝達組成物は、冷媒１〜３９の各々を含む本発明の任意の冷媒から本質的になる。
【００７２】
好ましくは、本発明の熱伝達組成物は、冷媒１〜３９の各々を含む本発明の任意の冷媒からなる。
【００７３】
本発明の熱伝達組成物は、ある特定の機能性を増強させるか、又はそれを組成物に提供する目的で他の成分を含んでもよい。かかる他の成分又は添加剤には、潤滑剤、染料、可溶化剤、相溶化剤、安定化剤、抗酸化剤、腐食抑制剤、極圧添加剤、及び耐摩耗剤のうちの１つ以上が含まれ得る。
【００７４】
安定化剤：
本発明の熱伝達組成物は、上記の冷媒１〜３９の各々を含む本明細書に記載の冷媒と、安定化剤とを含む。
【００７５】
安定化剤成分は、好ましくは、熱伝達組成物の０重量％超〜約１５重量％、又は約０．５〜約１０重量％の量で熱伝達組成物中に提供され、これらの百分率は、熱伝達組成物中の全成分の合計で除した熱伝達組成物中の全安定化剤の総重量に基づく。
【００７６】
本発明の熱伝達組成物に使用するための安定化剤は、（ｉ）アルキル化ナフタレン化合物、（ｉｉ）フェノール系化合物、及び（ｉｉｉ）ジエン系化合物のうちの少なくとも１つを含む。本段落による安定化剤は、本明細書において便宜上、安定化剤１と呼ばれることがある。
【００７７】
本発明の熱伝達組成物に使用するための安定化剤は、（ｉ）少なくとも１つのアルキル化ナフタレン化合物と、（ｉｉ）少なくとも１つのフェノール系化合物との組み合わせを含む。本段落による安定化剤は、本明細書において便宜上、安定化剤２と呼ばれることがある。
【００７８】
本発明の熱伝達組成物に使用するための安定化剤は、（ｉ）少なくとも１つのアルキル化ナフタレン化合物と、（ｉｉ）少なくともジエン系化合物との組み合わせを含む。本段落による安定化剤は、本明細書において便宜上、安定化剤３と呼ばれることがある。
【００７９】
本発明の熱伝達組成物に使用するための安定化剤は、（ｉ）少なくとも１つのアルキル化ナフタレン化合物と、（ｉｉ）イソブチレン化合物との組み合わせを含む。本段落による安定化剤は、本明細書において便宜上、安定化剤４と呼ばれることがある。
【００８０】
本発明の熱伝達組成物に使用するための安定化剤は、（ｉ）少なくとも１つのアルキル化ナフタレン化合物と、（ｉｉ）少なくとも１つのフェノール系化合物と、（ｉｉｉ）少なくとも１つのジエン系化合物との組み合わせを含む。本段落による安定化剤は、本明細書において便宜上、安定化剤５と呼ばれることがある。
【００８１】
安定化剤はまた、リン化合物及び／又は窒素化合物及び／又はエポキシドを含んでもよく、存在する場合、エポキシドは、好ましくは、芳香族エポキシド、アルキルエポキシド、アルケニル（ａｌｋｙｅｎｙｌ）エポキシドからなる群から選択される。
【００８２】
安定化剤は、１つ以上のアルキル化ナフタレン及び１つ以上のフェノール系化合物から本質的になってもよい。本段落による安定化剤は、本明細書において便宜上、安定化剤６と呼ばれることがある。
【００８３】
安定化剤は、１つ以上のアルキル化ナフタレン及び１つ以上のジエン系化合物から本質的になってもよい。本段落による安定化剤は、本明細書において便宜上、安定化剤７と呼ばれることがある。
【００８４】
安定化剤は、１つ以上のアルキル化ナフタレン、１つ以上のジエン系化合物、及び１つ以上のフェノール系化合物から本質的になってもよい。本段落による安定化剤は、本明細書において便宜上、安定化剤８と呼ばれることがある。
【００８５】
アルキル化ナフタレン
出願人らは、驚くべきことに、かつ予想外に、アルキル化ナフタレンが、本発明の熱伝達組成物の安定化剤として非常に有効であることを見出した。本明細書で使用するとき、用語「アルキル化ナフタレン」は、以下の構造を有する化合物を指す：
【００８６】
【化１】
2020536994.tif 000002
【００８７】
式中、各Ｒ１〜Ｒ８は、直鎖アルキル基、分岐アルキル基、及び水素から独立して選択される。アルキル鎖の特定の長さ、並びに混合物又は分岐鎖及び直鎖及び水素は、本発明の範囲内で変化することができ、このような変化は、アルキル化ナフタレンの物理的特性、特にアルキル化化合物の粘度などに反映されることが当業者には認識及び理解されようし、このような物質の製造業者は、特定のＲ基の明記に代えてこのような特性のうちの１つ以上に言及することで物質を定義することが多い。
【００８８】
出願人らは、予想外の、驚くべき、かつ有利な結果が、以下の特性を有する本発明による安定化剤としてのアルキル化ナフタレンの使用に結びつくことを見出しており、示された特性を有するアルキル化ナフタレン化合物は、以下の表ＡＮ１の列１〜５にそれぞれ示すように、本明細書において便宜上、アルキル化ナフタレン１〜アルキル化ナフタレン４と呼ばれる。
【００８９】
【表ＡＮ１】
2020536994.tif 000003
【００９０】
ＡＳＴＭ  Ｄ４４５に従って測定された４０℃での粘度に関連して本明細書で使用するとき、用語「約」は、＋／−４ｃＳｔを意味する。
【００９１】
ＡＳＴＭ  Ｄ４４５に従って測定された１００℃での粘度に関連して本明細書で使用するとき、用語「約」は、＋／−０．４ｃＳｔを意味する。
【００９２】
ＡＳＴＭ  Ｄ９７に従って測定された流動点に関連して本明細書で使用するとき、用語「約」は、＋／−５℃を意味する。
【００９３】
出願人らはまた、予想外の、驚くべき、かつ有利な結果が、以下の特性を有する本発明による安定化剤としてのアルキル化ナフタレンの使用に結びつくことを見出しており、示された特性を有するアルキル化ナフタレン化合物は、以下の表ＡＮ２の列６〜１０にそれぞれ示すように、本明細書において便宜上、アルキル化ナフタレン６〜アルキル化ナフタレン１０と呼ばれる。
【００９４】
【表ＡＮ２】
2020536994.tif 000004
【００９５】
アルキル化ナフタレン１及びアルキル化ナフタレン６の意義の範囲内のアルキル化ナフタレンの例としては、Ｋｉｎｇ  Ｉｎｄｕｓｔｒｉｅｓによって商品名ＮＡ−ＬＵＢＥ  ＫＲ−００７Ａ、ＫＲ−００８、ＫＲ−００９、ＫＲ−０１５、ＫＲ−０１９、ＫＲ−００５ＦＧ、ＫＲ−０１５ＦＧ、及びＫＲ−０２９ＦＧとして販売されているものが挙げられる。
【００９６】
アルキル化ナフタレン２及びアルキル化ナフタレン７の意義の範囲内のアルキル化ナフタレンの例としては、Ｋｉｎｇ  Ｉｎｄｕｓｔｒｉｅｓによって商品名ＮＡ−ＬＵＢＥ  ＫＲ−００７Ａ、ＫＲ−００８、ＫＲ−００９、及びＫＲ−００５ＦＧとして販売されているものが挙げられる。
【００９７】
アルキル化ナフタレン５及びアルキル化ナフタレン１０の意義の範囲内のアルキル化ナフタレンの例としては、Ｋｉｎｇ  Ｉｎｄｕｓｔｒｉｅｓによって商品名ＮＡ−ＬＵＢＥ  ＫＲ−００８として販売されている製品が挙げられる。
【００９８】
アルキル化ナフタレンは、好ましくは、冷媒１〜３９の各々を含む本発明の冷媒を含む本発明の熱伝達組成物中に存在し、アルキル化ナフタレンは、０．０１％〜約１０％、又は約１．５％〜約４．５％、又は約２．５％〜約３．５％の量で存在し、これらの量はシステム内のアルキル化ナフタレン及び冷媒の量に基づく重量パーセントである。
【００９９】
アルキル化ナフタレンは、好ましくは、潤滑剤と、冷媒１〜３９の各々を含む本発明の冷媒とを含む、本発明の熱伝達組成物中に存在し、アルキル化ナフタレンは、０．１％〜約２０％、又は約５％〜約１５％、又は約８％〜約１２％の量で存在し、これらの量はシステム内のアルキル化ナフタレン及び潤滑剤の量に基づく重量パーセントである。
【０１００】
アルキル化ナフタレンは、好ましくは、ＰＯＥ潤滑剤と、冷媒１〜３９の各々を含む本発明の冷媒とを含む、本発明の熱伝達組成物中に存在し、アルキル化ナフタレンは、０．１％〜約２０％、又は約５％〜約１５％、又は約８％〜約１２％の量で存在し、これらの量はシステム内のアルキル化ナフタレン及び潤滑剤の量に基づく重量パーセントである。
【０１０１】
アルキル化ナフタレンは、好ましくは、ＡＳＴＭ  Ｄ４４５Ｃに従って測定された４０℃での粘度が約３０ｃＳｔ〜約７０ｃＳｔのＰＯＥ潤滑剤と、冷媒１〜３９の各々を含む本発明の冷媒とを含む、本発明の熱伝達組成物中に存在し、アルキル化ナフタレンは、０．１％〜約２０％、又は約５％〜約１５％、又は約８％〜約１２％の量で存在し、これらの量はシステム内のアルキル化ナフタレン及び潤滑剤の量に基づく重量パーセントである。
【０１０２】
ジエン系化合物
ジエン系化合物は、Ｃ３〜Ｃ１５ジエン、及び任意の２種以上のＣ３〜Ｃ４ジエンの反応によって形成された化合物を含む。好ましくは、ジエン系化合物は、アリルエーテル、プロパジエン、ブタジエン、イソプレン、及びテルペンからなる群から選択される。ジエン系化合物は、好ましくはテルペンであり、これにはテレベン、レチナール、ゲラニオール、テルピネン、デルタ−３カレン、テルピノレン、フェランドレン、フェンケン、ミルセン、ファルネセン、ピネン、ネロール、シトラル、カンフル、メントール、リモネン、ネロリドール、フィトール、カルノシン酸、及びビタミンＡ１が含まれるがこれらに限定されない。好ましくは、安定化剤は、ファルネセンである。好ましいテルペン安定化剤は、参照により本明細書に組み込まれる、２００４年１２月１２日に出願され、米国特許出願公開第２００６／０１６７０４４（Ａ１）号として公開された、米国特許仮出願第６０／６３８，００３号に開示されている。
【０１０３】
更に、ジエン系化合物は、０を超える量で、好ましくは０．０００１重量％〜約５重量％、好ましくは０．００１重量％〜約２．５重量％、より好ましくは０．０１重量％〜約１重量％の量で熱伝達組成物中に提供され得る。各々の場合において、重量百分率は、熱伝達組成物の重量を指す。
【０１０４】
フェノール系化合物
フェノール系化合物は、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択される１つ以上の化合物、好ましくはＢＨＴであり得る。
【０１０５】
フェノール化合物は、０を超える量で、好ましくは０．０００１重量％〜約５重量％、好ましくは０．００１重量％〜約２．５重量％、より好ましくは０．０１重量％〜約１重量％の量で熱伝達組成物中に提供され得る。各々の場合において、重量百分率は、熱伝達組成物の重量を指す。
【０１０６】
リン系化合物
リン化合物は、亜リン酸化合物又はリン酸化合物であり得る。本発明の目的では、亜リン酸化合物は、ジアリール、ジアルキル、トリアリール、及び／若しくはトリアルキルホスファイト、並びに／又は混合されたアリール／アルキル二若しくは三置換ホスファイト、特にヒンダードホスファイト、トリス−（ジ−ｔｅｒｔ−ブチルフェニル）ホスファイト、ジ−ｎ−オクチルホスファイト、イソ−オクチルジフェニルホスファイト、イソーデシルジフェニルホスファイト、トリ−イソ−デシルホスフェート、トリフェニルホスファイト、及びジフェニルホスファイトから選択される１種以上の化合物、特にジフェニルホスファイトであり得る。
【０１０７】
リン酸化合物は、トリアリールホスフェート、トリアルキルホスフェート、アルキルモノ酸ホスフェート、アリール二酸ホスフェート、アミンホスフェート、好ましくはトリアリールホスフェート及び／又はトリアルキルホスフェート、特にトリ−ｎ−ブチルホスフェートであり得る。
【０１０８】
リン化合物は、０を超える量で、好ましくは０．０００１重量％〜約５重量％、好ましくは０．００１重量％〜約２．５重量％、より好ましくは０．０１重量％〜約１重量％の量で熱伝達組成物中に提供され得る。各々の場合において、重量によるは、熱伝達組成物の重量を指す。
【０１０９】
窒素化合物
安定化剤が窒素化合物であるとき、安定化剤は、ジフェニルアミン、ｐ−フェニレンジアミン、トリエチルアミン、トリブチルアミン、ジイソプロピルアミン、トリイソプロピルアミン、及びトリイソブチルアミンから選択される１種以上の二級又は三級アミンなどのアミン系化合物を含み得る。アミン系化合物は、アミン抗酸化剤、例えば、置換ピペリジン化合物、すなわち、アルキル置換ピペリジル、ピペリジニル、ピペラジノン、又はアルキオキシピペリジニルの誘導体、特に、２，２，６，６−テトラメチル−４−ピペリドン、２，２，６，６−テトラメチル−４−ピペリジノール；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、並びにヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）から選択される１種以上のアミン抗酸化剤であり得る。本発明の目的では、アミン系化合物はまた、ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミンのうちの１つ以上であってもよい。好ましくは、アミン系化合物は、フェニル−アルファ−ナフチルアミン（ＰＡＮＡ）、アルキル−フェニル−アルファ−ナフチル−アミン（ＡＰＡＮＡ）、及びビス（ノニルフェニル）アミンのうちの１種以上、より好ましくはフェニル−アルファ−ナフチルアミン（ＰＡＮＡ）である。
【０１１０】
代替的に、又は上記で識別した窒素化合物に加えて、ジニトロベンゼン、ニトロベンゼン、ニトロメタン、ニトロソベンゼン、及びＴＥＭＰＯ［（２，２，６，６−テトラメチルピペリジン−１−イル）オキシル］から選択される１種以上の化合物を安定化剤として使用してもよい。
【０１１１】
窒素化合物は、０を超えかつ０．０００１重量％〜約５重量％、好ましくは０．００１重量％〜約２．５重量％、より好ましくは０．０１重量％〜約１重量％の量で熱伝達組成物中に提供され得る。各々の場合において、重量百分率は、熱伝達組成物の重量を指す。
【０１１２】
エポキシド及びその他
有用なエポキシドとしては、芳香族エポキシド、アルキルエポキシド、及びアルケニルエポキシドが挙げられる。
【０１１３】
本発明による安定化剤として、イソブチレンを使用することもできる。
【０１１４】
好ましくは、熱伝達組成物は、冷媒１〜３９の各々を含む本発明の冷媒と、ファルネセン及びアルキル化ナフタレン１〜５から選択されるアルキル化ナフタレンを含む安定化剤組成物とを含む。本明細書に記載の使用、方法、及びシステムの目的では、安定化剤組成物は、ファルネセン、アルキル化ナフタレン５、及びＢＨＴを含み得る。好ましくは、安定化剤組成物は、ファルネセン、アルキル化ナフタレン５、及びＢＨＴから本質的になる。好ましくは、安定化剤組成物は、ファルネセン、アルキル化ナフタレン５、及びＢＨＴからなる。
【０１１５】
好ましくは、熱伝達組成物は、冷媒１〜３９の各々を含む本発明の冷媒と、イソブチレン及びアルキル化ナフタレン１〜５から選択されるアルキル化ナフタレンを含む安定化剤組成物とを含む。本明細書に記載の使用、方法、及びシステムの目的では、安定化剤組成物は、イソブチレン、アルキル化ナフタレン５、及びＢＨＴを含み得る。好ましくは、安定化剤組成物は、イソブチレン、アルキル化ナフタレン５、及びＢＨＴから本質的になる。好ましくは、安定化剤組成物は、イソブチレン、アルキル化ナフタレン５、及びＢＨＴからなる。
【０１１６】
熱伝達組成物は、冷媒１〜３９の各々を含む本発明の冷媒と、アルキル化ナフタレン４を含む安定化剤組成物とを含む。
【０１１７】
熱伝達組成物は、冷媒１〜３９の各々を含む本発明の冷媒と、アルキル化ナフタレン５を含む安定化剤組成物とを含む。
【０１１８】
安定化剤は、ファルネセン及びアルキル化ナフタレン５を含むか、これらから本質的になるか、又はこれからなることができる。
【０１１９】
安定化剤は、イソブチレン及びアルキル化ナフタレン５を含むか、これらから本質的になるか、又はこれからなることができる。
【０１２０】
本発明の熱伝達組成物は、好ましくは、冷媒１及び安定化剤１を含み得る。
【０１２１】
本発明の熱伝達組成物は、好ましくは、冷媒２及び安定化剤１を含み得る。
【０１２２】
本発明の熱伝達組成物は、好ましくは、冷媒３及び安定化剤１を含み得る。
【０１２３】
本発明の熱伝達組成物は、好ましくは、冷媒４及び安定化剤１を含み得る。
【０１２４】
本発明の熱伝達組成物は、好ましくは、冷媒５及び安定化剤１を含み得る。
【０１２５】
本発明の熱伝達組成物は、好ましくは、冷媒６及び安定化剤１を含み得る。
【０１２６】
本発明の熱伝達組成物は、好ましくは、冷媒７及び安定化剤１を含み得る。
【０１２７】
本発明の熱伝達組成物は、好ましくは、冷媒８及び安定化剤１を含み得る。
【０１２８】
本発明の熱伝達組成物は、好ましくは、冷媒９及び安定化剤１を含み得る。
【０１２９】
本発明の熱伝達組成物は、好ましくは、冷媒１０及び安定化剤１を含み得る。
【０１３０】
本発明の熱伝達組成物は、好ましくは、冷媒１１及び安定化剤１を含み得る。
【０１３１】
本発明の熱伝達組成物は、好ましくは、冷媒１２及び安定化剤１を含み得る。
【０１３２】
本発明の熱伝達組成物は、好ましくは、冷媒１３及び安定化剤１を含み得る。
【０１３３】
本発明の熱伝達組成物は、好ましくは、冷媒１４及び安定化剤１を含み得る。
【０１３４】
本発明の熱伝達組成物は、好ましくは、冷媒１５及び安定化剤１を含み得る。
【０１３５】
本発明の熱伝達組成物は、好ましくは、冷媒１６及び安定化剤１を含み得る。
【０１３６】
本発明の熱伝達組成物は、好ましくは、冷媒１７及び安定化剤１を含み得る。
【０１３７】
本発明の熱伝達組成物は、好ましくは、冷媒１８及び安定化剤１を含み得る。
【０１３８】
本発明の熱伝達組成物は、好ましくは、冷媒１９及び安定化剤１を含み得る。
【０１３９】
本発明の熱伝達組成物は、好ましくは、冷媒２０及び安定化剤１を含み得る。
【０１４０】
本発明の熱伝達組成物は、好ましくは、冷媒２１及び安定化剤１を含み得る。
【０１４１】
本発明の熱伝達組成物は、好ましくは、冷媒２２及び安定化剤１を含み得る。
【０１４２】
本発明の熱伝達組成物は、好ましくは、冷媒２３及び安定化剤１を含み得る。
【０１４３】
本発明の熱伝達組成物は、好ましくは、冷媒２４及び安定化剤１を含み得る。
【０１４４】
本発明の熱伝達組成物は、好ましくは、冷媒２５及び安定化剤１を含み得る。
【０１４５】
本発明の熱伝達組成物は、好ましくは、冷媒２６及び安定化剤１を含み得る。
【０１４６】
本発明の熱伝達組成物は、好ましくは、冷媒２７及び安定化剤１を含み得る。
【０１４７】
本発明の熱伝達組成物は、好ましくは、冷媒２８及び安定化剤１を含み得る。
【０１４８】
本発明の熱伝達組成物は、好ましくは、冷媒２９及び安定化剤１を含み得る。
【０１４９】
本発明の熱伝達組成物は、好ましくは、冷媒３０及び安定化剤１を含み得る。
【０１５０】
本発明の熱伝達組成物は、好ましくは、冷媒３１及び安定化剤１を含み得る。
【０１５１】
本発明の熱伝達組成物は、好ましくは、冷媒３２及び安定化剤１を含み得る。
【０１５２】
本発明の熱伝達組成物は、好ましくは、冷媒３３及び安定化剤１を含み得る。
【０１５３】
本発明の熱伝達組成物は、好ましくは、冷媒３４及び安定化剤１を含み得る。
【０１５４】
本発明の熱伝達組成物は、好ましくは、冷媒３５及び安定化剤１を含み得る。
【０１５５】
本発明の熱伝達組成物は、好ましくは、冷媒３６及び安定化剤１を含み得る。
【０１５６】
本発明の熱伝達組成物は、好ましくは、冷媒３７及び安定化剤１を含み得る。
【０１５７】
本発明の熱伝達組成物は、好ましくは、冷媒３８及び安定化剤１を含み得る。
【０１５８】
本発明の熱伝達組成物は、好ましくは、冷媒３９及び安定化剤１を含み得る。
【０１５９】
本発明の熱伝達組成物は、好ましくは、冷媒１と、ＢＨＴを含む安定化剤組成物であって、当該ＢＨＴが、熱伝達組成物の重量に基づいて約０．０００１重量％〜約５重量％の量で存在する、安定化剤組成物と、を含み得る。熱伝達組成物の重量に基づいて０．０００１重量％〜約５重量％の量であるＢＨＴは、便宜上、安定化剤１０と呼ばれることがある。
【０１６０】
本発明の熱伝達組成物は、好ましくは、冷媒２及び安定化剤２を含み得る。
【０１６１】
本発明の熱伝達組成物は、好ましくは、冷媒２及び安定化剤２を含み得る。
【０１６２】
本発明の熱伝達組成物は、好ましくは、冷媒３及び安定化剤２を含み得る。
【０１６３】
本発明の熱伝達組成物は、好ましくは、冷媒４及び安定化剤２を含み得る。
【０１６４】
本発明の熱伝達組成物は、好ましくは、冷媒５及び安定化剤２を含み得る。
【０１６５】
本発明の熱伝達組成物は、好ましくは、冷媒６及び安定化剤２を含み得る。
【０１６６】
本発明の熱伝達組成物は、好ましくは、冷媒７及び安定化剤２を含み得る。
【０１６７】
本発明の熱伝達組成物は、好ましくは、冷媒８及び安定化剤２を含み得る。
【０１６８】
本発明の熱伝達組成物は、好ましくは、冷媒９及び安定化剤２を含み得る。
【０１６９】
本発明の熱伝達組成物は、好ましくは、冷媒１０及び安定化剤２を含み得る。
【０１７０】
本発明の熱伝達組成物は、好ましくは、冷媒１１及び安定化剤２を含み得る。
【０１７１】
本発明の熱伝達組成物は、好ましくは、冷媒１２及び安定化剤２を含み得る。
【０１７２】
本発明の熱伝達組成物は、好ましくは、冷媒１３及び安定化剤２を含み得る。
【０１７３】
本発明の熱伝達組成物は、好ましくは、冷媒１４及び安定化剤２を含み得る。
【０１７４】
本発明の熱伝達組成物は、好ましくは、冷媒１５及び安定化剤２を含み得る。
【０１７５】
本発明の熱伝達組成物は、好ましくは、冷媒１６及び安定化剤２を含み得る。
【０１７６】
本発明の熱伝達組成物は、好ましくは、冷媒１７及び安定化剤２を含み得る。
【０１７７】
本発明の熱伝達組成物は、好ましくは、冷媒１８及び安定化剤２を含み得る。
【０１７８】
本発明の熱伝達組成物は、好ましくは、冷媒１９及び安定化剤２を含み得る。
【０１７９】
本発明の熱伝達組成物は、好ましくは、冷媒２０及び安定化剤２を含み得る。
【０１８０】
本発明の熱伝達組成物は、好ましくは、冷媒２１及び安定化剤２を含み得る。
【０１８１】
本発明の熱伝達組成物は、好ましくは、冷媒２２及び安定化剤２を含み得る。
【０１８２】
本発明の熱伝達組成物は、好ましくは、冷媒２３及び安定化剤２を含み得る。
【０１８３】
本発明の熱伝達組成物は、好ましくは、冷媒２４及び安定化剤２を含み得る。
【０１８４】
本発明の熱伝達組成物は、好ましくは、冷媒２５及び安定化剤２を含み得る。
【０１８５】
本発明の熱伝達組成物は、好ましくは、冷媒２６及び安定化剤２を含み得る。
【０１８６】
本発明の熱伝達組成物は、好ましくは、冷媒２７及び安定化剤２を含み得る。
【０１８７】
本発明の熱伝達組成物は、好ましくは、冷媒２８及び安定化剤２を含み得る。
【０１８８】
本発明の熱伝達組成物は、好ましくは、冷媒２９及び安定化剤２を含み得る。
【０１８９】
本発明の熱伝達組成物は、好ましくは、冷媒３０及び安定化剤２を含み得る。
【０１９０】
本発明の熱伝達組成物は、好ましくは、冷媒３１及び安定化剤２を含み得る。
【０１９１】
本発明の熱伝達組成物は、好ましくは、冷媒３２及び安定化剤２を含み得る。
【０１９２】
本発明の熱伝達組成物は、好ましくは、冷媒３３及び安定化剤２を含み得る。
【０１９３】
本発明の熱伝達組成物は、好ましくは、冷媒３４及び安定化剤２を含み得る。
【０１９４】
本発明の熱伝達組成物は、好ましくは、冷媒３５及び安定化剤２を含み得る。
【０１９５】
本発明の熱伝達組成物は、好ましくは、冷媒３６及び安定化剤２を含み得る。
【０１９６】
本発明の熱伝達組成物は、好ましくは、冷媒３７及び安定化剤２を含み得る。
【０１９７】
本発明の熱伝達組成物は、好ましくは、冷媒３８及び安定化剤２を含み得る。
【０１９８】
本発明の熱伝達組成物は、好ましくは、冷媒３９及び安定化剤２を含み得る。
【０１９９】
本発明の熱伝達組成物は、好ましくは、潤滑剤と、冷媒１と、アルキル化ナフタレン４を含む安定化剤組成物とを含むことができ、アルキル化ナフタレンは、０．１％〜約２０％、又は約５％〜約１５％、又は約８％〜約１２％の量で存在し、これらの百分率はアルキル化ナフタレン及び潤滑剤の重量に基づく。熱伝達組成物中の示された量の範囲内の本段落に記載の安定化剤は、本明細書において安定化剤８と呼ばれる。
【０２００】
本発明の熱伝達組成物は、好ましくは、潤滑剤と、冷媒１と、アルキル化ナフタレン５を含む安定化剤組成物とを含むことができ、アルキル化ナフタレンは、０．１％〜約２０％、又は約５％〜約１５％、又は約８％〜約１２％の量で存在し、これらの百分率はアルキル化ナフタレン及び潤滑剤の重量に基づく。熱伝達組成物中の示された量の範囲内の本段落に記載の安定化剤は、本明細書において安定化剤９と呼ばれる。
【０２０１】
本発明の熱伝達組成物は、好ましくは、潤滑剤と、冷媒１と、ファルネセン、アルキル化ナフタレン４及びＢＨＴを含む安定化剤組成物とを含むことができ、ファルネセンは、約０．０００１重量％〜約５重量％の量で提供され、アルキル化ナフタレン４は、約０．０００１重量％〜約１０重量％の量で提供され、ＢＨＴは、約０．０００１重量％〜約５重量％の量で提供され、これらの百分率は安定化剤の重量及び潤滑剤の重量に基づく。熱伝達組成物中の示された量の範囲内の本段落に記載の安定化剤は、本明細書において安定化剤１０と呼ばれる。
【０２０２】
本発明の熱伝達組成物は、好ましくは、冷媒２及び安定化剤１０を含み得る。
【０２０３】
本発明の熱伝達組成物は、好ましくは、冷媒３及び安定化剤１０を含み得る。
【０２０４】
本発明の熱伝達組成物は、好ましくは、冷媒４及び安定化剤１０を含み得る。
【０２０５】
本発明の熱伝達組成物は、好ましくは、冷媒５及び安定化剤１０を含み得る。
【０２０６】
本発明の熱伝達組成物は、好ましくは、冷媒６及び安定化剤１０を含み得る。
【０２０７】
本発明の熱伝達組成物は、好ましくは、冷媒７及び安定化剤１０を含み得る。
【０２０８】
本発明の熱伝達組成物は、好ましくは、冷媒８及び安定化剤１０を含み得る。
【０２０９】
本発明の熱伝達組成物は、好ましくは、冷媒９及び安定化剤１０を含み得る。
【０２１０】
本発明の熱伝達組成物は、好ましくは、冷媒１０及び安定化剤１０を含み得る。
【０２１１】
本発明の熱伝達組成物は、好ましくは、冷媒１１及び安定化剤１０を含み得る。
【０２１２】
本発明の熱伝達組成物は、好ましくは、冷媒１２及び安定化剤１０を含み得る。
【０２１３】
本発明の熱伝達組成物は、好ましくは、冷媒１３及び安定化剤１０を含み得る。
【０２１４】
本発明の熱伝達組成物は、好ましくは、冷媒１４及び安定化剤１０を含み得る。
【０２１５】
本発明の熱伝達組成物は、好ましくは、冷媒１５及び安定化剤１０を含み得る。
【０２１６】
本発明の熱伝達組成物は、好ましくは、冷媒１６及び安定化剤１０を含み得る。
【０２１７】
本発明の熱伝達組成物は、好ましくは、冷媒１７及び安定化剤１０を含み得る。
【０２１８】
本発明の熱伝達組成物は、好ましくは、冷媒１８及び安定化剤１０を含み得る。
【０２１９】
本発明の熱伝達組成物は、好ましくは、冷媒１９及び安定化剤１０を含み得る。
【０２２０】
本発明の熱伝達組成物は、好ましくは、冷媒２０及び安定化剤１０を含み得る。
【０２２１】
本発明の熱伝達組成物は、好ましくは、冷媒２１及び安定化剤１０を含み得る。
【０２２２】
本発明の熱伝達組成物は、好ましくは、冷媒２２及び安定化剤１０を含み得る。
【０２２３】
本発明の熱伝達組成物は、好ましくは、冷媒２３及び安定化剤１０を含み得る。
【０２２４】
本発明の熱伝達組成物は、好ましくは、冷媒２４及び安定化剤１０を含み得る。
【０２２５】
本発明の熱伝達組成物は、好ましくは、冷媒２５及び安定化剤１０を含み得る。
【０２２６】
本発明の熱伝達組成物は、好ましくは、冷媒２６及び安定化剤１０を含み得る。
【０２２７】
本発明の熱伝達組成物は、好ましくは、冷媒２７及び安定化剤１０を含み得る。
【０２２８】
本発明の熱伝達組成物は、好ましくは、冷媒２８及び安定化剤１０を含み得る。
【０２２９】
本発明の熱伝達組成物は、好ましくは、冷媒２９及び安定化剤１０を含み得る。
【０２３０】
本発明の熱伝達組成物は、好ましくは、冷媒３０及び安定化剤１０を含み得る。
【０２３１】
本発明の熱伝達組成物は、好ましくは、冷媒３１及び安定化剤１０を含み得る。
【０２３２】
本発明の熱伝達組成物は、好ましくは、冷媒３２及び安定化剤１０を含み得る。
【０２３３】
本発明の熱伝達組成物は、好ましくは、冷媒３３及び安定化剤１０を含み得る。
【０２３４】
本発明の熱伝達組成物は、好ましくは、冷媒３４及び安定化剤１０を含み得る。
【０２３５】
本発明の熱伝達組成物は、好ましくは、冷媒３５及び安定化剤１０を含み得る。
【０２３６】
本発明の熱伝達組成物は、好ましくは、冷媒３６及び安定化剤１０を含み得る。
【０２３７】
本発明の熱伝達組成物は、好ましくは、冷媒３７及び安定化剤１０を含み得る。
【０２３８】
本発明の熱伝達組成物は、好ましくは、冷媒３８及び安定化剤１０を含み得る。
【０２３９】
本発明の熱伝達組成物は、好ましくは、冷媒３９及び安定化剤１０を含み得る。
【０２４０】
本発明の熱伝達組成物は、より好ましくは、冷媒１〜３９の各々を含む任意の本発明の冷媒と、ファルネセン、アルキル化ナフタレン４及びＢＨＴを含む安定化剤組成物とを含むことができ、ファルネセンは、０．００１重量％〜約２．５重量％の量で提供され、アルキル化ナフタレン４は、０．００１重量％〜約１０重量％の量で提供され、ＢＨＴは、０．００１重量％〜約２．５重量％の量で提供され、これらの百分率は安定化剤の重量及び冷媒の重量に基づく。
【０２４１】
本発明の熱伝達組成物は、より好ましくは、冷媒１〜３９の各々を含む任意の本発明の冷媒と、ファルネセン、アルキル化ナフタレン４及びＢＨＴを含む安定化剤組成物とを含むことができ、ファルネセンは、０．００１重量％〜約２．５重量％の量で提供され、アルキル化ナフタレン４は、１．５重量％〜約４．５重量％の量で提供され、ＢＨＴは、０．００１重量％〜約２．５重量％の量で提供され、これらの百分率は安定化剤の重量及び冷媒の重量に基づく。
【０２４２】
本発明の熱伝達組成物は、より好ましくは、冷媒１〜３９の各々を含む任意の本発明の冷媒と、ファルネセン、アルキル化ナフタレン４及びＢＨＴを含む安定化剤組成物とを含むことができ、ファルネセンは、０．００１重量％〜約２．５重量％の量で提供され、アルキル化ナフタレン４は、２．５重量％〜３．５重量％の量で提供され、ＢＨＴは、０．００１重量％〜約２．５重量％の量で提供され、これらの百分率は安定化剤の重量及び冷媒の重量に基づく。
【０２４３】
本発明の熱伝達組成物は、より好ましくは、冷媒１〜３９の各々を含む任意の本発明の冷媒と、ファルネセン、アルキル化ナフタレン５及びＢＨＴを含む安定化剤組成物とを含むことができ、ファルネセンは、熱伝達組成物の重量に基づいて約０．００１重量％〜約２．５重量％の量で提供され、アルキル化ナフタレン５は、熱伝達組成物の重量に基づいて約０．００１重量％〜約２．５重量％の量で提供され、ＢＨＴは、熱伝達組成物の重量に基づいて約０．００１重量％〜約２．５重量％の量で提供される。
【０２４４】
本発明の熱伝達組成物は、最も好ましくは、任意の本発明の冷媒と、ファルネセン、アルキル化ナフタレン４及びＢＨＴを含む安定化剤組成物とを含むことができ、ファルネセンは、熱伝達組成物の重量に基づいて約０．０１重量％〜約１重量％の量で提供され、アルキル化ナフタレン４は、熱伝達組成物の重量に基づいて約０．０１重量％〜約１重量％の量で提供され、ＢＨＴは、熱伝達組成物の重量に基づいて約０．０１重量％〜約１重量％の量で提供される。
【０２４５】
冷媒１〜３９の各々を含む熱伝達組成物などの本明細書に記載の本発明の熱伝達組成物の各々は、潤滑剤を更に含んでもよい。一般に、熱伝達組成物は、熱伝達組成物の重量に基づいて、好ましくは約０．１重量％〜約５重量％、又は０．１重量％〜約１重量％、又は０．１重量％〜約０．５重量％の量で潤滑剤を含む。
【０２４６】
冷凍機械に使用されている、ポリオールエステル（ＰＯＥ）、ポリアルキレングリコール（ＰＡＧ）、シリコーン油、鉱物油、アルキルベンゼン（ＡＢ）、ポリビニルエーテル（ＰＶＥ）、及びポリ（α−オレフィン）（ＰＡＯ）などの一般的に使用される冷媒潤滑剤が、本発明の冷媒組成物と共に使用され得る。
【０２４７】
好ましくは、潤滑剤は、ポリオールエステル（ＰＯＥ）、ポリアルキレングリコール（ＰＡＧ）、鉱物油、アルキルベンゼン（ＡＢ）、及びポリビニルエーテル（ＰＶＥ）から、より好ましくはポリオールエステル（ＰＯＥ）、鉱物油、アルキルベンゼン（ＡＢ）、及びポリビニルエーテル（ＰＶＥ）から、特にポリオールエステル（ＰＯＥ）、鉱物油、及びアルキルベンゼン（ＡＢ）、ポリエーテルから、最も好ましくはポリオールエステル（ＰＯＥ）から選択される。
【０２４８】
市販のポリビニルエーテルとしては、Ｉｄｅｍｉｔｓｕから商品名ＦＶＣ３２Ｄ及びＦＶＣ６８Ｄとして販売されている潤滑剤が挙げられる。
【０２４９】
市販の鉱物油には、ＷｉｔｃｏのＷｉｔｃｏ  ＬＰ  ２５０（登録商標）、ＷｉｔｃｏのＳｕｎｉｓｏ  ３ＧＳ、及びＣａｌｕｍｅｔのＣａｌｕｍｅｔ  Ｒ０１５が含まれる。市販のアルキルベンゼン潤滑剤には、Ｓｈｒｉｅｖｅ  ＣｈｅｍｉｃａｌのＺｅｒｏｌ  １５０（登録商標）及びＺｅｒｏｌ  ３００（登録商標）が含まれる。市販のＰＯＥとしては、Ｅｍｅｒｙ  ２９１７（登録商標）及びＨａｔｃｏｌ  ２３７０（登録商標）として入手可能なジペラルゴン酸ネオペンチルグリコール、並びにＣＰＩ  Ｆｌｕｉｄ  Ｅｎｇｉｎｅｅｒｉｎｇによって商品名Ｅｍｋａｒａｔｅ  ＲＬ３２−３ＭＡＦ及びＥｍｋａｒａｔｅ  ＲＬ６８Ｈとして販売されているものなどのペンタエリスリトール誘導体が挙げられる。Ｅｍｋａｒａｔｅ  ＲＬ３２−３ＭＡＦ及びＥｍｋａｒａｔｅ  ＲＬ６８Ｈは、以下で特定される特性を有する好ましいＰＯＥ潤滑剤である。
【０２５０】
【表Ａ】
2020536994.tif 000005
【０２５１】
ＡＳＴＭ  Ｄ４４５に従って測定された４０℃での粘度が約３０〜約７０であるＰＯＥから本質的になる潤滑剤は、本明細書において潤滑剤１と呼ばれる。
【０２５２】
好ましい熱伝達組成物は、冷媒２及び潤滑剤１を含む。
【０２５３】
好ましい熱伝達組成物は、冷媒３及び潤滑剤１を含む。
【０２５４】
好ましい熱伝達組成物は、冷媒４及び潤滑剤１を含む。
【０２５５】
好ましい熱伝達組成物は、冷媒５及び潤滑剤１を含む。
【０２５６】
好ましい熱伝達組成物は、冷媒６及び潤滑剤１を含む。
【０２５７】
好ましい熱伝達組成物は、冷媒７及び潤滑剤１を含む。
【０２５８】
好ましい熱伝達組成物は、冷媒８及び潤滑剤１を含む。
【０２５９】
好ましい熱伝達組成物は、冷媒９及び潤滑剤１を含む。
【０２６０】
好ましい熱伝達組成物は、冷媒１０及び潤滑剤１を含む。
【０２６１】
好ましい熱伝達組成物は、冷媒１１及び潤滑剤１を含む。
【０２６２】
好ましい熱伝達組成物は、冷媒１２及び潤滑剤１を含む。
【０２６３】
好ましい熱伝達組成物は、冷媒１３及び潤滑剤１を含む。
【０２６４】
好ましい熱伝達組成物は、冷媒１４及び潤滑剤１を含む。
【０２６５】
好ましい熱伝達組成物は、冷媒１５及び潤滑剤１を含む。
【０２６６】
好ましい熱伝達組成物は、冷媒１６及び潤滑剤１を含む。
【０２６７】
好ましい熱伝達組成物は、冷媒１７及び潤滑剤１を含む。
【０２６８】
好ましい熱伝達組成物は、冷媒１８及び潤滑剤１を含む。
【０２６９】
好ましい熱伝達組成物は、冷媒１９及び潤滑剤１を含む。
【０２７０】
好ましい熱伝達組成物は、冷媒２０及び潤滑剤１を含む。
【０２７１】
好ましい熱伝達組成物は、冷媒２１及び潤滑剤１を含む。
【０２７２】
好ましい熱伝達組成物は、冷媒２２及び潤滑剤１を含む。
【０２７３】
好ましい熱伝達組成物は、冷媒２３及び潤滑剤１を含む。
【０２７４】
好ましい熱伝達組成物は、冷媒２４及び潤滑剤１を含む。
【０２７５】
好ましい熱伝達組成物は、冷媒２５及び潤滑剤１を含む。
【０２７６】
好ましい熱伝達組成物は、冷媒２６及び潤滑剤１を含む。
【０２７７】
好ましい熱伝達組成物は、冷媒２７及び潤滑剤１を含む。
【０２７８】
好ましい熱伝達組成物は、冷媒２８及び潤滑剤１を含む。
【０２７９】
好ましい熱伝達組成物は、冷媒２９及び潤滑剤１を含む。
【０２８０】
好ましい熱伝達組成物は、冷媒３０及び潤滑剤１を含む。
【０２８１】
好ましい熱伝達組成物は、冷媒３１及び潤滑剤１を含む。
【０２８２】
好ましい熱伝達組成物は、冷媒３２及び潤滑剤１を含む。
【０２８３】
好ましい熱伝達組成物は、冷媒３３及び潤滑剤１を含む。
【０２８４】
好ましい熱伝達組成物は、冷媒３４及び潤滑剤１を含む。
【０２８５】
好ましい熱伝達組成物は、冷媒３５及び潤滑剤１を含む。
【０２８６】
好ましい熱伝達組成物は、冷媒３６及び潤滑剤１を含む。
【０２８７】
好ましい熱伝達組成物は、冷媒３７及び潤滑剤１を含む。
【０２８８】
好ましい熱伝達組成物は、冷媒３８及び潤滑剤１を含む。
【０２８９】
好ましい熱伝達組成物は、冷媒３９及び潤滑剤１を含む。
【０２９０】
本発明の熱伝達組成物は、冷媒１〜３９と、安定化剤１〜１０の各々を含む本発明の安定化剤組成物と、本明細書に記載の潤滑剤とから本質的になるか、又はこれらからなり得る。
【０２９１】
好ましい熱伝達組成物は、冷媒１と、約０．１％〜約５％、又は約０．１％〜約１％、又は約０．１％〜約０．５％の潤滑剤とを含み、当該百分率は熱伝達組成物中の潤滑剤の重量に基づく。
【０２９２】
好ましい熱伝達組成物は、冷媒１と、熱伝達組成物の重量に基づいて約０．１％〜約５％、又は約０．１％〜約１％、又は約０．１％〜約０．５％のポリオールエステル（ＰＯＥ）潤滑剤であって、ＡＳＴＭ  Ｄ４４５に従って測定された４０℃での粘度が約３０ｃＳｔ〜約７０ｃＳｔであるＰＯＥ潤滑剤とを含む。ＡＳＴＭ  Ｄ４４５に従って測定された４０℃での粘度が約３０ｃＳｔ〜約７０ｃＳｔであるポリオールエステル（ＰＯＥ）潤滑剤は、便宜上、潤滑剤２と呼ばれる。
【０２９３】
冷媒１〜３９の各々を含む熱伝達組成物などの本発明の熱伝達組成物中の潤滑剤１の量は、好ましくは、熱伝達組成物の総重量に基づいて約０．１％〜約５％の量で存在する。
【０２９４】
冷媒１〜３９の各々を含む熱伝達組成物などの本発明の熱伝達組成物中の潤滑剤１の量は、好ましくは、熱伝達組成物の総重量に基づいて約０．１％〜約１％の量で存在する。
【０２９５】
冷媒１〜３９の各々を含む熱伝達組成物などの本発明の熱伝達組成物中の潤滑剤１の量は、好ましくは、熱伝達組成物の総重量に基づいて約０．１％〜約０．５％の量で存在する。
【０２９６】
好ましい熱伝達組成物は、冷媒２及び潤滑剤２を含む。
【０２９７】
好ましい熱伝達組成物は、冷媒３及び潤滑剤２を含む。
【０２９８】
好ましい熱伝達組成物は、冷媒４及び潤滑剤２を含む。
【０２９９】
好ましい熱伝達組成物は、冷媒５及び潤滑剤２を含む。
【０３００】
好ましい熱伝達組成物は、冷媒６及び潤滑剤２を含む。
【０３０１】
好ましい熱伝達組成物は、冷媒７及び潤滑剤２を含む。
【０３０２】
好ましい熱伝達組成物は、冷媒８及び潤滑剤２を含む。
【０３０３】
好ましい熱伝達組成物は、冷媒９及び潤滑剤２を含む。
【０３０４】
好ましい熱伝達組成物は、冷媒１０及び潤滑剤２を含む。
【０３０５】
好ましい熱伝達組成物は、冷媒１１及び潤滑剤２を含む。
【０３０６】
好ましい熱伝達組成物は、冷媒１２及び潤滑剤２を含む。
【０３０７】
好ましい熱伝達組成物は、冷媒１３及び潤滑剤２を含む。
【０３０８】
好ましい熱伝達組成物は、冷媒１４及び潤滑剤２を含む。
【０３０９】
好ましい熱伝達組成物は、冷媒１５及び潤滑剤２を含む。
【０３１０】
好ましい熱伝達組成物は、冷媒１６及び潤滑剤２を含む。
【０３１１】
好ましい熱伝達組成物は、冷媒１７及び潤滑剤２を含む。
【０３１２】
好ましい熱伝達組成物は、冷媒１８及び潤滑剤２を含む。
【０３１３】
好ましい熱伝達組成物は、冷媒１９及び潤滑剤２を含む。
【０３１４】
好ましい熱伝達組成物は、冷媒２０及び潤滑剤２を含む。
【０３１５】
好ましい熱伝達組成物は、冷媒２１及び潤滑剤２を含む。
【０３１６】
好ましい熱伝達組成物は、冷媒２２及び潤滑剤２を含む。
【０３１７】
好ましい熱伝達組成物は、冷媒２３及び潤滑剤２を含む。
【０３１８】
好ましい熱伝達組成物は、冷媒２４及び潤滑剤２を含む。
【０３１９】
好ましい熱伝達組成物は、冷媒２５及び潤滑剤２を含む。
【０３２０】
好ましい熱伝達組成物は、冷媒２６及び潤滑剤２を含む。
【０３２１】
好ましい熱伝達組成物は、冷媒２７及び潤滑剤２を含む。
【０３２２】
好ましい熱伝達組成物は、冷媒２８及び潤滑剤２を含む。
【０３２３】
好ましい熱伝達組成物は、冷媒２９及び潤滑剤２を含む。
【０３２４】
好ましい熱伝達組成物は、冷媒３０及び潤滑剤２を含む。
【０３２５】
好ましい熱伝達組成物は、冷媒３１及び潤滑剤２を含む。
【０３２６】
好ましい熱伝達組成物は、冷媒３２及び潤滑剤２を含む。
【０３２７】
好ましい熱伝達組成物は、冷媒３３及び潤滑剤２を含む。
【０３２８】
好ましい熱伝達組成物は、冷媒３４及び潤滑剤２を含む。
【０３２９】
好ましい熱伝達組成物は、冷媒３５及び潤滑剤２を含む。
【０３３０】
好ましい熱伝達組成物は、冷媒３６及び潤滑剤２を含む。
【０３３１】
好ましい熱伝達組成物は、冷媒３７及び潤滑剤２を含む。
【０３３２】
好ましい熱伝達組成物は、冷媒３８及び潤滑剤２を含む。
【０３３３】
好ましい熱伝達組成物は、冷媒３９及び潤滑剤２を含む。
【０３３４】
本発明の熱伝達組成物は、好ましくは、冷媒１、安定化剤１、及び潤滑剤１を含み得る。
【０３３５】
本発明の熱伝達組成物は、好ましくは、冷媒２、安定化剤１、及び潤滑剤１を含み得る。
【０３３６】
本発明の熱伝達組成物は、好ましくは、冷媒３、安定化剤１、及び潤滑剤１を含み得る。
【０３３７】
本発明の熱伝達組成物は、好ましくは、冷媒４、安定化剤１、及び潤滑剤１を含み得る。
【０３３８】
本発明の熱伝達組成物は、好ましくは、冷媒５、安定化剤１、及び潤滑剤１を含み得る。
【０３３９】
本発明の熱伝達組成物は、好ましくは、冷媒６、安定化剤１、及び潤滑剤１を含み得る。
【０３４０】
本発明の熱伝達組成物は、好ましくは、冷媒７、安定化剤１、及び潤滑剤１を含み得る。
【０３４１】
本発明の熱伝達組成物は、好ましくは、冷媒８、安定化剤１、及び潤滑剤１を含み得る。
【０３４２】
本発明の熱伝達組成物は、好ましくは、冷媒９、安定化剤１、及び潤滑剤１を含み得る。
【０３４３】
本発明の熱伝達組成物は、好ましくは、冷媒１０、安定化剤１、及び潤滑剤１を含み得る。
【０３４４】
本発明の熱伝達組成物は、好ましくは、冷媒１１、安定化剤１、及び潤滑剤１を含み得る。
【０３４５】
本発明の熱伝達組成物は、好ましくは、冷媒１２、安定化剤１、及び潤滑剤１を含み得る。
【０３４６】
本発明の熱伝達組成物は、好ましくは、冷媒１３、安定化剤１、及び潤滑剤１を含み得る。
【０３４７】
本発明の熱伝達組成物は、好ましくは、冷媒１４、安定化剤１、及び潤滑剤１を含み得る。
【０３４８】
本発明の熱伝達組成物は、好ましくは、冷媒１５、安定化剤１、及び潤滑剤１を含み得る。
【０３４９】
本発明の熱伝達組成物は、好ましくは、冷媒１６、安定化剤１、及び潤滑剤１を含み得る。
【０３５０】
本発明の熱伝達組成物は、好ましくは、冷媒１７、安定化剤１、及び潤滑剤１を含み得る。
【０３５１】
本発明の熱伝達組成物は、好ましくは、冷媒１８、安定化剤１、及び潤滑剤１を含み得る。
【０３５２】
本発明の熱伝達組成物は、好ましくは、冷媒１９、安定化剤１、及び潤滑剤１を含み得る。
【０３５３】
本発明の熱伝達組成物は、好ましくは、冷媒２０、安定化剤１、及び潤滑剤１を含み得る。
【０３５４】
本発明の熱伝達組成物は、好ましくは、冷媒２１、安定化剤１、及び潤滑剤１を含み得る。
【０３５５】
本発明の熱伝達組成物は、好ましくは、冷媒２２、安定化剤１、及び潤滑剤１を含み得る。
【０３５６】
本発明の熱伝達組成物は、好ましくは、冷媒２３、安定化剤１、及び潤滑剤１を含み得る。
【０３５７】
本発明の熱伝達組成物は、好ましくは、冷媒２４、安定化剤１、及び潤滑剤１を含み得る。
【０３５８】
本発明の熱伝達組成物は、好ましくは、冷媒２５、安定化剤１、及び潤滑剤１を含み得る。
【０３５９】
本発明の熱伝達組成物は、好ましくは、冷媒２６、安定化剤１、及び潤滑剤１を含み得る。
【０３６０】
本発明の熱伝達組成物は、好ましくは、冷媒２７、安定化剤１、及び潤滑剤１を含み得る。
【０３６１】
本発明の熱伝達組成物は、好ましくは、冷媒２８、安定化剤１、及び潤滑剤１を含み得る。
【０３６２】
本発明の熱伝達組成物は、好ましくは、冷媒２９、安定化剤１、及び潤滑剤１を含み得る。
【０３６３】
本発明の熱伝達組成物は、好ましくは、冷媒３０、安定化剤１、及び潤滑剤１を含み得る。
【０３６４】
本発明の熱伝達組成物は、好ましくは、冷媒３１、安定化剤１、及び潤滑剤１を含み得る。
【０３６５】
本発明の熱伝達組成物は、好ましくは、冷媒３２、安定化剤１、及び潤滑剤１を含み得る。
【０３６６】
本発明の熱伝達組成物は、好ましくは、冷媒３３、安定化剤１、及び潤滑剤１を含み得る。
【０３６７】
本発明の熱伝達組成物は、好ましくは、冷媒３４、安定化剤１、及び潤滑剤１を含み得る。
【０３６８】
本発明の熱伝達組成物は、好ましくは、冷媒３５、安定化剤１、及び潤滑剤１を含み得る。
【０３６９】
本発明の熱伝達組成物は、好ましくは、冷媒３６、安定化剤１、及び潤滑剤１を含み得る。
【０３７０】
本発明の熱伝達組成物は、好ましくは、冷媒３７、安定化剤１、及び潤滑剤１を含み得る。
【０３７１】
本発明の熱伝達組成物は、好ましくは、冷媒３８、安定化剤１、及び潤滑剤１を含み得る。
【０３７２】
本発明の熱伝達組成物は、好ましくは、冷媒３９、安定化剤１、及び潤滑剤１を含み得る。
【０３７３】
本発明の新規及び基本的な特徴から逸脱することなく、本明細書に含まれる教示を考慮して、本明細書において言及されていない他の添加剤もまた含まれ得る。
【０３７４】
また、参照により組み込まれている米国特許第６，５１６，８３７号に開示されるように、油溶性を補助するために、界面活性剤及び可溶化剤の組み合わせが本発明の組成物に添加されてもよい。
【０３７５】
出願人らは、本発明の組成物が、とりわけ低いＧＷＰを含む、達成するのが困難な特性の組み合わせを達成することができることを見出した。したがって、本発明の組成物は、約１５００以下、好ましくは約１０００以下、より好ましくは約７５０以下の地球温暖化係数（ＧＷＰ）を有する。本発明の特に好ましい特徴では、本発明の組成物は、約７５０以下の地球温暖化係数（ＧＷＰ）を有する。
【０３７６】
更に、本発明の組成物は、低いオゾン破壊係数（ＯＤＰ）を有する。したがって、本発明の組成物は、約０．０５以下、好ましくは約０．０２以下、より好ましくは約ゼロのオゾン破壊係数（ＯＤＰ）を有する。
【０３７７】
更に、本発明の組成物は、許容可能な毒性を示し、好ましくは約４００より大きい職業暴露限界（ＯＥＬ）を有する。
【０３７８】
方法、使用、及びシステム
本明細書に開示される熱伝達組成物は、空調用途を含む熱伝達用途に使用するために提供され、非常に好ましい空調用途としては、住宅用空調用途、商用空調用途（ルーフトップ用途、ＶＲＦ用途、及び冷却器など）が挙げられる。
【０３７９】
本発明はまた、空調方法を含む熱伝達を提供する方法も含み、非常に好ましい空調方法としては、住宅用空調を提供すること、商用空調を提供すること（ルーフトップ空調を提供する方法、ＶＲＦ空調を提供する方法、及び冷却器を使用する空調を提供する方法など）が挙げられる。
【０３８０】
本発明はまた、空調システムを含む熱伝達システムも含み、非常に好ましい空調システムとしては、住宅用空調システム、商用空調システム（ルーフトップ空調システム、ＶＲＦ空調システム、及び空調冷却器システムなど）が挙げられる。
【０３８１】
本発明はまた、冷凍、ヒートポンプ、及び冷却器（可搬式水冷器及び集中型水冷器を含む）に関連した、熱伝達組成物の使用、熱伝達組成物を使用する方法、並びに熱伝達組成物を含むシステムも提供する。
【０３８２】
本発明の熱伝達組成物のいずれかへの任意の言及は、本明細書に記載される熱伝達組成物の各々いずれかを指す。したがって、本発明の組成物の使用、方法、システム、又は用途の以下の記述に関して、熱伝達組成物は、（ｉ）冷媒１〜３９の各々、（ｉｉ）冷媒１〜３９の各々と安定化剤１〜１０の各々との任意の組み合わせ、（ｉｉｉ）冷媒１〜３９の各々と潤滑剤１〜３を含む任意の潤滑剤との任意の組み合わせ、及び（ｉｖ）冷媒１〜３９の各々と、安定化剤１〜１０の各々と、潤滑剤１〜３を含む任意の潤滑剤との任意の組み合わせを含む、本明細書に記載の任意の冷媒を含むか、又はこれらから本質的になり得る。圧縮機を含む本発明の熱伝達システム、及びシステム内の圧縮機用潤滑剤に関して、システムは、システム内の潤滑剤充填量が、約５重量％〜６０重量％、又は約１０重量％〜約６０重量％、又は約２０重量％〜約５０重量％、又は約２０重量％〜約４０重量％、又は約２０重量％〜約３０重量％、又は約３０重量％〜約５０重量％、又は約３０重量％〜約４０重量％であるように、冷媒及び潤滑剤の充填量を含むことができる。本明細書で使用するとき、用語「潤滑剤充填量」は、システム内に含まれる潤滑剤及び冷媒の合計の割合として、システム内に含まれる潤滑剤の総重量を指す。このようなシステムはまた、熱伝達組成物の約５重量％〜約１０重量％、又は約８重量％の潤滑剤充填量を含み得る。
【０３８３】
本発明による熱伝達システムは、互いに流体連通した圧縮機、蒸発器、凝縮器、及び膨張装置と、冷媒１〜３９のうちのいずれか１つを含む本発明の冷媒と、潤滑剤１〜３を含む潤滑剤と、システム内の封鎖材料とを含むことができ、当該封鎖材料は、好ましくは、
ｉ．銅又は銅合金、又は
ｉｉ．活性アルミナ、又は
ｉｉｉ．銅、銀、鉛、若しくはこれらの組み合わせを含むゼオライトモレキュラーシーブ、又は
ｉｖ．陰イオン交換樹脂、又は
ｖ．水分除去材料、好ましくは水分除去モレキュラーシーブ、又は
ｖｉ．上記のうちの２つ以上の組み合わせ、を含む。
【０３８４】
利便性のために、熱伝達システム又は熱伝達方法が本明細書に記載の封鎖材料（ｉ）〜（ｖ）のうちの少なくとも１つを含む場合、このような材料は、本明細書において便宜上、封鎖材料１と呼ばれる。
【０３８５】
利便性のために、熱伝達システム又は熱伝達方法が少なくとも２つの材料を含む封鎖材料を含み、各材料が本明細書に記載の異なる区分（ｉ）〜（ｖ）から選択される場合、このような材料は、本明細書において便宜上、封鎖材料２と呼ばれる。
【０３８６】
利便性のために、熱伝達システム又は熱伝達方法が本明細書に記載の区分（ｉｉ）〜（ｖ）の各々からの材料を含む封鎖材料を含む場合、このような材料は、本明細書において便宜上、封鎖材料３と呼ばれる。
【０３８７】
利便性のために、熱伝達システム又は熱伝達方法が本明細書に記載の区分（ｉｉ）〜（ｖ）の各々からの材料を含む封鎖材料を含み、区分（ｉｉｉ）の材料が銀を含む場合、このような材料は、本明細書において便宜上、封鎖材料４と呼ばれる。
【０３８８】
本発明による熱伝達システムは、互いに流体連通した圧縮機、蒸発器、凝縮器、及び膨張装置と、冷媒１〜３９の各々を含む本発明の冷媒と、潤滑剤と、封鎖材料１とを含み得る。
【０３８９】
本発明による熱伝達システムは、互いに流体連通した圧縮機、蒸発器、凝縮器、及び膨張装置と、冷媒１〜３９の各々を含む本発明の冷媒と、潤滑剤と、封鎖材料２とを含み得る。
【０３９０】
本発明による熱伝達システムは、互いに流体連通した圧縮機、蒸発器、凝縮器、及び膨張装置と、冷媒１〜３９の各々を含む本発明の冷媒と、潤滑剤と、封鎖材料３とを含み得る。
【０３９１】
本発明による熱伝達システムは、互いに流体連通した圧縮機、蒸発器、凝縮器、及び膨張装置と、冷媒１〜３９の各々を含む本発明の冷媒と、潤滑剤と、封鎖材料４とを含み得る。
【０３９２】
本発明の熱伝達システムは、圧縮機の下流にオイルセパレータを含むシステムを含み、システムは、好ましくは封鎖材料１〜４の各々を含む本発明の１つ以上の封鎖材料を含み、当該封鎖材料は、液体潤滑剤が封鎖材料と接触するように、オイルセパレータの内側に位置するか、又は場合によってはオイルセパレータの外側であるが下流に位置する。
【０３９３】
本発明はまた、凝縮器を出る冷媒液中に位置する、封鎖材料１〜４を含む１つ以上の封鎖材料を含む。
【０３９４】
本発明はまた、冷媒液を蒸発させて冷媒蒸気を生成することと、冷媒蒸気の少なくとも一部分を圧縮機で圧縮することと、複数の繰り返しサイクルにおいて冷媒蒸気を凝縮することと、を含む種類の熱を伝達する方法を含み、当該方法は、
（ａ）冷媒１〜３９の各々を含む本発明による冷媒を提供することと、
（ｂ）所望によるが、好ましくは当該圧縮機に潤滑剤を提供することと、
（ｂ）当該冷媒の少なくとも一部分及び／又は当該潤滑剤の少なくとも一部分を封鎖材料１に曝露することと、を含む。
【０３９５】
本発明はまた、冷媒液を蒸発させて冷媒蒸気を生成することと、冷媒蒸気の少なくとも一部分を圧縮機で圧縮することと、複数の繰り返しサイクルにおいて冷媒蒸気を凝縮することと、を含む種類の熱を伝達する方法を含み、当該方法は、
（ａ）冷媒１〜３９の各々を含む本発明による冷媒を提供することと、
（ｂ）所望によるが、好ましくは当該圧縮機に潤滑剤を提供することと、
（ｂ）当該冷媒の少なくとも一部分及び／又は当該潤滑剤の少なくとも一部分を封鎖材料２に曝露することと、を含む。
【０３９６】
本発明はまた、冷媒液を蒸発させて冷媒蒸気を生成することと、冷媒蒸気の少なくとも一部分を圧縮機で圧縮することと、複数の繰り返しサイクルにおいて冷媒蒸気を凝縮することと、を含む種類の熱を伝達する方法を含み、当該方法は、
（ａ）冷媒１〜３９の各々を含む本発明による冷媒を提供することと、
（ｂ）所望によるが、好ましくは当該圧縮機に潤滑剤を提供することと、
（ｂ）当該冷媒の少なくとも一部分及び／又は当該潤滑剤の少なくとも一部分を封鎖材料３に曝露することと、を含む。
【０３９７】
本発明はまた、冷媒液を蒸発させて冷媒蒸気を生成することと、冷媒蒸気の少なくとも一部分を圧縮機で圧縮することと、複数の繰り返しサイクルにおいて冷媒蒸気を凝縮することと、を含む種類の熱を伝達する方法を含み、当該方法は、
（ａ）冷媒１〜３９の各々を含む本発明による冷媒を提供することと、
（ｂ）所望によるが、好ましくは当該圧縮機に潤滑剤を提供することと、
（ｂ）当該冷媒の少なくとも一部分及び／又は当該潤滑剤の少なくとも一部分を封鎖材料４に曝露することと、を含む。
【０３９８】
本発明はまた、当該曝露温度が好ましくは約１０℃超である、前述の４つの段落のいずれかによる熱伝達方法も含む。
【０３９９】
本発明の他の態様において、封鎖材料１は、少なくとも２種の材料の各々がフィルタ要素内に一緒に含まれるように構成される。本明細書で使用されるとき、「フィルタ要素」という用語は、封鎖材料の各々が物理的に極めて接近して、好ましくはシステム内の本質的に同じ場所に位置する、任意のデバイス、システム、物品、又は容器を指す。
【０４００】
本発明の他の態様において、封鎖材料１は、本発明の熱伝達システムで使用され、本発明の熱伝達方法は、少なくとも２種の材料の各々が中実コア内に一緒に含まれるように構成される。本明細書で使用されるとき、「中実コア」という用語は、かかる材料が当該中実コアを通過する流体にアクセス可能であるように、封鎖材料のうちの２種以上をその中に含有した及び／又は組み込んだ、比較的多孔質の固体を指す。好ましい実施形態において、１種以上の封鎖材料は、中実コアの全体を通して実質的に均一に分配される。
【０４０１】
好ましい実施形態において、本発明の中実コアは、フィルタ要素内に含まれるか、又はそれを備える。
【０４０２】
好ましい実施形態において、封鎖材料１は、少なくとも２種の材料の各々が中実コア内に含まれるように構成される。
【０４０３】
好ましい実施形態において、封鎖材料２は、少なくとも２種の材料の各々がフィルタ要素内に一緒に含まれるように構成される。
【０４０４】
好ましい実施形態において、封鎖材料２は、材料の全てが中実コア内に含まれるように構成される。
【０４０５】
好ましい実施形態において、封鎖材料３は、少なくとも２種の材料の各々がフィルタ要素内に一緒に含まれるように構成される。
【０４０６】
好ましい実施形態において、封鎖材料３は、材料の全てが中実コア内に含まれるように構成される。
【０４０７】
好ましい実施形態において、封鎖材料４は、少なくとも２種の材料の各々がフィルタ要素内に一緒に含まれるように構成される。
【０４０８】
好ましい実施形態において、封鎖材料４は、材料の全てが中実コア内に含まれるように構成される。
【０４０９】
封鎖材料：
封鎖材料に関連して、本発明のシステムは、好ましくは、冷媒１〜３９の各々を含む本発明による冷媒の少なくとも一部分及び／又は潤滑剤１〜４の各々を含む潤滑剤の少なくとも一部分と接触する、封鎖材料１〜４の各々を含む封鎖材料を含み、当該接触時の当該封鎖材料の温度及び／又は当該冷媒の温度及び／又は潤滑剤の温度は、好ましくは少なくとも約１０℃の温度である。本明細書に記載される冷媒のいずれか及び全て並びに封鎖材料のいずれか及び全ては、本発明のシステムにおいて使用することができる。
【０４１０】
ａ．銅／銅合金の封鎖材料
封鎖材料は、銅、又は銅合金、好ましくは銅であり得る。銅合金は、銅に加えて、スズ、アルミニウム、シリコン、ニッケル、又はこれらの組み合わせなどの、１種以上の更なる金属を含み得る。代替的に、又は加えて、銅合金は、炭素、窒素、シリコン、酸素、又はこれらの組み合わせなどの、１種以上の非金属元素を含み得る。
【０４１１】
銅合金は、様々な量の銅を含み得ることが認識されるであろう。例えば、銅合金は、銅合金の総重量に基づいて、銅の少なくとも約５重量％、少なくとも約１５重量％、少なくとも約３０重量％、少なくとも約５０重量％、少なくとも約７０重量％、又は少なくとも約９０重量％を含み得る。また、銅合金は、銅合金の総重量に基づいて、銅の約５重量％〜約９５重量％、約１０重量％〜約９０重量％、約１５重量％〜約８５重量％、約２０重量％〜約８０重量％、約３０重量％〜約７０重量％、又は約４０重量％〜約６０重量％を含み得ることも認識されるであろう。
【０４１２】
代替的に、銅は、封鎖材料として使用され得る。銅金属は、不純物レベルの他の要素又は化合物を含有し得る。例えば、銅の金属は、少なくとも約９９重量％、より好ましくは少なくとも約９９．５重量％、より好ましくは少なくとも約９９．９重量％の元素銅を含有し得る。
【０４１３】
銅又は銅合金は、冷媒が銅又は銅合金の表面に接触することを可能にする、任意の形態であり得る。好ましくは、銅又は銅合金の形態は、銅又は銅合金の表面積を最大にするように（すなわち、冷媒と接触する領域を最大にするように）選択される。
【０４１４】
例えば、金属は、メッシュ、ウール、球、円錐、円筒などの形態であり得る。「球体」という用語は、最大直径と最小直径との差が最大直径の約１０％以下である、三次元形状を指す。
【０４１５】
銅又は銅合金は、少なくとも約１０ｍ２／ｇ、少なくとも約２０ｍ２／ｇ、少なくとも約３０ｍ２／ｇ、少なくとも約４０ｍ２／ｇ、又は少なくとも約５０ｍ２／ｇのＢＥＴ表面積を有し得る。ＢＥＴ表面積は、ＡＳＴＭ  Ｄ６５５６−１０に従って測定され得る。
【０４１６】
封鎖材料が銅又は銅合金を含む場合、銅又は銅合金のＢＥＴ表面積は、冷媒１ｋｇ当たり約０．０１〜約１．５ｍ２、好ましくは冷媒１ｋｇ当たり約０．０２〜約０．５ｍ２であり得る。
【０４１７】
例えば、銅又は銅合金は、冷媒１ｋｇ当たり約０．０８ｍ２の表面積を有し得る。
【０４１８】
ｂ．ゼオライトモレキュラーシーブ封鎖材料
封鎖材料は、ゼオライトモレキュラーシーブを含み得る。ゼオライトモレキュラーシーブは、銅、銀、鉛、又はこれらの組み合わせ、好ましくは少なくとも銀を含む。
【０４１９】
好ましい実施形態では、ゼオライトモレキュラーシーブは、ゼオライトの総重量に基づいて、約１重量％〜約３０％重量％、好ましくは約５重量％〜約２０％重量％の量の金属、好ましくは、特定の実施形態では銀を含有する。
【０４２０】
金属（すなわち銅、銀、及び／又は鉛）は、単一の酸化状態で、又は様々な酸化状態で存在し得る（例えば、銅ゼオライトは、Ｃｕ（Ｉ）及びＣｕ（ＩＩ）の両方を含み得る）。
【０４２１】
ゼオライトモレキュラーシーブは、銀、鉛、及び／又は銅以外の金属を含み得る。
【０４２２】
ゼオライトは、約５〜４０Åのそれらの最大寸法にわたるサイズを有する開口部を有し得る。例えば、ゼオライトは、約３５Å以下のそれらの最大寸法にわたるサイズを有する開口部を有し得る。好ましくは、ゼオライトは、約１５〜約３５Ａのそれらの最大寸法にわたるサイズを有する開口部を有し得る。ＩＯＮＳＩＶ  Ｄ７３１０−Ｃなどのゼオライトは、出願人らが、本発明に従って特定の分解生成物を効果的に除去することを見出した、活性部位を有する。
【０４２３】
封鎖材料が銅、銀、鉛、又はこれらの組み合わせを含むゼオライトモレキュラーシーブを含む場合、モレキュラーシーブ（例えば、ゼオライト）は、熱伝達システム内で処理されているモレキュラーシーブ（例えば、ゼオライト）、冷媒、及び潤滑剤（存在する場合）の総量に対して、約２重量％〜約２５重量％などの、約１重量％〜約３０重量％の量で存在し得る。
【０４２４】
好ましい実施形態において、封鎖材料は、銀を含むゼオライトモレキュラーシーブを含み、かかる実施形態において、モレキュラーシーブは、処理されている熱伝達システム内のモレキュラーシーブ（例えば、ゼオライト）及び潤滑剤の総量に基づいて、潤滑剤１００の重量部当たり（ｐｐｈｌ）、少なくとも５％重量部（ｐｂｗ）、好ましくは約５ｐｂｗ〜約３０ｐｂｗ、又は約５ｐｂｗ〜約２０ｐｂｗの量で存在する。本段落に記載される好ましい実施形態は、本明細書に記載される熱伝達組成物からフッ化物を除去する優れた能力を有することを見出した。更にまた、本段落に記載される好ましい実施形態において、モレキュラーシーブ内に存在する銀の量は、ゼオライトの総重量に基づいて、約１重量％〜約３０重量％、又は好ましくは約５重量％〜約２０重量％である。
【０４２５】
好ましい実施形態において、封鎖材料は、銀を含むゼオライトモレキュラーシーブを含み、かかる実施形態において、モレキュラーシーブ（例えば、ゼオライト）は、処理されている熱伝達システム内のモレキュラーシーブ（例えば、ゼオライト）及び潤滑剤の総量に対して、少なくとも１０ｐｐｈｌ、好ましくは約１０ｐｐｈｌ〜３０ｐｐｈｌ、又は約１０ｐｐｈｌ〜約２０ｐｐｈｌ重量の量で存在し得る。本段落に記載される好ましい実施形態は、本明細書に記載される熱伝達組成物からヨウ化物を除去する優れた能力を有することを見出した。更にまた、本段落に記載される好ましい実施形態において、モレキュラーシーブ内に存在する銀の量は、ゼオライトの総重量に基づいて、約１重量％〜約３０重量％、又は好ましくは約５重量％〜約２０重量％である。
【０４２６】
好ましい実施形態において、封鎖材料は、銀を含むゼオライトモレキュラーシーブを含み、かかる実施形態において、モレキュラーシーブは、処理されている熱伝達システム内のモレキュラーシーブ及び潤滑剤の総量に対して、少なくともｐｐｈｌ、好ましくは約１５ｐｐｈｌ〜３０ｐｐｈｌ、又は約１５ｐｐｈｌ〜約２０ｐｐｈｌ重量の量で存在し得る。本段落に記載される好ましい実施形態は、本明細書に記載される熱伝達組成物のＴＡＮレベルを低減する優れた能力を有することを見出した。更にまた、本段落に記載される好ましい実施形態において、モレキュラーシーブ内に存在する銀の量は、ゼオライトの総重量に基づいて、約１重量％〜約３０重量％、又は好ましくは約５重量％〜約２０重量％である。
【０４２７】
好ましくは、ゼオライトモレキュラーシーブは、システム内のモレキュラーシーブ及び潤滑剤の総量に対して、少なくとも約１５ｐｐｈｌ又は少なくとも約１８ｐｐｈｌの量で存在する。したがって、モレキュラーシーブは、システム内に存在するモレキュラーシーブ及び潤滑剤の総量に対して、約１５ｐｐｈｌ〜約３０ｐｐｈｌ、又は約１８ｐｐｈｌ〜約２５のｐｐｈｌの量で存在し得る。
【０４２８】
ゼオライトは、システム内のモレキュラーシーブ及び潤滑剤の総量に対して、約５ｐｐｈｌ又は約２１ｐｐｈｌの量で存在し得ることが認識されるであろう。
【０４２９】
本明細書に記載されるゼオライトモレキュラーシーブの量は、モレキュラーシーブの乾燥重量を指す。本明細書で使用するとき、封鎖材料の「乾燥重量」という用語は、材料が５０ｐｐｍ以下の水分を有することを意味する。
【０４３０】
陰イオン交換樹脂
封鎖材料は、陰イオン交換樹脂を含み得る。
【０４３１】
好ましくは、陰イオン交換樹脂は、強塩基性陰イオン交換樹脂である。強塩基性陰イオン交換樹脂は、１型樹脂又は２型樹脂であり得る。好ましくは、陰イオン交換樹脂は、１型の強塩基性陰イオン交換樹脂である。
【０４３２】
陰イオン交換樹脂は、一般に、正に荷電したマトリックス及び交換可能な陰イオンを含む。交換可能な陰イオンは、塩化物陰イオン（Ｃｌ−）及び／又はヒドロオキシ陰イオン（ＯＨ−）であり得る。
【０４３３】
陰イオン交換樹脂は、任意の形態で提供され得る。例えば、陰イオン交換樹脂は、ビーズとして提供され得る。ビーズは、乾燥時に、約０．３ｍｍ〜約１．２ｍｍのそれらの最大寸法にわたるサイズを有し得る。
【０４３４】
封鎖材料が陰イオン交換樹脂を含む場合、陰イオン交換樹脂は、システム内の陰イオン交換樹脂及び潤滑剤の総量に基づいて、約２ｐｐｈｌ〜約２０ｐｐｈｌなどの、約１ｐｐｈｌ〜約６０ｐｐｈｌ、又は約５ｐｐｈｌ〜約６０ｐｐｈｌ、又は約２０ｐｐｈｌ〜約５０ｐｐｈｌ、又は約２０ｐｐｈｌ〜約３０ｐｐｈｌ、又は約１ｐｐｈｌ約２５ｐｐｈｌの量で存在し得る。
【０４３５】
好ましくは、陰イオン交換樹脂は、システム内の陰イオン交換樹脂及び潤滑剤の総量に対して、少なくとも約１０ｐｐｈｌ、又は少なくとも約１５ｐｐｈｌの量で存在する。したがって、陰イオン交換樹脂は、システム内の陰イオン交換樹脂及び潤滑剤の総量に対して、約１０ｐｐｈｌ〜約２５ｐｐｈｌ、又は約１５ｐｐｈｌ〜約２０ｐｐｈｌの量で存在し得る。
【０４３６】
陰イオン交換樹脂は、システム内に存在する陰イオン交換樹脂及び潤滑剤の総量に基づいて、約４ｐｐｈｌ又は約１６ｐｐｈｌの量で存在し得ることが認識されるであろう。
【０４３７】
出願人らは、特にＡｍｂｅｒｌｙｓｔ  Ａ２１（遊離塩基）の商品名で販売されている材料を含む、産業グレードの弱塩基性陰イオン交換吸着材樹脂が、封鎖材料として作用するという予想外に有利な能力を見出した。本明細書で使用するとき、弱塩基アニオン樹脂は、遊離塩基形態の樹脂を指し、この樹脂は、好ましくは、三級アミン（無荷電）によってｅ官能化される。三級アミンは、窒素上に１つの自由孤立電子対を含み、これは、酸の存在下で容易にプロトン化される。好ましい実施形態において、本発明に従って使用されるイオン交換樹脂は、酸によってプロトン化され、次いで、任意の追加的な種を溶液中に戻すことに寄与することなく、完全に酸を除去するために、陰イオンの対イオンを引き付け、結合する。
【０４３８】
Ａｍｂｅｒｌｙｓｔ  Ａ２１は、出願人らが、物理的に非常に安定させ、かつ破損に抵抗させるようにするマクロ多孔性構造を提供するので有利であると見出したこと、及び出願人らが、比較的長い期間にわたって、好ましくはシステムの寿命にわたって、冷凍システムの高い流速に耐え得ることができることを見出したことから、好ましい材料である。
【０４３９】
本明細書に記載される陰イオン交換樹脂の量は、陰イオン交換樹脂の乾燥重量を指す。本明細書で使用するとき、封鎖材料の「乾燥重量」という用語は、材料が５０ｐｐｍ以下の水分を有することを意味する。
【０４４０】
本明細書で使用するとき、特定の封鎖材料のｐｐｈｌは、システムの内のその特定の封鎖材料及び潤滑剤の総重量に基づく特定の封鎖材料の重量百分率意味する。
【０４４１】
ｃ．水分除去材料
好ましい封鎖材料は、水分除去材料である。好ましい実施形態において、水分除去材料は、水分除去モレキュラーシーブを含むか、基本的にそれからなるか、又はそれからなる。好ましい水分除去モレキュラーシーブは、アルミノケイ酸ナトリウムモレキュラーシーブとして一般的に知られているものを含み、かかる材料は、好ましくは、シリカ及びアルミナ四面体の三次元相互接続ネットワークを有する結晶金属アルミノケイ酸である。出願人らは、かかる材料が、水分を除去するために本発明のシステムにおいて効果的であり、また、最も好ましくは、タイプ３Ａ、４Ａ、５Ａ、及び１３Ｘとして、孔サイズに従って分類されることを見出した。
【０４４２】
水分除去材料、及び特に水分除去モレキュラーシーブ、更により好ましくはアルミノケイ酸ナトリウムモレキュラーシーブが、好ましくは、約１５ｐｐｈｌ〜約６０ｐｐｈｌ重量、更により好ましくは、約３０ｐｐｈｌ〜４５ｐｐｈｌ重量である。
【０４４３】
ｄ．活性アルミナ
出願人らが本発明に従って効果的であることを見出し、かつ市販されている活性アルミナの例としては、ＢＡＳＦによってＦ２００の商品名で、及びＨｏｎｅｙｗｅｌｌ／ＵＯＰによってＣＬＲ−２０４の商品名で販売されているナトリウム活性アルミナが挙げられる。出願人らは、本発明の冷媒組成物並びに熱伝達方法及び装置に関連して生成される酸性の有害な材料の種類を封鎖するために、一般に活性アルミナ、特に上で述べたナトリウム活性アルミナが、特に効果的であることを見出した。
【０４４４】
封鎖材料が活性アルミナを含む場合、活性アルミナは、約１ｐｐｈｌ〜約６０ｐｐｈｌ、又は約５ｐｐｈｌ〜約６０ｐｐｈｌ重量で存在し得る。
【０４４５】
ｅ．封鎖材料の組み合わせ
本発明の組成物は、封鎖材料の組み合わせを含み得る。
【０４４６】
例えば、封鎖材料は、少なくとも、（ｉ）銅又は銅合金と、（ｉｉ）銅、銀、鉛、又はこれらの組み合わせを含むモレキュラーシーブ（例えば、ゼオライト）と、を含み得る。
【０４４７】
曝露が３０℃超及び未満の両方の温度で実行された場合、予想外の結果を生じる好ましい実施形態において、封鎖材料は、（ｉ）銅、銀、鉛、又はこれらの組み合わせを含むモレキュラーシーブ（例えば、ゼオライト）と、（ｉｉ）陰イオン交換樹脂と、を含み得る。
【０４４８】
代替的に、封鎖材料は、（ｉ）銅又は銅合金と、（ｉｉ）陰イオン交換樹脂と、を含み得る。
【０４４９】
封鎖材料の組み合わせが陰イオン交換樹脂を含む場合、陰イオン交換樹脂は、好ましくは、システム内の陰イオン交換樹脂及び潤滑剤の総量に基づいて、約２ｐｐｈｌ〜約２０ｐｐｈｌなどの、約１ｐｐｈｌ〜約２５ｐｐｈｌの量で存在し得る。
【０４５０】
好ましくは、封鎖材料の組み合わせが陰イオン交換樹脂を含む場合、陰イオン交換樹脂は、システム内に存在する陰イオン交換樹脂及び潤滑剤の総量に基づいて、少なくとも約１０ｐｐｈｌ又は少なくとも約１５ｐｐｈｌの量で存在する。したがって、陰イオン交換樹脂は、システム内に存在する陰イオン交換樹脂及び潤滑剤の総量に対して、約１０ｐｐｈｌ〜約２５ｐｐｈｌ、又は約１５ｐｐｈｌ〜約２０ｐｐｈｌの量で存在し得る。
【０４５１】
陰イオン交換樹脂は、システム内に存在する陰イオン交換樹脂及び潤滑剤の総量に対して、約４ｐｐｈｌ又は約１６ｐｐｈｌの量で存在し得ることが認識されるであろう。
【０４５２】
本明細書に記載される陰イオン交換樹脂の量は、陰イオン交換樹脂の乾燥重量を指す。本明細書で使用するとき、封鎖材料の「乾燥重量」という用語は、材料が５０ｐｐｍ以下の水分を有することを意味する。
【０４５３】
封鎖材料の組み合わせが、銅、銀、鉛、又はこれらの組み合わせを含むモレキュラーシーブ（例えば、ゼオライト）を含む場合、モレキュラーシーブ（例えば、ゼオライト）は、システム内に存在するモレキュラーシーブ（例えば、ゼオライト）及び潤滑剤の総量に基づいて、約２ｐｐｈｌ〜約２５ｐｐｈｌなどの、約１ｐｐｈｌ〜約３０ｐｐｈｌの量で存在し得る。
【０４５４】
好ましくは、封鎖材料の組み合わせがモレキュラーシーブ（例えば、ゼオライト）を含む場合、モレキュラーシーブ（例えば、ゼオライト）は、システム内に存在するモレキュラーシーブ（例えば、ゼオライト）及び潤滑剤の総量に対して、少なくとも約１５ｐｐｈｌ又は少なくとも約１８ｐｐｈｌの量で存在する。したがって、モレキュラーシーブ（例えば、ゼオライト）は、システム内に存在するモレキュラーシーブ（例えば、ゼオライト）及び潤滑剤の総量に対して、約１５ｐｐｈｌ〜約３０ｐｐｈｌ又は約１８ｐｐｈｌ〜約２５ｐｐｈｌの量で存在し得る。
【０４５５】
モレキュラーシーブ（例えば、ゼオライト）は、システム内に存在するモレキュラーシーブ（例えば、ゼオライト）及び潤滑剤の総量に基づいて、約５ｐｐｈｌ又は約２１ｐｐｈｌの量で存在し得ることが認識されるであろう。
【０４５６】
本明細書に記載されるモレキュラーシーブ（例えば、ゼオライト）の量は、金属ゼオライトの乾燥重量を指す。
【０４５７】
封鎖材料の組み合わせが銅又は銅合金を含む場合、銅又は銅合金は、冷媒１ｋｇ当たり約０．０１ｍ２〜約１．５ｍ２、又は冷媒１ｋｇ当たり約０．０２ｍ２〜約０．５ｍ２の表面積を有し得る。
【０４５８】
銅又は銅合金は、冷媒１ｋｇ当たり約０．０８ｍ２の表面積を有し得ることが認識されるであろう。
【０４５９】
封鎖材料の組み合わせが存在する場合、材料は、互いに対して任意の比率で提供され得る。
【０４６０】
例えば、封鎖材料が陰イオン交換樹脂及びモレキュラーシーブ（例えば、ゼオライト）を含む場合、陰イオン交換樹脂とモレキュラーシーブ（例えば、ゼオライト）との重量比（乾燥時）は、好ましくは、約１０：９０〜約９０：１０、約２０：８０〜約８０：２０、約２５：７５〜約７５：２５、約３０：７０〜約７０：３０、又は約６０：４０〜約４０：６０の範囲である。陰イオン交換樹脂と金属ゼオライトとの例示的な重量比としては、約２５：７５、約５０：５０、及び約７５：２５が挙げられる。
【０４６１】
使用、設備、及びシステム
好ましい実施形態において、住宅用空調システム及び方法は、約０℃〜約１０℃の範囲内の冷媒蒸発温度を有し、凝縮温度は約４０℃〜約７０℃の範囲内である。
【０４６２】
好ましい実施形態において、加熱モードで使用される住宅用空調システム及び方法は、約−２０℃〜約３℃の範囲内の冷媒蒸発温度を有し、凝縮温度は約３５℃〜約５０℃の範囲内である。
【０４６３】
好ましい実施形態において、商用空調システム及び方法は、約０℃〜約１０℃の範囲内の冷媒蒸発温度を有し、凝縮温度は約４０℃〜約７０℃の範囲内である。
【０４６４】
好ましい実施形態において、温水システム及び方法は、約−２０℃〜約３℃の範囲内の冷媒蒸発温度を有し、凝縮温度は約５０℃〜約９０℃の範囲内である。
【０４６５】
好ましい実施形態において、中温システム及び方法は、約−１２℃〜約０℃の範囲内の冷媒蒸発温度を有し、凝縮温度は約４０℃〜約７０℃の範囲内である。
【０４６６】
好ましい実施形態において、低温システム及び方法は、約−４０℃〜約−１２℃の範囲内の冷媒蒸発温度を有し、凝縮温度は約４０℃〜約７０℃の範囲内である。
【０４６７】
好ましい実施形態において、ルーフトップ空調システム及び方法は、約０℃〜約１０℃の範囲内の冷媒蒸発温度を有し、凝縮温度は約４０℃〜約７０℃の範囲内である。
【０４６８】
好ましい実施形態において、ＶＲＦシステム及び方法は、約０℃〜約１０℃の範囲内の冷媒蒸発温度を有し、凝縮温度は約４０℃〜約７０℃の範囲内である。
【０４６９】
本発明は、住宅用空調システムにおける、冷媒１を含む熱伝達組成物の使用を含む。
【０４７０】
したがって、本発明は、住宅用空調システムにおける、冷媒２を含む熱伝達組成物の使用を含む。
【０４７１】
したがって、本発明は、住宅用空調システムにおける、冷媒３を含む熱伝達組成物の使用を含む。
【０４７２】
したがって、本発明は、住宅用空調システムにおける、冷媒４を含む熱伝達組成物の使用を含む。
【０４７３】
したがって、本発明は、住宅用空調システムにおける、冷媒５を含む熱伝達組成物の使用を含む。
【０４７４】
したがって、本発明は、住宅用空調システムにおける、冷媒６を含む熱伝達組成物の使用を含む。
【０４７５】
したがって、本発明は、住宅用空調システムにおける、冷媒７を含む熱伝達組成物の使用を含む。
【０４７６】
したがって、本発明は、住宅用空調システムにおける、冷媒８を含む熱伝達組成物の使用を含む。
【０４７７】
したがって、本発明は、住宅用空調システムにおける、冷媒９を含む熱伝達組成物の使用を含む。
【０４７８】
したがって、本発明は、住宅用空調システムにおける、冷媒１０を含む熱伝達組成物の使用を含む。
【０４７９】
したがって、本発明は、住宅用空調システムにおける、冷媒１１を含む熱伝達組成物の使用を含む。
【０４８０】
したがって、本発明は、住宅用空調システムにおける、冷媒１２を含む熱伝達組成物の使用を含む。
【０４８１】
したがって、本発明は、住宅用空調システムにおける、冷媒１３を含む熱伝達組成物の使用を含む。
【０４８２】
したがって、本発明は、住宅用空調システムにおける、冷媒１４を含む熱伝達組成物の使用を含む。
【０４８３】
したがって、本発明は、住宅用空調システムにおける、冷媒１５を含む熱伝達組成物の使用を含む。
【０４８４】
したがって、本発明は、住宅用空調システムにおける、冷媒１６を含む熱伝達組成物の使用を含む。
【０４８５】
したがって、本発明は、住宅用空調システムにおける、冷媒１７を含む熱伝達組成物の使用を含む。
【０４８６】
したがって、本発明は、住宅用空調システムにおける、冷媒１８を含む熱伝達組成物の使用を含む。
【０４８７】
したがって、本発明は、住宅用空調システムにおける、冷媒１９を含む熱伝達組成物の使用を含む。
【０４８８】
したがって、本発明は、住宅用空調システムにおける、冷媒２０を含む熱伝達組成物の使用を含む。
【０４８９】
したがって、本発明は、住宅用空調システムにおける、冷媒２１を含む熱伝達組成物の使用を含む。
【０４９０】
したがって、本発明は、住宅用空調システムにおける、冷媒２２を含む熱伝達組成物の使用を含む。
【０４９１】
したがって、本発明は、住宅用空調システムにおける、冷媒２３を含む熱伝達組成物の使用を含む。
【０４９２】
したがって、本発明は、住宅用空調システムにおける、冷媒２４を含む熱伝達組成物の使用を含む。
【０４９３】
したがって、本発明は、住宅用空調システムにおける、冷媒２５を含む熱伝達組成物の使用を含む。
【０４９４】
したがって、本発明は、住宅用空調システムにおける、冷媒２６を含む熱伝達組成物の使用を含む。
【０４９５】
したがって、本発明は、住宅用空調システムにおける、冷媒２７を含む熱伝達組成物の使用を含む。
【０４９６】
したがって、本発明は、住宅用空調システムにおける、冷媒２８を含む熱伝達組成物の使用を含む。
【０４９７】
したがって、本発明は、住宅用空調システムにおける、冷媒２９を含む熱伝達組成物の使用を含む。
【０４９８】
したがって、本発明は、住宅用空調システムにおける、冷媒３０を含む熱伝達組成物の使用を含む。
【０４９９】
したがって、本発明は、住宅用空調システムにおける、冷媒３１を含む熱伝達組成物の使用を含む。
【０５００】
したがって、本発明は、住宅用空調システムにおける、冷媒３２を含む熱伝達組成物の使用を含む。
【０５０１】
したがって、本発明は、住宅用空調システムにおける、冷媒３３を含む熱伝達組成物の使用を含む。
【０５０２】
したがって、本発明は、住宅用空調システムにおける、冷媒３４を含む熱伝達組成物の使用を含む。
【０５０３】
したがって、本発明は、住宅用空調システムにおける、冷媒３５を含む熱伝達組成物の使用を含む。
【０５０４】
したがって、本発明は、住宅用空調システムにおける、冷媒３６を含む熱伝達組成物の使用を含む。
【０５０５】
したがって、本発明は、住宅用空調システムにおける、冷媒３７を含む熱伝達組成物の使用を含む。
【０５０６】
したがって、本発明は、住宅用空調システムにおける、冷媒３８を含む熱伝達組成物の使用を含む。
【０５０７】
したがって、本発明は、住宅用空調システムにおける、冷媒３９を含む熱伝達組成物の使用を含む。
【０５０８】
したがって、本発明は、冷却器システムにおける、冷媒１を含む熱伝達組成物の使用を含む。
【０５０９】
したがって、本発明は、冷却器システムにおける、冷媒２を含む熱伝達組成物の使用を含む。
【０５１０】
したがって、本発明は、冷却器システムにおける、冷媒３を含む熱伝達組成物の使用を含む。
【０５１１】
したがって、本発明は、冷却器システムにおける、冷媒４を含む熱伝達組成物の使用を含む。
【０５１２】
したがって、本発明は、冷却器システムにおける、冷媒５を含む熱伝達組成物の使用を含む。
【０５１３】
したがって、本発明は、冷却器システムにおける、冷媒６を含む熱伝達組成物の使用を含む。
【０５１４】
したがって、本発明は、冷却器システムにおける、冷媒７を含む熱伝達組成物の使用を含む。
【０５１５】
したがって、本発明は、冷却器システムにおける、冷媒８を含む熱伝達組成物の使用を含む。
【０５１６】
したがって、本発明は、冷却器システムにおける、冷媒９を含む熱伝達組成物の使用を含む。
【０５１７】
したがって、本発明は、冷却器システムにおける、冷媒１０を含む熱伝達組成物の使用を含む。
【０５１８】
したがって、本発明は、冷却器システムにおける、冷媒１１を含む熱伝達組成物の使用を含む。
【０５１９】
したがって、本発明は、冷却器システムにおける、冷媒１２を含む熱伝達組成物の使用を含む。
【０５２０】
したがって、本発明は、冷却器システムにおける、冷媒１３を含む熱伝達組成物の使用を含む。
【０５２１】
したがって、本発明は、冷却器システムにおける、冷媒１４を含む熱伝達組成物の使用を含む。
【０５２２】
したがって、本発明は、冷却器システムにおける、冷媒１５を含む熱伝達組成物の使用を含む。
【０５２３】
したがって、本発明は、冷却器システムにおける、冷媒１６を含む熱伝達組成物の使用を含む。
【０５２４】
したがって、本発明は、冷却器システムにおける、冷媒１７を含む熱伝達組成物の使用を含む。
【０５２５】
したがって、本発明は、冷却器システムにおける、冷媒１８を含む熱伝達組成物の使用を含む。
【０５２６】
したがって、本発明は、冷却器システムにおける、冷媒１９を含む熱伝達組成物の使用を含む。
【０５２７】
したがって、本発明は、冷却器システムにおける、冷媒２０を含む熱伝達組成物の使用を含む。
【０５２８】
したがって、本発明は、冷却器システムにおける、冷媒２１を含む熱伝達組成物の使用を含む。
【０５２９】
したがって、本発明は、冷却器システムにおける、冷媒２２を含む熱伝達組成物の使用を含む。
【０５３０】
したがって、本発明は、冷却器システムにおける、冷媒２３を含む熱伝達組成物の使用を含む。
【０５３１】
したがって、本発明は、冷却器システムにおける、冷媒２４を含む熱伝達組成物の使用を含む。
【０５３２】
したがって、本発明は、冷却器システムにおける、冷媒２５を含む熱伝達組成物の使用を含む。
【０５３３】
したがって、本発明は、冷却器システムにおける、冷媒２６を含む熱伝達組成物の使用を含む。
【０５３４】
したがって、本発明は、冷却器システムにおける、冷媒２７を含む熱伝達組成物の使用を含む。
【０５３５】
したがって、本発明は、冷却器システムにおける、冷媒２８を含む熱伝達組成物の使用を含む。
【０５３６】
したがって、本発明は、冷却器システムにおける、冷媒２９を含む熱伝達組成物の使用を含む。
【０５３７】
したがって、本発明は、冷却器システムにおける、冷媒３０を含む熱伝達組成物の使用を含む。
【０５３８】
したがって、本発明は、冷却器システムにおける、冷媒３１を含む熱伝達組成物の使用を含む。
【０５３９】
したがって、本発明は、冷却器システムにおける、冷媒３２を含む熱伝達組成物の使用を含む。
【０５４０】
したがって、本発明は、冷却器システムにおける、冷媒３３を含む熱伝達組成物の使用を含む。
【０５４１】
したがって、本発明は、冷却器システムにおける、冷媒３４を含む熱伝達組成物の使用を含む。
【０５４２】
したがって、本発明は、冷却器システムにおける、冷媒３５を含む熱伝達組成物の使用を含む。
【０５４３】
したがって、本発明は、冷却器システムにおける、冷媒３６を含む熱伝達組成物の使用を含む。
【０５４４】
したがって、本発明は、冷却器システムにおける、冷媒３７を含む熱伝達組成物の使用を含む。
【０５４５】
したがって、本発明は、冷却器システムにおける、冷媒３８を含む熱伝達組成物の使用を含む。
【０５４６】
したがって、本発明は、冷却器システムにおける、冷媒３９を含む熱伝達組成物の使用を含む。
【０５４７】
一般的に使用される圧縮機の例としては、本発明の目的では、往復動式、回転式（ローリングピストン及び回転弁を含む）、スクロール式、ねじ式、及び遠心式圧縮機が挙げられる。したがって、本発明は、往復動式、回転式（ローリングピストン及び回転弁を含む）、スクロール式、ねじ式、又は遠心式圧縮機を含む熱伝達システムにおける使用のための、本明細書に記載される冷媒及び／又は熱伝達組成物の各々を提供する。
【０５４８】
一般的に使用される拡張デバイスの例としては、本発明の目的では、キャピラリーチューブ、固定オリフィス、温度膨張弁、及び電子膨張弁が挙げられる。したがって、本発明は、キャピラリーチューブ、固定オリフィス、温度膨張弁、及び電子膨張弁を含む熱伝達システムにおける使用のための、本明細書に記載される冷媒及び／又は熱伝達組成物の各々を提供する。
【０５４９】
本発明の目的では、蒸発器及び凝縮器は、それぞれ、好ましくはフィンチューブ型熱交換器、マイクロチャネル熱交換器、シェルアンドチューブ式、プレート式熱交換器、及びチューブインチューブ式（ｔｕｂｅ−ｉｎ−ｔｕｂｅ）熱交換器から選択される熱交換器の形態であり得る。したがって、本発明は、蒸発器及び凝縮器が、フィンチューブ型熱交換器、マイクロチャネル熱交換器、シェルアンドチューブ式、プレート式熱交換器、又はチューブインチューブ式熱交換器を一緒に形成する熱伝達システムにおける使用のための、本明細書に記載される冷媒及び／又は熱伝達組成物の各々を提供する。
【０５５０】
したがって、本発明のシステムは、好ましくは、本発明による冷媒の少なくとも一部分及び／又は潤滑剤の少なくとも一部分と接触する封鎖材料を含み、当該接触時の当該封鎖材料の温度及び／又は当該冷媒の温度及び／又は当該潤滑剤の温度が、好ましくは少なくとも約１０℃の温度であり、封鎖材料は、好ましくは、
陰イオン交換樹脂、
活性アルミナ、
銀を含むゼオライトモレキュラーシーブ、及び
水分除去材料、好ましくは水分除去モレキュラーシーブ、の組み合わせを含む。
【０５５１】
本出願において使用されるとき、「少なくとも一部分と接触している」という用語は、その広い意味において、システム内の冷媒及び／又は潤滑剤の同じ部分又は別個の部分と接触している当該封鎖材料の各々及び封鎖材料の任意の組み合わせを含むことを意図し、また、必ずしも限定されるものではないが、各種類又は特定の封鎖材料が、（ｉ）存在する場合に、物理的に互いに一緒に位置する種類又は特定の材料、（ｉｉ）存在する場合に、物理的に互いに別個に位置する種類又は特定の材料、及び（ｉｉｉ）２種以上の材料が物理的に一緒であること、及び少なくとも１種の封鎖材料が少なくとも１種の他の封鎖材料から物理的に別個であることと、の組み合わせ、である実施形態を含むことを意図する。
【０５５２】
本発明の熱伝達組成物は、加熱及び冷却用途に使用することができる。
【０５５３】
本発明の特定の特徴では、熱伝達組成物は、熱伝達組成物を凝縮することと、その後冷却される物品又は本体の付近で当該組成物を蒸発させることとを含む冷却方法に使用することができる。
【０５５４】
したがって、本発明は、蒸発器、凝縮器、及び圧縮機を含む熱伝達システムにおける冷却方法であって、プロセスが、ｉ）本明細書に記載される熱伝達組成物を凝縮することと、
ｉｉ）冷却される本体又は物品の付近で組成物を蒸発させることと、を含み、
熱伝達システムの蒸発器温度が、約−４０℃〜約＋１０℃の範囲内である、方法に関する。
【０５５５】
代替的には、又は更には、熱伝達組成物は、加熱される物品又は本体の付近で熱伝達組成物を凝縮することと、その後、当該組成物を蒸発させることとを含む加熱方法に使用することができる。
【０５５６】
したがって、本発明は、蒸発器、凝縮器、及び圧縮機を含む熱伝達システムにおける加熱方法であって、プロセスが、ｉ）本明細書に記載される熱伝達組成物を、
加熱される本体又は物品の付近で凝縮することと、
ｉｉ）組成物を蒸発させることと、を含み、
熱伝達システムの蒸発器温度が、約−３０℃〜約５℃の範囲内である、方法に関する。
【０５５７】
本発明の熱伝達組成物は、輸送及び定置型空調用途の両方を含む空調用途における使用のために提供される。したがって、本明細書に記載される熱伝達組成物は、
−モバイル空調、特に列車及びバス用空調を含む、空調用途、
−モバイルヒートポンプ、特に電気自動車用ヒートポンプ、
−冷却器、特に容積型冷却器、とりわけ空冷又は水冷直接膨張式冷却器（モジュラー式であるか又は従来法で単独包装されているかのいずれか）、
−住宅用空調システム、特にダクトスプリット型又はダクトレススプリット型空調システム、
−住宅用ヒートポンプ、
−住宅用空気−水ヒートポンプ／温水システム、
−産業用空調システム、
−パッケージ式ルーフトップユニット又は可変冷媒流（ＶＲＦ）システム；
−商用の空気熱源、水熱源、又は土壌熱源ヒートポンプシステム、のうちのいずれか１つにおいて使用され得る。
【０５５８】
本発明の熱伝達組成物は、冷凍システムにおける使用のために提供される。「冷凍システム」という用語は、冷却を提供するために冷媒を用いる任意のシステム若しくは装置、又はかかるシステム若しくは装置の任意の部品若しくは部分を指す。したがって、本明細書に記載される熱伝達組成物は、
−低温冷凍システム、
−中温冷凍システム、
−商用冷蔵庫、
−商用冷凍庫、
−製氷機、
−自動販売機、
−輸送冷凍システム、
−家庭用冷凍庫、
−家庭用冷蔵庫、
−産業用冷凍庫、
−産業用冷蔵庫、及び
−冷却器、のうちのいずれか１つにおいて使用され得る。
【０５５９】
冷媒１〜３９のいずれか１つを含む熱伝達組成物を含む、本明細書に記載される熱伝達組成物の各々は、住宅用空調システム（冷却のために約０〜約１０℃の範囲、特に約７℃、及び／又は加熱のために約−２０〜約３℃の範囲、特に約０．５℃の蒸発器温度を有する）における使用のために特に提供される。代替的には、又は更には、冷媒１〜３９の各々を含む本明細書に記載される熱伝達組成物の各々は、往復動式、回転式（ローリングピストン又は回転弁）、又はスクロール式圧縮機を有する住宅用空調システムにおける使用のために特に提供される。
【０５６０】
冷媒１〜３９のいずれか１つを含む熱伝達組成物を含む、記載される熱伝達組成物の各々は、空冷式冷却器（約０〜約１０℃の範囲、特に約４．５℃の蒸発器温度を有する）、特に容積型圧縮機を有する空冷式冷却器、とりわけ往復動式スクロール式圧縮機を有する空冷式冷却器における使用のために特に提供される。
【０５６１】
冷媒１〜３９のいずれか１つを含む熱伝達組成物を含む、本明細書に記載される熱伝達組成物の各々は、住宅用空気−水ヒートポンプ温水システム（約−２０〜約３℃の範囲、特に約０．５℃の蒸発器温度を有するか、又は約−３０〜約５℃の範囲、特に約０．５℃の蒸発器温度を有する）における使用のために特に提供される。
【０５６２】
冷媒１〜３９のいずれか１つを含む熱伝達組成物を含む、本明細書に記載される熱伝達組成物の各々は、中温冷凍システム（約−１２〜約０℃の範囲、特に約−８℃の蒸発器温度を有する）における使用のために特に提供される。
【０５６３】
冷媒１〜３９のいずれか１つを含む熱伝達組成物を含む、本明細書に記載される熱伝達組成物の各々は、低温冷凍システム（約−４０〜約−１２℃の範囲、特に約−４０℃〜約−２３℃、又は好ましくは約−３２℃の蒸発器温度を有する）における使用のために特に提供される。
【０５６４】
冷媒１〜３９のいずれか１つを含む熱伝達組成物を含む、本発明の熱伝達組成物は、住宅用空調システムにおける使用のために提供され、住宅用空調システムは、例えば、夏季に冷気（当該空気は、例えば、約１０℃〜約１７℃、特に約１２℃の温度を有する）を建物に供給するために使用される。
【０５６５】
冷媒１〜３９のいずれか１つを含む熱伝達組成物を含む、本発明の熱伝達組成物は、したがって、スプリット型住宅用空調システムにおける使用のために提供され、住宅用空調システムは、冷気（当該空気は、例えば、約１０℃〜約１７℃、特に約１２℃の温度を有する）を供給するために使用される。
【０５６６】
冷媒１〜３９のいずれか１つを含む熱伝達組成物を含む、本発明の熱伝達組成物は、したがって、ダクトスプリット型住宅用空調システムにおける使用のために提供され、住宅用空調システムは、冷気（当該空気は、例えば、約１０℃〜約１７℃、特に約１２℃の温度を有する）を供給するために使用される。
【０５６７】
冷媒１〜３９のいずれか１つを含む熱伝達組成物を含む、本発明の熱伝達組成物は、したがって、窓用住宅用空調システムにおける使用のために提供され、住宅用空調システムは、冷気（当該空気は、例えば、約１０℃〜約１７℃、特に約１２℃の温度を有する）を供給するために使用される。
【０５６８】
冷媒１〜３９のいずれか１つを含む熱伝達組成物を含む、本発明の熱伝達組成物は、したがって、可搬式住宅用空調システムにおける使用のために提供され、住宅用空調システムは、冷気（当該空気は、例えば、約１０℃〜約１７℃、特に約１２℃の温度を有する）を供給するために使用される。
【０５６９】
直前の段落の住宅用空調システムを含む、本明細書に記載される住宅用空調システムは、好ましくは、空気−冷媒蒸発器（室内コイル）、圧縮機、空気−冷媒凝縮器（室外コイル）、及び膨張弁を有する。蒸発器及び凝縮器は、丸管プレートフィン、フィンチューブ、又はマイクロチャネル熱交換器であり得る。圧縮機は、往復動式、又は回転式（ローリングピストン又は回転弁）、又はスクロール式圧縮機であり得る。膨張弁は、キャピラリーチューブ、温度膨張弁、又は電子膨張弁であり得る。冷媒蒸発温度は、好ましくは０〜１０℃の範囲内である。凝縮温度は、好ましくは４０〜７０℃の範囲内である。
【０５７０】
冷媒１〜３９のいずれか１つを含む熱伝達組成物を含む、本発明の熱伝達組成物は、住宅用ヒートポンプシステムにおける使用のために提供され、住宅用ヒートポンプシステムは、冬季に温風（当該空気は、例えば、約１８℃〜約２４℃、特に約２１℃の温度を有する）を建物に供給するために使用される。これは、住宅用空調システムと同じシステムであり得るが、ヒートポンプモードでは冷媒流が反転し、室内コイルが凝縮器となり、室外コイルが蒸発器となる。典型的なシステムの種類は、スプリット型及びミニスプリット型ヒートポンプシステムである。蒸発器及び凝縮器は通常、丸管プレートフィン、フィン式、又はマイクロチャネル熱交換器である。圧縮機は通常、往復動式、又は回転式（ローリングピストン又は回転弁）、又はスクロール式圧縮機である。膨張弁は通常、温度膨張弁又は電子膨張弁である。冷媒蒸発温度は、好ましくは約−２０〜約３℃又は約−３０〜約５℃の範囲内である。凝縮温度は、好ましくは約３５〜約５０℃の範囲内である。
【０５７１】
冷媒１〜３９のいずれか１つを含む熱伝達組成物を含む、本発明の熱伝達組成物は、商用空調システムにおける使用のために提供され、商用空調システムは、オフィス及び病院などの大きな建物に冷水（当該水は、例えば、約７℃の温度を有する）を供給するために使用される冷却器であり得る。用途に応じて、冷却器システムは通年稼働している場合がある。冷却器システムは、空冷式又は水冷式であり得る。空冷式冷却器は通常、冷水を供給するためのプレート、チューブインチューブ式、又はシェルインチューブ式蒸発器、往復動式又はスクロール式圧縮機、熱を周囲空気と交換するための丸管プレートフィン、フィンチューブ式、又はマイクロチャネル凝縮器、及び温度膨張弁又は電子膨張弁を有する。水冷式システムは通常、冷水を供給するためのシェルアンドチューブ式蒸発器、往復動式、スクロール式、ねじ式、又は遠心式圧縮機、熱を冷却塔又は湖、海、及び他の天然源からの水と交換するためのシェルアンドチューブ式凝縮器、並びに温度膨張弁又は電子膨張弁を有する。冷媒蒸発温度は、好ましくは約０〜約１０℃の範囲内である。凝縮温度は、好ましくは約４０〜約７０℃の範囲内である。
【０５７２】
冷媒１〜３９のいずれか１つを含む熱伝達組成物を含む、本発明の熱伝達組成物は、住宅用空気−水ヒートポンプ温水システムにおける使用のために提供され、住宅用空気−水ヒートポンプ温水システムは、冬季に床暖房又は同様の用途のために温水（当該水は、例えば、約５０℃又は約５５℃の温度を有する）を建物に供給するために使用される。温水システムは通常、熱を周囲空気と交換するための丸管プレートフィン、フィンチューブ式、又はマイクロチャネル蒸発器、往復動式、スクロール式、又は回転式圧縮機、水を加熱するためのプレート、チューブインチューブ式、又はシェルアンドチューブ式凝縮器、及び温度膨張弁又は電子膨張弁を有する。冷媒蒸発温度は、好ましくは約−２０〜約３℃又は−３０〜約５℃の範囲内である。凝縮温度は、好ましくは約５０〜約９０℃の範囲内である。
【０５７３】
冷媒１〜３９のいずれか１つを含む熱伝達組成物を含む、本発明の熱伝達組成物は、中温冷凍システムにおける使用のために提供され、冷媒は、好ましくは約−１２〜約０℃の範囲内の蒸発温度を有し、このようなシステムでは、冷媒は、好ましくは約４０〜約７０℃、又は約２０〜約７０℃の範囲内の凝縮温度を有する。
【０５７４】
したがって、本発明は、冷蔵庫又はボトルクーラーなどの食べ物又は飲み物を冷却するために使用される中温冷凍システムを提供し、冷媒は、好ましくは約−１２〜約０℃の範囲内の蒸発温度を有し、このようなシステムでは、冷媒は、好ましくは約４０〜約７０℃、又は約２０〜約７０℃の範囲内の凝縮温度を有する。
【０５７５】
直前の段落に記載されるシステムを含む本発明の中温システムは、好ましくは、例えば内部に収容された食べ物又は飲み物に、冷却を提供するための空気−冷媒蒸発器、往復動式、スクロール式、又はねじ式、又は回転式圧縮機、熱を周囲空気と交換するための空気−冷媒凝縮器、及び温度膨張弁又は電子膨張弁を有する。冷媒１〜３９のいずれか１つを含む熱伝達組成物を含む、本発明の熱伝達組成物は、低温冷凍システムにおける使用のために提供され、冷媒は、好ましくは約−４０〜約−１２℃の範囲内の蒸発温度を有し、冷媒は、好ましくは約４０〜約７０℃、又は約２０〜約７０℃の範囲内の凝縮温度を有する。
【０５７６】
したがって、本発明は、冷凍庫において冷却を提供するために使用される低温冷凍システムを提供し、冷媒は、好ましくは約−４０〜約−１２℃の範囲内の蒸発温度を有し、冷媒は、好ましくは約４０〜約７０℃、又は約２０〜約７０℃の範囲内の凝縮温度を有する。
【０５７７】
したがって、本発明はまた、クリーム製造機において冷却を提供するために使用される低温冷凍システムも提供し、冷媒は、好ましくは約−４０〜約−１２℃の範囲内の蒸発温度を有し、冷媒は、好ましくは約４０〜約７０℃、又は約２０〜約７０℃の範囲内の凝縮温度を有する。
【０５７８】
直前の段落に記載されるシステムを含む本発明の低温システムは、好ましくは、食べ物又は飲み物を冷却するための空気−冷媒蒸発器、往復動式、スクロール式、又は回転式圧縮機、熱を周囲空気と交換するための空気−冷媒凝縮器、及び温度膨張弁又は電子膨張弁を有する。
【０５７９】
したがって、本発明は、冷媒１と、熱伝達組成物の重量に基づいて１０〜６０重量％のポリオールエステル（ＰＯＥ）潤滑剤と、を含む熱伝達組成物の冷却器における使用を提供する。
【０５８０】
したがって、本発明は、冷媒２と、熱伝達組成物の重量に基づいて１０〜６０重量％のポリオールエステル（ＰＯＥ）潤滑剤と、を含む熱伝達組成物の冷却器における使用を提供する。
【０５８１】
したがって、本発明は、冷媒３と、熱伝達組成物の重量に基づいて１０〜６０重量％のポリオールエステル（ＰＯＥ）潤滑剤と、を含む熱伝達組成物の冷却器における使用を提供する。
【０５８２】
したがって、本発明は、冷媒４と、熱伝達組成物の重量に基づいて１０〜６０重量％のポリオールエステル（ＰＯＥ）潤滑剤と、を含む熱伝達組成物の冷却器における使用を提供する。
【０５８３】
したがって、本発明は、冷媒５と、熱伝達組成物の重量に基づいて１０〜６０重量％のポリオールエステル（ＰＯＥ）潤滑剤と、を含む熱伝達組成物の冷却器における使用を提供する。
【０５８４】
したがって、本発明は、冷媒１と、ファルネセン及びアルキル化ナフタレン４及びＢＨＴを含む安定化剤組成物であって、ファルネセンが約０．００１重量％〜約５重量％の量で提供され、アルキル化ナフタレン４が熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の冷却器における使用を提供する。
【０５８５】
したがって、本発明は、冷媒２と、ファルネセン及びアルキル化ナフタレン４及びＢＨＴを含む安定化剤組成物であって、ファルネセンが熱伝達組成物の重量に基づいて約０．００１重量％〜約５重量％の量で提供され、アルキル化ナフタレン４が熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の冷却器における使用を提供する。
【０５８６】
したがって、本発明は、冷媒３と、ファルネセン及びアルキル化ナフタレン４及びＢＨＴを含む安定化剤組成物であって、ファルネセンが熱伝達組成物の重量に基づいて約０．００１重量％〜約５重量％の量で提供され、アルキル化ナフタレン４が熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の冷却器における使用を提供する。
【０５８７】
したがって、本発明は、冷媒４と、ファルネセン及びアルキル化ナフタレン４及びＢＨＴを含む安定化剤組成物であって、ファルネセンが熱伝達組成物の重量に基づいて約０．００１重量％〜約５重量％の量で提供され、アルキル化ナフタレン４が熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の冷却器における使用を提供する。
【０５８８】
したがって、本発明は、冷媒５と、ファルネセン及びアルキル化ナフタレン４及びＢＨＴを含む安定化剤組成物であって、ファルネセンが熱伝達組成物の重量に基づいて約０．００１重量％〜約５重量％の量で提供され、アルキル化ナフタレン４が熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の冷却器における使用を提供する。
【０５８９】
本発明の目的では、本発明による各熱伝達組成物は、約０〜約１０℃の範囲の蒸発温度及び約４０〜約７０℃の範囲の凝縮温度を有する冷却器における使用のために提供される。冷却器は、空調又は冷凍における使用のため、好ましくは商用空調のために提供される。冷却器は、好ましくは容積型冷却器、とりわけ空冷又は水冷直接膨張式冷却器（モジュラー式であるか又は従来法で単独包装されているかのいずれか）である。
【０５９０】
したがって、本発明は、定置型空調、特に住宅用空調、産業用空調、又は商用空調における、冷媒１を含む熱伝達組成物の使用を提供する。
【０５９１】
したがって、本発明は、定置型空調、特に住宅用空調、産業用空調、又は商用空調における、冷媒２を含む熱伝達組成物の使用を提供する。
【０５９２】
したがって、本発明は、定置型空調、特に住宅用空調、産業用空調、又は商用空調における、冷媒３を含む熱伝達組成物の使用を提供する。
【０５９３】
したがって、本発明は、定置型空調、特に住宅用空調、産業用空調、又は商用空調における、冷媒４を含む熱伝達組成物の使用を提供する。
【０５９４】
したがって、本発明は、定置型空調、特に住宅用空調、産業用空調、又は商用空調における、冷媒５を含む熱伝達組成物の使用を提供する。
【０５９５】
したがって、本発明は、冷媒１と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０５９６】
したがって、本発明は、冷媒２と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０５９７】
したがって、本発明は、冷媒３と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０５９８】
したがって、本発明は、冷媒４と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０５９９】
したがって、本発明は、冷媒５と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６００】
したがって、本発明は、冷媒１と、ファルネセン及びアルキル化ナフタレン４及びＢＨＴを含む安定化剤組成物であって、ファルネセンが熱伝達組成物の重量に基づいて約０．００１重量％〜約５重量％の量で提供され、アルキル化ナフタレン４が熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、定置型空調、特に住宅用空調、産業用空調、又は商用空調における使用を提供する。
【０６０１】
したがって、本発明は、冷媒２と、ファルネセン及びアルキル化ナフタレン４及びＢＨＴを含む安定化剤組成物であって、ファルネセンが熱伝達組成物の重量に基づいて約０．００１重量％〜約５重量％の量で提供され、アルキル化ナフタレン４が熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、定置型空調、特に住宅用空調、産業用空調、又は商用空調における使用を提供する。
【０６０２】
したがって、本発明は、冷媒３と、ファルネセン及びアルキル化ナフタレン４及びＢＨＴを含む安定化剤組成物であって、ファルネセンが熱伝達組成物の重量に基づいて約０．００１重量％〜約５重量％の量で提供され、アルキル化ナフタレン４が熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、定置型空調、特に住宅用空調、産業用空調、又は商用空調における使用を提供する。
【０６０３】
したがって、本発明は、冷媒４と、ファルネセン及びアルキル化ナフタレン４及びＢＨＴを含む安定化剤組成物であって、ファルネセンが熱伝達組成物の重量に基づいて約０．００１重量％〜約５重量％の量で提供され、アルキル化ナフタレン４が熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、定置型空調、特に住宅用空調、産業用空調、又は商用空調における使用を提供する。
【０６０４】
したがって、本発明は、冷媒５と、ファルネセン及びアルキル化ナフタレン４及びＢＨＴを含む安定化剤組成物であって、ファルネセンが熱伝達組成物の重量に基づいて約０．００１重量％〜約５重量％の量で提供され、アルキル化ナフタレン４が熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、定置型空調、特に住宅用空調、産業用空調、又は商用空調における使用を提供する。
【０６０５】
したがって、本発明は、定置型空調、特に住宅用空調、産業用空調、又は商用空調における、冷媒１、安定化剤１０、及び潤滑剤１を含む熱伝達組成物の使用を提供する。
【０６０６】
したがって、本発明は、定置型空調、特に住宅用空調、産業用空調、又は商用空調における、冷媒２、安定化剤１０、及び潤滑剤１を含む熱伝達組成物の使用を提供する。
【０６０７】
したがって、本発明は、定置型空調、特に住宅用空調、産業用空調、又は商用空調における、冷媒３、安定化剤１０、及び潤滑剤１を含む熱伝達組成物の使用を提供する。
【０６０８】
したがって、本発明は、定置型空調、特に住宅用空調、産業用空調、又は商用空調における、冷媒４、安定化剤１０、及び潤滑剤１を含む熱伝達組成物の使用を提供する。
【０６０９】
したがって、本発明は、定置型空調、特に住宅用空調、産業用空調、又は商用空調における、冷媒５、安定化剤１０、及び潤滑剤１を含む熱伝達組成物の使用を提供する。
【０６１０】
したがって、本発明は、定置型空調、特に住宅用空調、産業用空調、又は商用空調における、冷媒６、安定化剤１０、及び潤滑剤１を含む熱伝達組成物の使用を提供する。
【０６１１】
したがって、本発明は、定置型空調、特に住宅用空調、産業用空調、又は商用空調における、冷媒７、安定化剤１０、及び潤滑剤１を含む熱伝達組成物の使用を提供する。
【０６１２】
したがって、本発明は、定置型空調、特に住宅用空調、産業用空調、又は商用空調における、冷媒８、安定化剤１０、及び潤滑剤１を含む熱伝達組成物の使用を提供する。
【０６１３】
したがって、本発明は、定置型空調、特に住宅用空調、産業用空調、又は商用空調における、冷媒９、安定化剤１０、及び潤滑剤１を含む熱伝達組成物の使用を提供する。
【０６１４】
したがって、本発明は、定置型空調、特に住宅用空調、産業用空調、又は商用空調における、冷媒１０、安定化剤１０、及び潤滑剤１を含む熱伝達組成物の使用を提供する。
【０６１５】
したがって、本発明は、定置型空調、特に住宅用空調、産業用空調、又は商用空調における、冷媒１１、安定化剤１０、及び潤滑剤１を含む熱伝達組成物の使用を提供する。
【０６１６】
したがって、本発明は、定置型空調、特に住宅用空調、産業用空調、又は商用空調における、冷媒１２、安定化剤１０、及び潤滑剤１を含む熱伝達組成物の使用を提供する。
【０６１７】
したがって、本発明は、定置型空調、特に住宅用空調、産業用空調、又は商用空調における、冷媒１３、安定化剤１０、及び潤滑剤１を含む熱伝達組成物の使用を提供する。
【０６１８】
したがって、本発明は、定置型空調、特に住宅用空調、産業用空調、又は商用空調における、冷媒１４、安定化剤１０、及び潤滑剤１を含む熱伝達組成物の使用を提供する。
【０６１９】
したがって、本発明は、定置型空調、特に住宅用空調、産業用空調、又は商用空調における、冷媒１５、安定化剤１０、及び潤滑剤１を含む熱伝達組成物の使用を提供する。
【０６２０】
したがって、本発明は、定置型空調、特に住宅用空調、産業用空調、又は商用空調における、冷媒１６、安定化剤１０、及び潤滑剤１を含む熱伝達組成物の使用を提供する。
【０６２１】
したがって、本発明は、定置型空調、特に住宅用空調、産業用空調、又は商用空調における、冷媒１７、安定化剤１０、及び潤滑剤１を含む熱伝達組成物の使用を提供する。
【０６２２】
したがって、本発明は、定置型空調、特に住宅用空調、産業用空調、又は商用空調における、冷媒１８、安定化剤１０、及び潤滑剤１を含む熱伝達組成物の使用を提供する。
【０６２３】
したがって、本発明は、定置型空調、特に住宅用空調、産業用空調、又は商用空調における、冷媒１９、安定化剤１０、及び潤滑剤１を含む熱伝達組成物の使用を提供する。
【０６２４】
したがって、本発明は、定置型空調、特に住宅用空調、産業用空調、又は商用空調における、冷媒２０、安定化剤１０、及び潤滑剤１を含む熱伝達組成物の使用を提供する。
【０６２５】
したがって、本発明は、定置型空調、特に住宅用空調、産業用空調、又は商用空調における、冷媒２１、安定化剤１０、及び潤滑剤１を含む熱伝達組成物の使用を提供する。
【０６２６】
したがって、本発明は、定置型空調、特に住宅用空調、産業用空調、又は商用空調における、冷媒２２、安定化剤１０、及び潤滑剤１を含む熱伝達組成物の使用を提供する。
【０６２７】
したがって、本発明は、定置型空調、特に住宅用空調、産業用空調、又は商用空調における、冷媒２３、安定化剤１０、及び潤滑剤１を含む熱伝達組成物の使用を提供する。
【０６２８】
したがって、本発明は、定置型空調、特に住宅用空調、産業用空調、又は商用空調における、冷媒２４、安定化剤１０、及び潤滑剤１を含む熱伝達組成物の使用を提供する。
【０６２９】
したがって、本発明は、定置型空調、特に住宅用空調、産業用空調、又は商用空調における、冷媒２５、安定化剤１０、及び潤滑剤１を含む熱伝達組成物の使用を提供する。
【０６３０】
したがって、本発明は、定置型空調、特に住宅用空調、産業用空調、又は商用空調における、冷媒２６、安定化剤１０、及び潤滑剤１を含む熱伝達組成物の使用を提供する。
【０６３１】
したがって、本発明は、定置型空調、特に住宅用空調、産業用空調、又は商用空調における、冷媒２７、安定化剤１０、及び潤滑剤１を含む熱伝達組成物の使用を提供する。
【０６３２】
したがって、本発明は、定置型空調、特に住宅用空調、産業用空調、又は商用空調における、冷媒２８、安定化剤１０、及び潤滑剤１を含む熱伝達組成物の使用を提供する。
【０６３３】
したがって、本発明は、定置型空調、特に住宅用空調、産業用空調、又は商用空調における、冷媒２９、安定化剤１０、及び潤滑剤１を含む熱伝達組成物の使用を提供する。
【０６３４】
したがって、本発明は、定置型空調、特に住宅用空調、産業用空調、又は商用空調における、冷媒３０、安定化剤１０、及び潤滑剤１を含む熱伝達組成物の使用を提供する。
【０６３５】
したがって、本発明は、定置型空調、特に住宅用空調、産業用空調、又は商用空調における、冷媒３１、安定化剤１０、及び潤滑剤１を含む熱伝達組成物の使用を提供する。
【０６３６】
したがって、本発明は、定置型空調、特に住宅用空調、産業用空調、又は商用空調における、冷媒３２、安定化剤１０、及び潤滑剤１を含む熱伝達組成物の使用を提供する。
【０６３７】
したがって、本発明は、定置型空調、特に住宅用空調、産業用空調、又は商用空調における、冷媒３３、安定化剤１０、及び潤滑剤１を含む熱伝達組成物の使用を提供する。
【０６３８】
したがって、本発明は、定置型空調、特に住宅用空調、産業用空調、又は商用空調における、冷媒３４、安定化剤１０、及び潤滑剤１を含む熱伝達組成物の使用を提供する。
【０６３９】
したがって、本発明は、定置型空調、特に住宅用空調、産業用空調、又は商用空調における、冷媒３５、安定化剤１０、及び潤滑剤１を含む熱伝達組成物の使用を提供する。
【０６４０】
したがって、本発明は、定置型空調、特に住宅用空調、産業用空調、又は商用空調における、冷媒３６、安定化剤１０、及び潤滑剤１を含む熱伝達組成物の使用を提供する。
【０６４１】
したがって、本発明は、定置型空調、特に住宅用空調、産業用空調、又は商用空調における、冷媒３７、安定化剤１０、及び潤滑剤１を含む熱伝達組成物の使用を提供する。
【０６４２】
したがって、本発明は、定置型空調、特に住宅用空調、産業用空調、又は商用空調における、冷媒３８、安定化剤１０、及び潤滑剤１を含む熱伝達組成物の使用を提供する。
【０６４３】
したがって、本発明は、定置型空調、特に住宅用空調、産業用空調、又は商用空調における、冷媒３９、安定化剤１０、及び潤滑剤１を含む熱伝達組成物の使用を提供する。
【０６４４】
したがって、本発明は、定置型空調システム、特に住宅用空調システム、産業用空調システム、又は商用空調システムにおける、冷媒１、安定化剤１０、及び潤滑剤１を含む熱伝達組成物の使用を提供し、システムは封鎖材料３を含む。
【０６４５】
したがって、本発明は、定置型空調システム、特に住宅用空調システム、産業用空調システム、又は商用空調システムにおける、冷媒２、安定化剤１０、及び潤滑剤１を含む熱伝達組成物の使用を提供し、システムは封鎖材料３を含む。
【０６４６】
したがって、本発明は、定置型空調システム、特に住宅用空調システム、産業用空調システム、又は商用空調システムにおける、冷媒３、安定化剤１０、及び潤滑剤１を含む熱伝達組成物の使用を提供し、システムは封鎖材料３を含む。
【０６４７】
したがって、本発明は、定置型空調システム、特に住宅用空調システム、産業用空調システム、又は商用空調システムにおける、冷媒４、安定化剤１０、及び潤滑剤１を含む熱伝達組成物の使用を提供し、システムは封鎖材料３を含む。
【０６４８】
したがって、本発明は、定置型空調システム、特に住宅用空調システム、産業用空調システム、又は商用空調システムにおける、冷媒５、安定化剤１０、及び潤滑剤１を含む熱伝達組成物の使用を提供し、システムは封鎖材料３を含む。
【０６４９】
したがって、本発明は、定置型空調システム、特に住宅用空調システム、産業用空調システム、又は商用空調システムにおける、冷媒６、安定化剤１０、及び潤滑剤１を含む熱伝達組成物の使用を提供し、システムは封鎖材料３を含む。
【０６５０】
したがって、本発明は、定置型空調システム、特に住宅用空調システム、産業用空調システム、又は商用空調システムにおける、冷媒７、安定化剤１０、及び潤滑剤１を含む熱伝達組成物の使用を提供し、システムは封鎖材料３を含む。
【０６５１】
したがって、本発明は、定置型空調システム、特に住宅用空調システム、産業用空調システム、又は商用空調システムにおける、冷媒８、安定化剤１０、及び潤滑剤１を含む熱伝達組成物の使用を提供し、システムは封鎖材料３を含む。
【０６５２】
したがって、本発明は、定置型空調システム、特に住宅用空調システム、産業用空調システム、又は商用空調システムにおける、冷媒９、安定化剤１０、及び潤滑剤１を含む熱伝達組成物の使用を提供し、システムは封鎖材料３を含む。
【０６５３】
したがって、本発明は、定置型空調システム、特に住宅用空調システム、産業用空調システム、又は商用空調システムにおける、冷媒１０、安定化剤１０、及び潤滑剤１を含む熱伝達組成物の使用を提供し、システムは封鎖材料３を含む。
【０６５４】
したがって、本発明は、定置型空調システム、特に住宅用空調システム、産業用空調システム、又は商用空調システムにおける、冷媒１１、安定化剤１０、及び潤滑剤１を含む熱伝達組成物の使用を提供し、システムは封鎖材料３を含む。
【０６５５】
したがって、本発明は、定置型空調システム、特に住宅用空調システム、産業用空調システム、又は商用空調システムにおける、冷媒１２、安定化剤１０、及び潤滑剤１を含む熱伝達組成物の使用を提供し、システムは封鎖材料３を含む。
【０６５６】
したがって、本発明は、定置型空調システム、特に住宅用空調システム、産業用空調システム、又は商用空調システムにおける、冷媒１３、安定化剤１０、及び潤滑剤１を含む熱伝達組成物の使用を提供し、システムは封鎖材料３を含む。
【０６５７】
したがって、本発明は、定置型空調システム、特に住宅用空調システム、産業用空調システム、又は商用空調システムにおける、冷媒１４、安定化剤１０、及び潤滑剤１を含む熱伝達組成物の使用を提供し、システムは封鎖材料３を含む。
【０６５８】
したがって、本発明は、定置型空調システム、特に住宅用空調システム、産業用空調システム、又は商用空調システムにおける、冷媒１５、安定化剤１０、及び潤滑剤１を含む熱伝達組成物の使用を提供し、システムは封鎖材料３を含む。
【０６５９】
したがって、本発明は、定置型空調システム、特に住宅用空調システム、産業用空調システム、又は商用空調システムにおける、冷媒１６、安定化剤１０、及び潤滑剤１を含む熱伝達組成物の使用を提供し、システムは封鎖材料３を含む。
【０６６０】
したがって、本発明は、定置型空調システム、特に住宅用空調システム、産業用空調システム、又は商用空調システムにおける、冷媒１７、安定化剤１０、及び潤滑剤１を含む熱伝達組成物の使用を提供し、システムは封鎖材料３を含む。
【０６６１】
したがって、本発明は、定置型空調システム、特に住宅用空調システム、産業用空調システム、又は商用空調システムにおける、冷媒１８、安定化剤１０、及び潤滑剤１を含む熱伝達組成物の使用を提供し、システムは封鎖材料３を含む。
【０６６２】
したがって、本発明は、定置型空調、特に住宅用空調、産業用空調、又は商用空調における、冷媒１９、安定化剤１０、及び潤滑剤１を含む熱伝達組成物の使用を提供する。
【０６６３】
したがって、本発明は、定置型空調システム、特に住宅用空調システム、産業用空調システム、又は商用空調システムにおける、冷媒２０、安定化剤１０、及び潤滑剤１を含む熱伝達組成物の使用を提供し、システムは封鎖材料３を含む。
【０６６４】
したがって、本発明は、定置型空調システム、特に住宅用空調システム、産業用空調システム、又は商用空調システムにおける、冷媒２１、安定化剤１０、及び潤滑剤１を含む熱伝達組成物の使用を提供し、システムは封鎖材料３を含む。
【０６６５】
したがって、本発明は、定置型空調システム、特に住宅用空調システム、産業用空調システム、又は商用空調システムにおける、冷媒２２、安定化剤１０、及び潤滑剤１を含む熱伝達組成物の使用を提供し、システムは封鎖材料３を含む。
【０６６６】
したがって、本発明は、定置型空調システム、特に住宅用空調システム、産業用空調システム、又は商用空調システムにおける、冷媒２３、安定化剤１０、及び潤滑剤１を含む熱伝達組成物の使用を提供し、システムは封鎖材料３を含む。
【０６６７】
したがって、本発明は、定置型空調システム、特に住宅用空調システム、産業用空調システム、又は商用空調システムにおける、冷媒２４、安定化剤１０、及び潤滑剤１を含む熱伝達組成物の使用を提供し、システムは封鎖材料３を含む。
【０６６８】
したがって、本発明は、定置型空調システム、特に住宅用空調システム、産業用空調システム、又は商用空調システムにおける、冷媒２５、安定化剤１０、及び潤滑剤１を含む熱伝達組成物の使用を提供し、システムは封鎖材料３を含む。
【０６６９】
したがって、本発明は、定置型空調システム、特に住宅用空調システム、産業用空調システム、又は商用空調システムにおける、冷媒２６、安定化剤１０、及び潤滑剤１を含む熱伝達組成物の使用を提供し、システムは封鎖材料３を含む。
【０６７０】
したがって、本発明は、定置型空調システム、特に住宅用空調システム、産業用空調システム、又は商用空調システムにおける、冷媒２７、安定化剤１０、及び潤滑剤１を含む熱伝達組成物の使用を提供し、システムは封鎖材料３を含む。
【０６７１】
したがって、本発明は、定置型空調システム、特に住宅用空調システム、産業用空調システム、又は商用空調システムにおける、冷媒２８、安定化剤１０、及び潤滑剤１を含む熱伝達組成物の使用を提供し、システムは封鎖材料３を含む。
【０６７２】
したがって、本発明は、定置型空調システム、特に住宅用空調システム、産業用空調システム、又は商用空調システムにおける、冷媒２９、安定化剤１０、及び潤滑剤１を含む熱伝達組成物の使用を提供し、システムは封鎖材料３を含む。
【０６７３】
したがって、本発明は、定置型空調システム、特に住宅用空調システム、産業用空調システム、又は商用空調システムにおける、冷媒３０、安定化剤１０、及び潤滑剤１を含む熱伝達組成物の使用を提供し、システムは封鎖材料３を含む。
【０６７４】
したがって、本発明は、定置型空調システム、特に住宅用空調システム、産業用空調システム、又は商用空調システムにおける、冷媒３１、安定化剤１０、及び潤滑剤１を含む熱伝達組成物の使用を提供し、システムは封鎖材料３を含む。
【０６７５】
したがって、本発明は、定置型空調システム、特に住宅用空調システム、産業用空調システム、又は商用空調システムにおける、冷媒３２、安定化剤１０、及び潤滑剤１を含む熱伝達組成物の使用を提供し、システムは封鎖材料３を含む。
【０６７６】
したがって、本発明は、定置型空調システム、特に住宅用空調システム、産業用空調システム、又は商用空調システムにおける、冷媒３３、安定化剤１０、及び潤滑剤１を含む熱伝達組成物の使用を提供し、システムは封鎖材料３を含む。
【０６７７】
したがって、本発明は、定置型空調システム、特に住宅用空調システム、産業用空調システム、又は商用空調システムにおける、冷媒３４、安定化剤１０、及び潤滑剤１を含む熱伝達組成物の使用を提供し、システムは封鎖材料３を含む。
【０６７８】
したがって、本発明は、定置型空調システム、特に住宅用空調システム、産業用空調システム、又は商用空調システムにおける、冷媒３５、安定化剤１０、及び潤滑剤１を含む熱伝達組成物の使用を提供し、システムは封鎖材料３を含む。
【０６７９】
したがって、本発明は、定置型空調システム、特に住宅用空調システム、産業用空調システム、又は商用空調システムにおける、冷媒３６、安定化剤１０、及び潤滑剤１を含む熱伝達組成物の使用を提供し、システムは封鎖材料３を含む。
【０６８０】
したがって、本発明は、定置型空調システム、特に住宅用空調システム、産業用空調システム、又は商用空調システムにおける、冷媒３７、安定化剤１０、及び潤滑剤１を含む熱伝達組成物の使用を提供し、システムは封鎖材料３を含む。
【０６８１】
したがって、本発明は、定置型空調システム、特に住宅用空調システム、産業用空調システム、又は商用空調システムにおける、冷媒３８、安定化剤１０、及び潤滑剤１を含む熱伝達組成物の使用を提供し、システムは封鎖材料３を含む。
【０６８２】
したがって、本発明は、定置型空調システム、特に住宅用空調システム、産業用空調システム、又は商用空調システムにおける、冷媒３９、安定化剤１０、及び潤滑剤１を含む熱伝達組成物の使用を提供し、システムは封鎖材料３を含む。
【０６８３】
したがって、本発明は、商用冷凍システム、特に商用冷蔵庫システム、商用冷凍庫システム、製氷機システム、又は自動販売機システムにおける、冷媒１〜３９の各々を含む本発明の冷媒と、安定化剤１〜１０の各々を含む本発明の安定化剤と、潤滑剤１〜４を含む潤滑剤と、を含む熱伝達組成物の使用を提供し、システムは、各封鎖材料１〜４を含む本発明の封鎖材料を含む。
【０６８４】
したがって、本発明は、商用冷凍システム、特に商用冷蔵庫システム、商用冷凍庫システム、製氷機システム、又は自動販売機システムにおける、冷媒３９、安定化剤１０、及び潤滑剤１を含む熱伝達組成物の使用を提供し、システムは封鎖材料３を含む。
【０６８５】
上記の使用の目的では、安定化剤組成物は、ファルネセン、アルキル化ナフタレン４、及びＢＨＴを含み得る。好ましくは、安定化剤組成物は、ファルネセン、アルキル化ナフタレン４、及びＢＨＴから本質的になる。好ましくは、安定化剤組成物は、ファルネセン、アルキル化ナフタレン４、及びＢＨＴからなる。
【０６８６】
本明細書に開示される熱伝達組成物は、冷媒Ｒ−４１０Ａの低地球温暖化（ＧＷＰ）代替品として提供される。本発明の熱伝達組成物及び冷媒（冷媒１〜３９の各々、及び冷媒１〜３９を含有する全ての熱伝達組成物を含む）は、したがって、追加導入の冷媒／熱伝達組成物として、又は代替の冷媒／熱伝達組成物として使用することができる。
【０６８７】
したがって、本発明は、既存のシステムの実質的な工学的変更を必要とすることなく、とりわけ凝縮器、蒸発器、及び／又は膨張弁の変更を伴わずに、Ｒ−４１０Ａ冷媒用に設計された及びそれを含有する既存の熱伝達システムを追加導入する方法を含む。
【０６８８】
したがって、本発明はまた、Ｒ−４１０Ａの代替品として、特に住宅用空調冷媒におけるＲ−４１０Ａの代替品として、既存のシステムの実質的な工学的変更を必要とすることなく、とりわけ凝縮器、蒸発器、及び／又は膨張弁の変更を伴わずに、本発明の冷媒又は熱伝達組成物を使用する方法も含む。
【０６８９】
したがって、本発明はまた、Ｒ−４１０Ａの代替品として、特に住宅用空調システムにおけるＲ−４１０Ａの代替品として、本発明の冷媒又は熱伝達組成物を使用する方法も含む。
【０６９０】
したがって、本発明はまた、Ｒ−４１０Ａの代替品として、特に冷却器システムにおけるＲ−４１０Ａの代替品として、本発明の冷媒又は熱伝達組成物を使用する方法も含む。
【０６９１】
したがって、Ｒ−４１０Ａ冷媒を含有する既存の熱伝達システムを追加導入する方法が提供され、当該方法は、既存のＲ−４１０Ａ冷媒の少なくとも一部を本発明の熱伝達組成物又は冷媒に置き換えることを含む。
【０６９２】
置き換え工程は、好ましくは、本発明の冷媒に適用させるためにシステムのいかなる実質的な変更も伴わずに、既存の冷媒（Ｒ−４１０Ａであり得るが、これに限定されない）の少なくともかなりの部分、好ましくはそのほぼ全てを除去することと、冷媒１〜３９の各々を含む本発明の熱伝達組成物又は冷媒を導入することとを含む。
【０６９３】
代替的には、熱伝達組成物又は冷媒は、Ｒ４１０Ａ冷媒を含有するように設計されているか又はそれを含有する既存の熱伝達システムを追加導入する方法に使用することができ、システムは、本発明の冷媒用に変更される。
【０６９４】
代替的には、熱伝達組成物又は冷媒は、Ｒ−４１０Ａ冷媒を含有するように設計されているか又はそれとの使用に好適である熱伝達システムにおいて代替品として使用することができる。
【０６９５】
熱伝達組成物がＲ−４１０Ａの低地球温暖化代替品として使用されるか、又は既存の熱伝達システムを追加導入する方法に使用されるか、又はＲ−４１０Ａ冷媒との使用に好適である熱伝達システムに使用される場合、熱伝達組成物が本発明の冷媒から本質的になり得ることが理解されよう。代替的には、本発明は、Ｒ−４１０Ａの低地球温暖化代替品としての本発明の冷媒の使用を包含するか、又は既存の熱伝達システムを追加導入する方法に使用されるか、又は本明細書に記載されるようにＲ−４１０Ａ冷媒との使用に好適である熱伝達システムに使用される。
【０６９６】
熱伝達組成物が上記のように既存の熱伝達システムを追加導入する方法で使用するために提供されるとき、この方法は、好ましくは、既存のＲ−４１０Ａ冷媒の少なくとも一部をシステムから除去することを含むことが、当業者であれば理解されよう。好ましくは、この方法は、少なくとも約５重量％、約１０重量％、約２５重量％、約５０重量％、又は約７５重量％のＲ−４１０Ａをシステムから取り出し、それを本発明の熱伝達組成物に置き換えることを含む。
【０６９７】
本発明の組成物は、既存の又は新規の熱伝達システムなどの、Ｒ−４１０Ａ冷媒と共に使用されるか又はそれとの使用に好適であるシステムにおいて代替品として用いられ得る。
【０６９８】
本発明の組成物は、Ｒ−４１０Ａの所望の特性の多くを示すが、Ｒ−４１０Ａよりも実質的に低いＧＷＰを有し、同時に、Ｒ−４１０Ａと実質的に同様であるか又はそれと実質的に一致し、より好ましくはそれと同等に高いか又はそれよりも高い動作特性、すなわち能力及び／又は効率（ＣＯＰ）を有する。これにより、例えば凝縮器、蒸発器、及び／又は膨張弁の大きなシステム変更を一切必要とすることなく、既存の熱伝達システムにおいて特許請求される組成物がＲ−４１０Ａに代わることが可能となる。したがって、組成物は、熱伝達システムにおけるＲ−４１０Ａの直接的な代替品として使用することができる。
【０６９９】
したがって、本発明の組成物は、好ましくは、Ｒ−４１０Ａと比較して、組成物の効率（ＣＯＰ）が熱伝達システムにおいてＲ−４１０Ａの効率の９５〜１０５％である動作特性を示す。
【０７００】
したがって、本発明の組成物は、好ましくは、Ｒ−４１０Ａと比較して、能力が熱伝達システムにおいてＲ−４１０Ａの能力の９５〜１０５％である動作特性を示す。
【０７０１】
したがって、本発明の組成物は、好ましくは、Ｒ−４１０Ａと比較して、組成物の効率（ＣＯＰ）が熱伝達システムにおいてＲ−４１０Ａの効率の９５〜１０５％であり、かつ能力が熱伝達システムにおいてＲ−４１０Ａの能力の９５〜１０５％である動作特性を示す。
【０７０２】
好ましくは、本発明の組成物がＲ−４１０Ａに代わる熱伝達システムにおいて、本発明の組成物は、好ましくは、Ｒ−４１０Ａと比較した動作特性を示し、
−組成物の効率（ＣＯＰ）は、Ｒ−４１０Ａの効率の１００〜１０５％であり、かつ／又は
−能力は、Ｒ−４１０Ａの能力の９８〜１０５％である。
【０７０３】
熱伝達システムの信頼性を高めるために、本発明の組成物がＲ−４１０Ａ冷媒に代わって使用される熱伝達システムにおいて、本発明の組成物がＲ−４１０と比較して以下の特性を更に示すことが好ましい：
−吐出温度は、Ｒ−４１０Ａの吐出温度よりも１０℃以上高くない、かつ／又は
−圧縮機圧力比は、Ｒ−４１０Ａの圧縮機圧力比の９５〜１０５％である。
【０７０４】
Ｒ−４１０Ａは、共沸様組成物であることが理解されよう。したがって、特許請求される組成物がＲ−４１０Ａの動作特性について良好な一致となるために、特許請求される組成物は、低い勾配レベルを示すことが望ましい。したがって、特許請求される発明の組成物は、２℃未満、好ましくは１．５℃未満の蒸発器勾配を提供し得る。
【０７０５】
Ｒ−４１０Ａと共に使用される既存の熱伝達組成物は、好ましくは、モバイル及び定置型空調システムの両方を含む空調熱伝達システムである。本明細書で使用するとき、モバイル空調システムという用語は、トラック、バス、及び列車の空調システムなどの、移動式の非乗用車用空調システムを意味する。したがって、本明細書に記載される熱伝達組成物の各々は、
−モバイル空調システム、特にトラック、バス、及び列車の空調システムを含む、空調システム、
−モバイルヒートポンプ、特に電気自動車用ヒートポンプ、
−冷却器、特に容積型冷却器、とりわけ空冷又は水冷直接膨張式冷却器（モジュラー式であるか又は従来法で単独包装されているかのいずれか）、
−住宅用空調システム、特にダクトスプリット型又はダクトレススプリット型空調システム、
−住宅用ヒートポンプ、
−住宅用空気−水ヒートポンプ／温水システム、
−産業用空調システム、並びに
−パッケージ式ルーフトップユニット又は可変冷媒流（ＶＲＦ）システム；
−商用の空気熱源、水熱源、又は土壌熱源ヒートポンプシステム、のうちのいずれか１つにおいてＲ−４１０Ａに代わるために使用され得る。
【０７０６】
本発明の組成物は、冷凍システムにおいてＲ４１０Ａに代わるために代替的に提供される。したがって、本明細書に記載される熱伝達組成物の各々は、
−低温冷凍システム、
−中温冷凍システム、
−商用冷蔵庫、
−商用冷凍庫、
−製氷機、
−自動販売機、
−輸送冷凍システム、
−家庭用冷凍庫、
−家庭用冷蔵庫、
−産業用冷凍庫、
−産業用冷蔵庫、及び
−冷却器、のうちのいずれか１つにおいてＲ１０Ａに代わるために使用され得る。
【０７０７】
冷媒１〜冷媒３９の各々を含む本明細書に記載される熱伝達組成物の各々は、住宅用空調システム（冷却のために約０〜約１０℃の範囲、特に約７℃、及び／又は加熱のために約−２０〜約３℃又は３０〜約５℃の範囲、特に約０．５℃の蒸発器温度を有する）においてＲ−４１０Ａに代わるために特に提供される。代替的には、又は更には、冷媒１〜冷媒３９の各々を含む本明細書に記載される熱伝達組成物の各々は、往復動式、回転式（ローリングピストン又は回転弁）、又はスクロール式圧縮機を有する住宅用空調システムにおいてＲ−４１０Ａに代わるために特に提供される。
【０７０８】
冷媒１〜冷媒３９の各々を含む本明細書に記載される熱伝達組成物の各々は、空冷式冷却器（約０〜約１０℃の範囲、特に約４．５℃の蒸発器温度を有する）、特に容積型圧縮機を有する空冷式冷却器、とりわけ往復動式又はスクロール式圧縮機を有する空冷式冷却器においてＲ−４１０Ａに代わるために特に提供される。
【０７０９】
冷媒１〜冷媒３９の各々を含む本明細書に記載される熱伝達組成物の各々は、住宅用空気−水ヒートポンプ温水システム（約−２０〜約３℃の範囲又は約−３０〜約５℃の範囲、特に約０．５℃の蒸発器温度を有する）においてＲ−４１０Ａに代わるために特に提供される。
【０７１０】
冷媒１〜冷媒３９の各々を含む本明細書に記載される熱伝達組成物の各々は、中温冷凍システム（約−１２〜約０℃の範囲、特に約−８℃の蒸発器温度を有する）においてＲ−４１０Ａに代わるために特に提供される。
【０７１１】
冷媒１〜冷媒３９の各々を含む本明細書に記載される熱伝達組成物の各々は、低温冷凍システム（約−４０〜約−１２℃の範囲、特に約−４０℃〜約−２３℃、又は好ましくは約−３２℃の蒸発器温度を有する）においてＲ−４１０Ａに代わるために特に提供される。
【０７１２】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、本発明の冷媒のいずれかを含む（冷媒１〜３９のいずれかを含む）熱伝達組成物に置き換えることを含み、当該冷媒は、少なくとも約９７重量％の３つの化合物のブレンドを含み、当該ブレンドは、
４９重量％のジフルオロメタン（ＨＦＣ−３２）、１１．５重量％のペンタフルオロエタン（ＨＦＣ−１２５）、及び３９．５重量％のトリフルオロヨードメタン（ＣＦ３Ｉ）、並びに所望により特に安定化剤１を含む本明細書に記載の任意の安定化剤組成物による安定化剤組成物からなる。
【０７１３】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒１〜３９のいずれかを含有する各熱伝達組成物などの本発明による任意の熱伝達組成物を含む熱伝達組成物に置き換えることを含む。
【０７１４】
本発明は更に、流体連通した圧縮機、凝縮器、及び蒸発器を備え、かつ内部に熱伝達組成物を含む、熱伝達システムを提供し、当該熱伝達組成物は、冷媒１〜冷媒３９の各々を含む本明細書に記載の冷媒のいずれか１つによる冷媒を含む。
【０７１５】
特に、熱伝達システムは、住宅用空調システム（冷却のために約０〜約１０℃の範囲、特に約７℃、及び／又は加熱のために約−２０〜約３℃若しくは約−３０〜約５℃の範囲、特に約０．５℃の蒸発器温度を有する）である。
【０７１６】
特に、熱伝達システムは、空冷式冷却器（約０〜約１０℃範囲、特に約４．５℃の蒸発器温度を有する）、特に、容積型圧縮機を有する空冷式冷却器、とりわけ往復動式又はスクロール式圧縮機を有する空冷式冷却器である。
【０７１７】
特に、熱伝達システムは、住宅用空気−水温水システム（約−２０〜約３℃の範囲又は約−３０〜約５℃の範囲、特に約０．５℃の蒸発器温度を有する）である。
【０７１８】
熱伝達システムは、冷凍システム、例えば、低温冷凍システム、中温冷凍システム、商用冷蔵庫、商用冷凍庫、製氷機、自動販売機、輸送冷凍システム、家庭用冷凍庫、家庭用冷蔵庫、産業用冷凍庫、及び冷却器であり得る。
【０７１９】
実施例１−燃焼性試験
以下の表１で冷媒Ａとして特定される冷媒組成物を、本明細書に記載のとおり試験した。
【０７２０】
【表１】
2020536994.tif 000006
【０７２１】
現行方法のＡＳＴＭ  Ｅ６８１−０９付属書Ａ１を使用して、ＡＳＨＲＡＥの現行標準３４−２０１６試験プロトコル（条件及び装置）に従って燃焼性試験を実施した。フラスコを真空にし、所望の濃度に充填するために分圧を使用することによって混合物を作製した。混合を助けるために空気を速やかに導入し、混合後に温度平衡状態にして、点火を行う前に混合物を滞留させた。上記の表１で評価した冷媒Ａは、不燃性試験を満たすことが判明した。
【０７２２】
実施例２−３０熱伝達性能
上記の実施例１で表１に示した冷媒Ａを熱力学的分析に供して、様々な冷凍システムにおいてＲ−４１０４Ａの動作特性と一致するその能力を判定した。ＣＦ３ＩとＨＦＣ−３２及びＨＦＣ−１２５の各々との２つの二成分対の特性について収集した実験データを使用して分析を実施した。具体的には、ＨＦＣ−３２及びＲ１２５の各々との一連の二成分対におけるＣＦ３Ｉの気液平衡挙動を判定し、調査した。実験評価において各二成分対の組成を一連の相対百分率にわたって変化させ、各二成分対の混合パラメーターを実験的に得られたデータに回帰させた。分析を行うために使用した仮定は以下のとおりであった：全ての冷媒について同じ圧縮機容積、全ての冷媒について同じ動作条件、全ての冷媒について同じ圧縮機断熱効率及び容積効率。各実施例では、測定された気液平衡データを使用してシミュレーションを行った。各実施例についてシミュレーション結果を報告する。
【０７２３】
実施例２．−住宅用空調システム（冷却）
夏季に冷気（約１２℃）を建物に供給するように構成された住宅用空調システムについて試験する。住宅用空調システムとしては、スプリット型空調システム、ミニスプリット型空調システム、及び窓用空調システムが挙げられ、本明細書に記載される試験は、このようなシステムから得られる結果を代表する。実験システムは、空気−冷媒蒸発器（室内コイル）、圧縮機、空気−冷媒凝縮器（室外コイル）、及び膨張弁を含む。試験の動作条件は、以下のとおりである。
１．凝縮温度＝約４６℃（対応する室外周囲温度は約３５℃）
２．凝縮器過冷却＝約５．５℃
３．蒸発温度＝約７℃（対応する室内周囲温度は約２６．７℃）
４．蒸発器過熱＝約５．５℃
５．断熱効率＝７０％
６．容積効率＝１００％
７．吸気ライン中の温度上昇＝約５．５℃
【０７２４】
試験の性能結果を下記の表２に報告する。
【０７２５】
【表２】
2020536994.tif 000007
【０７２６】
表２は、同じシステムにおけるＲ−４１０Ａと比較した、本発明の冷媒Ａを用いて動作する住宅用空調システムの熱力学的性能を示す。特に、冷媒Ａは、Ｒ−４１０Ａに対して９８％の能力及びＲ−４１０Ａと比較して１０２％の効率を示す。これは、冷媒Ａが、このようなシステムにおけるＲ−４１０Ａの代替品として、かつこのようなシステムにおけるＲ−４１０Ａの追加導入品として、ドロップイン又はほぼドロップインであることを示し、更に、冷媒Ａは、Ｒ−４１０Ａと比較して９９％の圧力比を示し、これは、圧縮機の効率がＲ−４１０Ａと十分同等であり、Ｒ−４１０Ａと共に使用される圧縮機に変更を加える必要がないことを示す。また、冷媒Ａは、Ｒ−４１０Ａと比較して１０℃以内の圧縮機の吐出温度上昇を示し、これは、オイル分解又はモータ焼損のリスクが低い、良好な圧縮機の信頼性を示す。冷媒Ａの蒸発器勾配が２℃未満であることは、蒸発器勾配がシステム性能に影響を与えないことを示す。
【０７２７】
実施例３．住宅用ヒートポンプシステム（加熱）
冬季に温風（約２１℃）を建物に供給するように構成された住宅用ヒートポンプシステムについて試験する。実験システムは住宅用空調システムを含むが、システムがヒートポンプモードにあるときには冷媒流が反転し、室内コイルが凝縮器となり、室外コイルが蒸発器となる。住宅用ヒートポンプシステムとしては、スプリット型空調システム、ミニスプリット型空調システム、及び窓用空調システムが挙げられ、本明細書に記載される試験は、このようなシステムから得られる結果を代表する。試験の動作条件は、以下のとおりである。
１．凝縮温度＝約４１℃（対応する室内周囲温度は約２１．１℃）
２．凝縮器過冷却＝約５．５℃
３．蒸発温度＝約０．５℃（対応する室外周囲温度＝８．３℃）
４．蒸発器過熱＝約５．５℃
５．断熱効率＝７０％
６．容積効率＝１００％
７．吸気ライン中の温度上昇＝約５．５℃
【０７２８】
試験の性能結果を下記の表３に報告する。
【０７２９】
【表３】
2020536994.tif 000008
【０７３０】
表３は、同じシステムにおけるＲ−４１０Ａと比較した、本発明の冷媒Ａを用いて動作する住宅用ヒートポンプシステムの熱力学的性能を示す。特に、冷媒Ａは、Ｒ−４１０Ａに対して９７％の能力及びＲ−４１０Ａと比較して１０１％の効率を示す。これは、冷媒Ａが、このようなシステムにおけるＲ−４１０Ａの代替品として、かつこのようなシステムにおけるＲ−４１０Ａの追加導入品として、ドロップイン又はほぼドロップインであることを示す。更に、冷媒Ａは、Ｒ−４１０Ａと比較して９９％の圧力比を示し、これは、圧縮機の効率がＲ−４１０Ａと十分同等であり、Ｒ−４１０Ａと共に使用される圧縮機に変更を加える必要がないことを示す。また、冷媒Ａは、Ｒ−４１０Ａと比較して１０℃以内の圧縮機の吐出温度上昇を示し、これは、オイル分解又はモータ焼損のリスクが低い、良好な圧縮機の信頼性を示す。冷媒Ａの蒸発器勾配が２℃未満であることは、蒸発器勾配がシステム性能に影響を与えないことを示す。
【０７３１】
実施例４．商用空調システム−冷却器
冬季に温風（約２１℃）を建物に供給するように構成された商用空調システム（冷却器）について試験する。このようなシステムは、オフィス、病院などの大きな建物に冷水（約７℃）を供給し、特定の用途に応じて、冷却器システムは、通年稼働している場合がある。本明細書に記載される試験は、このようなシステムから得られる結果を代表する。
【０７３２】
試験の動作条件は、以下のとおりである。
１．凝縮温度＝約４６℃（対応する室外周囲温度＝３５℃）
２．凝縮器過冷却＝約５．５℃
３．蒸発温度＝約４．５℃（対応する冷却退出水温度＝約７℃）
４．蒸発器過熱＝約５．５℃
５．断熱効率＝７０％
６．容積効率＝１００％
７．吸気ライン中の温度上昇＝約２℃
【０７３３】
試験の性能結果を下記の表４に報告する。
【０７３４】
【表４】
2020536994.tif 000009
【０７３５】
表４は、同じシステムにおけるＲ−４１０Ａと比較した、本発明の冷媒Ａを用いて動作する商用空冷式冷却器システムの熱力学的性能を示す。特に、冷媒Ａは、Ｒ−４１０Ａに対して９８％の能力及びＲ−４１０Ａと比較して１０２％の効率を示す。これは、冷媒Ａが、このようなシステムにおけるＲ−４１０Ａの代替品として、かつこのようなシステムにおけるＲ−４１０Ａの追加導入品として、ドロップイン又はほぼドロップインであることを示す。更に、冷媒Ａは、Ｒ−４１０Ａと比較して９９％の圧力比を示し、これは、圧縮機の効率がＲ−４１０Ａと十分同等であり、Ｒ−４１０Ａと共に使用される圧縮機に変更を加える必要がないことを示す。また、冷媒Ａは、Ｒ−４１０Ａと比較して１０℃以内の圧縮機の吐出温度上昇を示し、これは、オイル分解又はモータ焼損のリスクが低い、良好な圧縮機の信頼性を示す。冷媒Ａの蒸発器勾配が２℃未満であることは、蒸発器勾配がシステム性能に影響を与えないことを示す。
【０７３６】
実施例５．−住宅用空気−水ヒートポンプ温水システム
冬季に床暖房又は同様の用途のために温水（約５０℃）を建物に供給するように構成された住宅用空気−水ヒートポンプ温水システムについて試験する。本明細書に記載される試験は、このようなシステムから得られる結果を代表する。
【０７３７】
試験の動作条件は、以下のとおりである。
１．凝縮温度＝約６０℃（対応する室内退出水温度＝約５０℃）
２．凝縮器過冷却＝約５．５℃
３．蒸発温度＝約０．５℃（対応する室外周囲温度＝約８．３℃）
４．蒸発器過熱＝約５．５℃
５．断熱効率＝７０％
６．容積効率＝１００％
７．吸気ライン中の温度上昇＝２℃
【０７３８】
試験の性能結果を下記の表５に報告する。
【０７３９】
【表５】
2020536994.tif 000010
【０７４０】
表５は、同じシステムにおけるＲ−４１０Ａと比較した、本発明の冷媒Ａを用いて動作する住宅用空気−水ヒートポンプ温水システムの熱力学的性能を示す。特に、冷媒Ａは、Ｒ−４１０Ａに対して１００％の能力及びＲ−４１０Ａと比較して１０３％の効率を示す。これは、冷媒Ａが、このようなシステムにおけるＲ−４１０Ａの代替品として、かつこのようなシステムにおけるＲ−４１０Ａの追加導入品として、ドロップイン又はほぼドロップインであることを示す。更に、冷媒Ａは、Ｒ−４１０Ａと比較して９８％の圧力比を示し、これは、圧縮機の効率がＲ−４１０Ａと十分同等であり、Ｒ−４１０Ａと共に使用される圧縮機に変更を加える必要がないことを示す。また、冷媒Ａは、Ｒ−４１０Ａと比較して、１０℃近くの圧縮機の吐出温度上昇を示す。冷媒Ａの蒸発器勾配が２℃未満であることは、蒸発器勾配がシステム性能に影響を与えないことを示す。
【０７４１】
実施例６．中温冷凍システム
冷蔵庫及びボトルクーラーなどにおいて食べ物又は飲み物を冷やすように構成された中温冷凍システムについて試験する。実験システムは、食べ物又は飲み物を冷やすための空気−冷媒蒸発器、圧縮機、熱を周囲空気と交換するための空気−冷媒凝縮器、及び膨張弁を含む。本明細書に記載される試験は、このようなシステムから得られる結果を代表する。
【０７４２】
試験の動作条件は、以下のとおりである。
１．凝縮温度＝約４５℃（対応する室外周囲温度＝約３５℃）
２．凝縮器過冷却＝約５．５℃
３．蒸発温度＝約−８℃（対応する庫内温度＝１．７℃）
４．蒸発器過熱＝約５．５℃
５．断熱効率＝６５％
６．容積効率＝１００％
７．吸気ライン中の温度上昇＝１０℃
【０７４３】
試験の性能結果を下記の表６に報告する。
【０７４４】
【表６】
2020536994.tif 000011
【０７４５】
表６は、同じシステムにおけるＲ−４１０Ａと比較した、本発明の冷媒Ａを用いて動作する中温冷凍システムの熱力学的性能を示す。特に、冷媒Ａは、Ｒ−４１０Ａに対して１００％の能力及びＲ−４１０Ａと比較して１０２％の効率を示す。これは、冷媒Ａが、このようなシステムにおけるＲ−４１０Ａの代替品として、かつこのようなシステムにおけるＲ−４１０Ａの追加導入品として、ドロップイン又はほぼドロップインであることを示す。更に、冷媒Ａは、Ｒ−４１０Ａと比較して９８％の圧力比を示し、これは、圧縮機の効率がＲ−４１０Ａと十分同等であり、Ｒ−４１０Ａと共に使用される圧縮機に変更を加える必要がないことを示す。また、冷媒Ａは、Ｒ−４１０Ａと比較して、１０℃近くの圧縮機の吐出温度上昇を示す。冷媒Ａの蒸発器勾配が２℃未満であることは、蒸発器勾配がシステム性能に影響を与えないことを示す。
【０７４６】
実施例７．低温冷凍システム
アイスクリーム製造機及び冷凍庫などにおいて食べ物を冷凍するように構成された低温冷凍システムについて試験する。実験システムは、食べ物又は飲み物を冷却又は冷凍するための空気−冷媒蒸発器、圧縮機、熱を周囲空気と交換するための空気−冷媒凝縮器、及び膨張弁を含む。本明細書に記載される試験は、このようなシステムから得られる結果を代表する。試験の動作条件は、以下のとおりである。
１．凝縮温度＝約５５℃（対応する室外周囲温度＝約３５℃）
２．凝縮器過冷却＝約５℃
３．蒸発温度＝約−２３℃（対応する庫内温度＝１．７℃）
４．蒸発器過熱＝約５．５℃
５．断熱効率＝６０％
６．容積効率＝１００％
７．吸気ライン中の温度上昇＝１℃
【０７４７】
試験の性能結果を下記の表７に報告する。
【０７４８】
【表７】
2020536994.tif 000012
【０７４９】
表７は、同じシステムにおけるＲ−４１０Ａと比較した、本発明の冷媒Ａを用いて動作する低温冷凍システムの熱力学的性能を示す。特に、冷媒Ａは、Ｒ−４１０Ａに対して１０４％の能力及びＲ−４１０Ａと比較して１０５％の効率を示す。更に、冷媒Ａは、Ｒ−４１０Ａと比較して９４％の圧力比を示す。冷媒Ａの蒸発器勾配が２℃未満であることは、蒸発器勾配がシステム性能に影響を与えないことを示す。
【０７５０】
実施例８．商用空調システム−パッケージ式ルーフトップ
冷却又は加熱した空気を建物に供給するように構成されたパッケージ式ルーフトップ商用空調システムについて試験する。実験システムは、パッケージ式ルーフトップ空調／ヒートポンプシステムを含み、空気−冷媒蒸発器（室内コイル）、圧縮機、空気−冷媒凝縮器（室外コイル）、及び膨張弁を有する。本明細書に記載される試験は、このようなシステムから得られる結果を代表する。試験の動作条件は、以下のとおりである。
１．凝縮温度＝約４６℃（対応する室外周囲温度＝約３５℃）
２．凝縮器過冷却＝約５．５℃
３．蒸発温度＝約７℃（対応する室内周囲温度＝２６．７℃）
４．蒸発器過熱＝約５．５℃
５．断熱効率＝７０％
６．容積効率＝１００％
７．吸気ライン中の温度上昇＝５．５℃
【０７５１】
試験の性能結果を下記の表８に報告する。
【０７５２】
【表８】
2020536994.tif 000013
【０７５３】
表８は、同じシステムにおけるＲ−４１０Ａと比較した、本発明の冷媒Ａを用いて動作するルーフトップ商用空調システムの熱力学的性能を示す。特に、冷媒Ａは、Ｒ−４１０Ａに対して９８％の能力及びＲ−４１０Ａと比較して１０２％の効率を示す。これは、冷媒Ａが、このようなシステムにおけるＲ−４１０Ａの代替品として、かつこのようなシステムにおけるＲ−４１０Ａの追加導入品として、ドロップイン又はほぼドロップインであることを示す。更に、冷媒Ａは、Ｒ−４１０Ａと比較して９９％の圧力比を示し、これは、圧縮機の効率がＲ−４１０Ａと十分同等であり、Ｒ−４１０Ａと共に使用される圧縮機に変更を加える必要がないことを示す。また、冷媒Ａは、Ｒ−４１０Ａと比較して１０℃未満の圧縮機の吐出温度を示し、これは、オイル分解又はモータ焼損のリスクがない、良好な圧縮機の信頼性を示す。冷媒Ａの蒸発器勾配が２℃未満であることは、蒸発器勾配がシステム性能に影響を与えないことを示す。
【０７５４】
実施例９−商用空調システム−可変冷媒流システム
冷却又は加熱した空気を建物に供給するように構成された可変冷媒流を用いる商用空調システムについて試験する。実験システムは、複数（４つ以上）の空気−冷媒蒸発器（室内コイル）、圧縮機、空気−冷媒凝縮器（室外コイル）、及び膨張弁を含む。本明細書に記載される試験は、このようなシステムから得られる結果を代表する。試験の動作条件は、以下のとおりである。
１．凝縮温度＝約４６℃、対応する室外周囲温度＝３５℃
２．凝縮器過冷却＝約５．５℃
３．蒸発温度＝約７℃（対応する室内周囲温度＝２６．７℃）
４．蒸発器過熱＝約５．５℃
５．断熱効率＝７０％
６．容積効率＝１００％
７．吸気ライン中の温度上昇＝５．５℃
【０７５５】
【表９】
2020536994.tif 000014
【０７５６】
表９は、同じシステムにおけるＲ−４１０Ａと比較した、本発明の冷媒Ａを用いて動作するＶＲＦ商用空調システムの熱力学的性能を示す。特に、冷媒Ａは、Ｒ−４１０Ａに対して９８％の能力及びＲ−４１０Ａと比較して１０２％の効率を示す。これは、冷媒Ａが、このようなシステムにおけるＲ−４１０Ａの代替品として、かつこのようなシステムにおけるＲ−４１０Ａの追加導入品として、ドロップイン又はほぼドロップインであることを示す。更に、冷媒Ａは、Ｒ−４１０Ａと比較して９９％の圧力比を示し、これは、圧縮機の効率がＲ−４１０Ａと十分同等であり、Ｒ−４１０Ａと共に使用される圧縮機に変更を加える必要がないことを示す。また、冷媒Ａは、Ｒ−４１０Ａと比較して１０℃未満の圧縮機の吐出温度を示し、これは、オイル分解又はモータ焼損のリスクがない、良好な圧縮機の信頼性を示す。冷媒Ａの蒸発器勾配が２℃未満であることは、蒸発器勾配がシステム性能に影響を与えないことを示す。
【０７５７】
実施例１０−冷媒及び潤滑剤を含む熱伝達組成物のための安定化剤
本発明の熱伝達組成物を、ＡＳＨＲＡＥ  Ｓｔａｎｄａｒｄ  ９７−「Ｓｅａｌｅｄ  Ｇｌａｓｓ  Ｔｕｂｅ  Ｍｅｔｈｏｄ  ｔｏ  Ｔｅｓｔ  ｔｈｅ  Ｃｈｅｍｉｃａｌ  Ｓｔａｂｉｌｉｔｙ  ｏｆ  Ｍａｔｅｒｉａｌｓ  ｆｏｒ  Ｕｓｅ  ｗｉｔｈｉｎ  Ｒｅｆｒｉｇｅｒａｎｔ  Ｓｙｓｔｅｍｓ」に従って試験して、加速エージングによる熱伝達組成物の長期安定性をシミュレートする。試験後、ハロゲン化物の濃度は、熱伝達組成物中の使用条件下で冷媒の安定性を反映すると考えられ、全酸価（ＴＡＮ）は、熱伝達組成物中の使用条件下で潤滑剤の安定性を反映すると考えられる。
【０７５８】
本発明による安定化剤を冷媒／潤滑剤組成物に添加する効果を示すために、以下の実験を行った。それぞれ脱気した後、示した冷媒の５０重量％と示した潤滑剤の５０重量％とを含有する封止チューブを調製する。各チューブは、鋼、銅、アルミニウム、及び青銅のクーポンを含む。封止チューブを約１７５℃に維持した炉内に１４日間配置することによって安定性を試験する。各々の場合において、試験した潤滑剤は、４０℃で約３２ｃＳｔの粘度を有するＩＳＯ  ３２  ＰＯＥ（潤滑剤Ａ）、４０℃で約６８ｃＳｔの粘度を有するＩＳＯ  ６８  ＰＯＥ（潤滑剤Ｂ）であり、各潤滑剤は３００ｐｐｍ未満の含水量を有した。表１０Ａに示す以下の冷媒を試験する。
【０７５９】
【表１０Ａ】
2020536994.tif 000015
【０７６０】
いずれの安定化剤も含まない潤滑剤及び冷媒の各対について試験を行い、結果は以下のとおりであった。
潤滑剤の目視−不透明又は黒色
金属の目視−光沢がない
固体の存在−あり
ハロゲン化物＞１００ｐｐｍ
ＴＡＮ＞１０ｍｇＫＯＨ／ｇ
【０７６１】
表１０Ｂに示す以下の安定化剤は、示した安定化剤の安定化剤パッケージ中の重量パーセントとして表中の重量パーセントを有し、安定化剤及び冷媒の総重量に基づいて約１．５％〜約１０％の量で試験される。
【０７６２】
【表１０Ｂ】
2020536994.tif 000016
【０７６３】
これらの安定化剤及び潤滑剤Ａを用いた試験の結果を以下の表１０Ｃに報告する。
【０７６４】
【表１０Ｃ】
2020536994.tif 000017
【０７６５】
この試験は、これらの各試験における潤滑剤が無色透明であり、金属が光沢を有し（変化なし）、固体が存在せず、ハロゲン化物及びＴＡＮの濃度が許容限度内であったことを示し、これらの全ては安定化剤が有効であったことを示す。
【０７６６】
潤滑剤Ｂを用いて、同じ冷媒及び同じ安定化剤を使用した同じ試験を行い、同様の結果が達成された。
【０７６７】
実施例１１−ＰＯＥ油との混和性
ＩＳＯ  ＰＯＥ−３２油（４０℃の温度で約３２ｃＳｔの粘度を有する）の混和性を、Ｒ−４１０Ａ冷媒に対して、及び上記実施例１の表１に示した冷媒Ａに対して、潤滑剤と冷媒との異なる重量比及び異なる温度について試験する。この試験の結果を下記の表１１に報告する。
【０７６８】
【表１１】
2020536994.tif 000018
【０７６９】
上記の表から分かるように、Ｒ−４１０Ａは、約−２２℃未満でＰＯＥ油と不混和性であり、したがって蒸発器内のＰＯＥ油の蓄積を克服する対策を講じなければ、Ｒ−４１０Ａを低温冷凍用途で使用することはできない。更に、Ｒ−４１０Ａは、５０℃超でＰＯＥ油と非混和性であり、これは、高い周囲条件でＲ−４１０Ａを使用する場合に凝縮器及び送液ラインにおいて問題を引き起こす（例えば、分離したＰＯＥ油が閉じ込められて堆積する）ことになる。反対に、出願人らは、驚くべきことに、かつ予想外に、本発明の冷媒が、−４０℃〜８０℃の温度範囲にわたってＰＯＥ油と完全に混和性であり、したがってこのようなシステムで使用する場合、実質的かつ予想外の利点を提供することを見出した。
【０７７０】
実施例１２−封鎖を有する住宅用空調システム（冷却）及び安定化剤を有する熱伝達組成物
オイルセパレータがシステムに含まれ、独立して封鎖材料１〜４からなるいくつかの封鎖材料がオイルセパレータの液体部分に含まれることを除いて、実施例２を繰り返す。熱伝達組成物は、本明細書に記載される量の潤滑剤１及び安定化剤１を含む。システムは、各々の場合において実施例２に示したように動作し、本明細書の実施例１０及び２０〜３０に示した試験に従って、許容可能なレベルの安定性を有する動作が少なくとも１年間存続するような高レベルの安定性を示すように動作する。
【０７７１】
実施例１３−封鎖を有する住宅用ヒートポンプシステム（加熱）及び安定化剤を有する熱伝達組成物
オイルセパレータがシステムに含まれ、独立して封鎖材料１〜４からなるいくつかの封鎖材料がオイルセパレータの液体部分に含まれることを除いて、実施例３を繰り返す。熱伝達組成物は、本明細書に記載される量の潤滑剤１及び安定化剤１を含む。システムは、各々の場合において実施例２に示したように動作し、本明細書の実施例１０及び２０〜３０に示した試験に従って、許容可能なレベルの安定性を有する動作が少なくとも１年間存続するような高レベルの安定性を示すように動作する。
【０７７２】
実施例１４−封鎖を有する商用空調システム（冷却器）及び安定化剤を有する熱伝達組成物
オイルセパレータがシステムに含まれ、独立して封鎖材料１〜４からなるいくつかの封鎖材料がオイルセパレータの液体部分に含まれることを除いて、実施例４を繰り返す。熱伝達組成物は、本明細書に記載される量の潤滑剤１及び安定化剤１を含む。システムは、各々の場合において実施例２に示したように動作し、本明細書の実施例１０及び２０〜３０に示した試験に従って、許容可能なレベルの安定性を有する動作が少なくとも１年間存続するような高レベルの安定性を示すように動作する。
【０７７３】
実施例１５−封鎖を有する住宅用空気−水ヒートポンプ温水システム及び安定化剤を有する熱伝達組成物
オイルセパレータがシステムに含まれ、独立して封鎖材料１〜４からなるいくつかの封鎖材料がオイルセパレータの液体部分に含まれることを除いて、実施例５を繰り返す。熱伝達組成物は、本明細書に記載される量の潤滑剤１及び安定化剤１を含む。システムは、各々の場合において実施例２に示したように動作し、本明細書の実施例１０及び２０〜３０に示した試験に従って、許容可能なレベルの安定性を有する動作が少なくとも１年間存続するような高レベルの安定性を示すように動作する。
【０７７４】
実施例１６−封鎖を有する中温冷凍システム及び安定化剤を有する熱伝達組成物
オイルセパレータがシステムに含まれ、独立して封鎖材料１〜４からなるいくつかの封鎖材料がオイルセパレータの液体部分に含まれることを除いて、実施例６を繰り返す。熱伝達組成物は、本明細書に記載される量の潤滑剤１及び安定化剤１を含む。システムは、各々の場合において実施例２に示したように動作し、本明細書の実施例１０及び２０〜３０に示した試験に従って、許容可能なレベルの安定性を有する動作が少なくとも１年間存続するような高レベルの安定性を示すように動作する。
【０７７５】
実施例１７−封鎖を有する低温冷凍システム及び安定化剤を有する熱伝達組成物
オイルセパレータがシステムに含まれ、独立して封鎖材料１〜４からなるいくつかの封鎖材料がオイルセパレータの液体部分に含まれることを除いて、実施例７を繰り返す。熱伝達組成物は、本明細書に記載される量の潤滑剤１及び安定化剤１を含む。システムは、各々の場合において実施例２に示したように動作し、本明細書の実施例１０及び２０〜３０に示した試験に従って、許容可能なレベルの安定性を有する動作が少なくとも１年間存続するような高レベルの安定性を示すように動作する。
【０７７６】
実施例１８−封鎖を有する商用空調システム−パッケージ式ルーフトップ及び安定化剤を有する熱伝達組成物
オイルセパレータがシステムに含まれ、独立して封鎖材料１〜４からなるいくつかの封鎖材料がオイルセパレータの液体部分に含まれることを除いて、実施例８を繰り返す。熱伝達組成物は、本明細書に記載される量の潤滑剤１及び安定化剤１を含む。システムは、各々の場合において実施例２に示したように動作し、本明細書の実施例１０及び２０〜３０に示した試験に従って、許容可能なレベルの安定性を有する動作が少なくとも１年間存続するような高レベルの安定性を示すように動作する。
【０７７７】
実施例１９−封鎖を有する商用空調システム−可変冷媒流システム及び安定化剤を有する熱伝達組成物
オイルセパレータがシステムに含まれ、独立して封鎖材料１〜４からなるいくつかの封鎖材料がオイルセパレータの液体部分に含まれることを除いて、実施例９を繰り返す。熱伝達組成物は、本明細書に記載される量の潤滑剤１及び安定化剤１を含む。システムは、各々の場合において実施例２に示したように動作し、本明細書の実施例１０及び２０〜３０に示した試験に従って、許容可能なレベルの安定性を有する動作が少なくとも１年間存続するような高レベルの安定性を示すように動作する。
【０７７８】
実施例２０−銀ゼオライトを含む封鎖材料
封鎖材料として作用するゼオライトを含む銀の能力を試験した。試験したゼオライトは、Ｈｏｎｅｙｗｅｌｌ  ＵＯＰから入手可能なＵＰＯ  ＩＯＮＳＩＶ  Ｄ７３１０−Ｃであった。開口部は、約１５〜約３５Åのそれらの最大寸法全体にわたるサイズを有する。
【０７７９】
約１０００ｐｐｍの量の一級酸化防止剤安定剤ＢＨＴを含む８０重量％のＰＯＥ油（ＰＯＥ  ＩＳＯ  ３２、Ｅｍｋａｒａｔｅ  ＲＬ  ３２−３ＭＡＦ）と、２０重量％のＣＦ３Ｉとの配合物を、封止チューブ内に配置し、１９０℃で２日間にわたって加熱した。これらの条件で、冷媒及び潤滑剤の破壊を生じさせた。次いで、封止チューブを開き、油の試料を取り出した。
【０７８０】
次いで、油試料を、ゼオライトと共にＦｉｓｃｈｅｒ−Ｐｏｒｔｅｒチューブ内に配置した。試料（潤滑剤）に対する乾燥ゼオライトの量を測定した。次いで、チューブを１５℃又は５０℃のいずれかで１１４時間（４．７５日）にわたって維持した。チューブは、２時間毎に振盪して、ゼオライト及び試料が適切に混合することを確実にした。
【０７８１】
試料の全酸価（ＴＡＮ）、ヨウ化物ｐｐｍ、及びフッ化物ｐｐｍを、開始時（すなわち、ＣＦ３Ｉ及びＰＯＥ油の分解後、かつゼオライトとの組み合わせ前）、及び終了時（すなわち、ゼオライトとの組み合わせ後、かつ１５℃又は５０℃で１１４時間の終了時）に測定した。ＴＡＮ、フッ化物、及びヨウ化物の濃度を、実施例１０に記載の同じ方法に従って測定した。
【０７８２】
試験の結果を表２０に記載する。
【０７８３】
【表２０】
2020536994.tif 000019
【０７８４】
上記の試験は、ＰＯＥ油及びＣＦ３Ｉ冷媒の組成物が分解した後にそれを効果的に「復元する」ゼオライトの能力を証明している。
【０７８５】
この結果は、約５ｐｐｈｌゼオライト又は約２１ｐｐｈｌゼオライトのいずれかを使用した場合、ゼオライトが、１５℃及び５０℃の両方において、分解試料のヨウ化物及びフッ化物レベルを低減することができたことを証明している。しかしながら、ゼオライトは、１５℃よりも５０℃の方が、また、約５ｐｐｈｌよりも約２１ｐｐｈｌゼオライトの方が、より良好に機能した。驚くべきことに、５０℃で約２１ｐｐｈｌゼオライトでは、極僅かなヨウ化物しか検出されなかった。
【０７８６】
この結果はまた、約２１ｐｐｈｌゼオライトの濃度では、１５℃及び５０℃の両方でＴＡＮが低減されたことも示している。
【０７８７】
実施例２１
封鎖材料として作用する陰イオン交換樹脂の能力を試験した。
【０７８８】
２つの異なる陰イオン交換樹脂を試験した。
【０７８９】
第１の樹脂
第１の樹脂は、塩化物交換性イオンを有する強塩基性（１型）陰イオン交換樹脂（Ｄｏｗｅｘ（登録商標）１Ｘ８塩化物形態）であった。
【０７９０】
【表Ｂ】
2020536994.tif 000020
【０７９１】
第１の樹脂は、修飾することなく使用した。
【０７９２】
第２の樹脂
第２の樹脂は、塩化物交換性イオンを有する強塩基性の（１型）陰イオン交換樹脂（Ｄｏｗｅｘ（登録商標）１Ｘ８塩化物形態）であった。
【０７９３】
【表Ｃ】
2020536994.tif 000021
【０７９４】
第２の樹脂は、以下の実施例で使用する前に、５〜１０ベッド容量の４％  ＮａＯＨによって少なくとも１時間にわたって樹脂を緩やかに洗浄し、続いて、流出液のｐＨが７±０．５になるまで、脱イオン水によって洗浄することによって、塩化物形態からヒドロオキシ形態に変換した。ｐＨは、リトマス試験紙を使用して測定した。
【０７９５】
方法及び結果
約１０００ｐｐｍの量の一級酸化防止剤安定剤ＢＨＴを含む８０重量％のＰＯＥ油（ＰＯＥ  ＩＳＯ  ３２、Ｅｍｋａｒａｔｅ  ＲＬ  ３２−３ＭＡＦ）と、２０重量％のＣＦ３Ｉとの配合物を、封止チューブ内に配置し、１９０℃で２日間にわたって加熱した。これらの条件で、冷媒及び潤滑剤の破壊を生じさせた。次いで、封止チューブを開き、油の試料を取り出した。
【０７９６】
次いで、試料を、陰イオン交換樹脂と共にＦｉｓｃｈｅｒ−Ｐｏｒｔｅｒチューブ内に配置した。試料に対する乾燥樹脂の量を測定した。次いで、チューブを１５℃又は５０℃のいずれかで１１４時間（４．７５日）にわたって維持した。チューブは、２時間毎に振盪して、樹脂及び試料が適切に混合することを確実にした。
【０７９７】
試料の全酸価（ＴＡＮ）、ヨウ化物ｐｐｍ、及びフッ化物ｐｐｍを、開始時（すなわち、ＣＦ３Ｉ及びＰＯＥ油の分解後、かつ樹脂との組み合わせ前）、及び終了時（すなわち、樹脂との組み合わせ後、かつ１５℃又は５０℃で１１４時間の終了時）に測定した。ＴＡＮ、フッ化物、及びヨウ化物の濃度を、実施例１０と同じ方法に従って測定した。
【０７９８】
結果を下記の表２１に記載する。
【０７９９】
【表２１】
2020536994.tif 000022
【０８００】
上記の試験は、ＰＯＥ油及びＣＦ３Ｉ冷媒の組成物が分解した後にそれを効果的に「復元する」陰イオン交換樹脂の能力を証明している。
【０８０１】
この結果は、約４ｐｐｈｌゼオライト又は約１６ｐｐｈｌ樹脂のいずれかを使用した場合、どちらの樹脂も、１５℃及び５０℃の両方において、分解試料のヨウ化物及びフッ化物レベルを低減することができたことを証明している。どちらの樹脂も、１５℃よりも５０℃の方が、また、約４ｐｐｈｌよりも約１６ｐｐｈｌゼオライトの方が、より良好に機能した。
【０８０２】
第２の樹脂は、両方の温度で（すなわち、１５℃及び５０℃で）、かつ両方の樹脂濃度で（すなわち約４ｐｐｈｌ、及び約１６ｐｐｈｌ樹脂で）試料のＴＡＮを低減することができた。
【０８０３】
実施例２２
以下の２つの陰イオン樹脂を使用したことを除いて、実施例２２を繰り返す：
Ａ−以下の特性を有する、Ａｍｂｅｒｌｙｓｔ  Ａ２１（遊離塩基）の商品名で販売されている産業グレードの弱塩基陰イオン交換樹脂：
【０８０４】
【表Ｄ】
2020536994.tif 000023
【０８０５】
Ｂ−以下の特性を有する、Ａｍｂｅｒｌｙｓｔ  Ａ２２の商品名で販売されている産業グレードの弱塩基陰イオン交換樹脂：
【０８０６】
【表Ｅ】
2020536994.tif 000024
【０８０７】
これらの樹脂の各々は、上記の材料を除去及び／又は低減するのに効果的であることが分かった。
【０８０８】
実施例２３
封鎖材料として作用する陰イオン交換樹脂及びゼオライトの組み合わせの能力を試験した。
【０８０９】
陰イオン交換樹脂
樹脂は、水酸基交換性イオン（Ｄｏｗｅｘ（登録商標）Ｍａｒａｔｈｏｎ（商標）Ａ、水酸化物形態）を有する強塩基性（１型）陰イオン交換樹脂であった。
【０８１０】
【表Ｆ】
2020536994.tif 000025
【０８１１】
樹脂は、修飾することなく使用した。
【０８１２】
ゼオライト
試験したゼオライトは、Ｈｏｎｅｙｗｅｌｌ  ＵＯＰから入手可能なＵＰＯ  ＩＯＮＳＩＶ  Ｄ７３１０−Ｃであった。開口部は、約１５〜約３５Åのそれらの最大寸法全体にわたるサイズを有する。
【０８１３】
方法及び結果
約１０００ｐｐｍの量の一級酸化防止剤安定化剤ＢＨＴを含む８０重量％のＰＯＥ油（ＰＯＥ  ＩＳＯ３２、Ｅｍｋａｒａｔｅ  ＲＬ  ３２−３ＭＡＦ）と、２０重量％のＣＦ３Ｉとの配合物を、封止チューブ内に配置し、１７５℃で２日間にわたって加熱した。これらの条件で、冷媒及び潤滑剤の破壊を生じさせた。次いで、封止チューブを開き、油（すなわち、潤滑剤）の試料を取り出した。
【０８１４】
次いで、潤滑剤試料を、陰イオン交換樹脂及びゼオライトの組み合わせと共にＦｉｓｃｈｅｒ−Ｐｏｒｔｅｒチューブ内に配置した。試料に対する乾燥樹脂及びゼオライトの量を測定した。次いで、チューブを、約５０℃で１９２時間（８日）にわたって維持した。チューブは、２時間毎に振盪して、樹脂及び試料が適切に混合することを確実にした。
【０８１５】
油の全酸価（ＴＡＮ）、ヨウ化物ｐｐｍ、及びフッ化物ｐｐｍを、開始時（すなわち、ＣＦ３Ｉ及びＰＯＥ油の分解後、かつ樹脂及びゼオライトとの組み合わせ前）、及び終了時（すなわち、樹脂及びゼオライトとの組み合わせ後、かつ５０℃で１９２時間の終了時）に測定した。ＴＡＮ、フッ化物、及びヨウ化物の濃度を、実施例１と同じ方法に従って測定した。
【０８１６】
結果を下記の表２３に記載する。
【０８１７】
【表２３】
2020536994.tif 000026
【０８１８】
上記の試験は、ＰＯＥ油及びＣＦ３Ｉ冷媒の組成物が分解した後にそれを効果的に「復元する」陰イオン交換樹脂及びゼオライトの組み合わせの能力を証明している。この結果は、異なる比率の陰イオン交換樹脂及びゼオライトを使用した場合、どちらの樹脂も、５０℃において、分解試料のヨウ化物及びフッ化物レベルを低減することができたことを証明している。ゼオライト対イオン交換重量２５：７５は、試料のＴＡＮの最大の低減を示し、更に、ヨウ化物及びフッ化物含有量（ｐｐｍ）の最高の減少を示した。
【０８１９】
実施例２４
処理されている熱伝達組成物の百分率でのゼオライトの量の関数として、フッ化物、ヨウ化物の除去、及びＴＡＮ低減しのレベルを研究した。
【０８２０】
試験したゼオライトは、Ｈｏｎｅｙｗｅｌｌ  ＵＯＰから入手可能なＵＰＯ  ＩＯＮＳＩＶ  Ｄ７３１０−Ｃであった。開口部は、約１５〜約３５Åのそれらの最大寸法全体にわたるサイズを有する。
【０８２１】
約１０００ｐｐｍの量の一級酸化防止剤安定化剤ＢＨＴを含む８０重量％のＰＯＥ油（ＰＯＥ  ＩＳＯ  ３２、Ｅｍｋａｒａｔｅ  ＲＬ  ３２−３ＭＡＦ）と、２０重量％のＣＦ３Ｉとの配合物を、封止チューブ内に配置し、１７５℃で２日間にわたって加熱した。これらの条件で、冷媒及び潤滑剤の破壊を生じさせた。次いで、封止チューブを開き、油の試料を取り出した。
【０８２２】
次いで、前述の段落に従って、破壊後に生成された潤滑剤試料の一部分を、５つのＰａｒｒセルに充填し、セルの各々は、セル内に配置された潤滑剤の重量に基づいて、異なる量（重量による）のゼオライトを有する。次いで、Ｐａｒｒセルを５０℃に維持し、各セル内の材料を１５日にわたって２４時間毎に試験した。Ｐａｒｒセルは、毎日振盪して、ゼオライト及び潤滑剤が適切に混合することを確実にした。
【０８２３】
油の全酸価（ＴＡＮ）、ヨウ化物ｐｐｍ、及びフッ化物ｐｐｍを、開始時（すなわち、ＣＦ３Ｉ及びＰＯＥ油の分解後、かつゼオライトとの組み合わせ前）に、及び１５日間にわたって２４時間毎に（すなわち、５０℃でのゼオライトとの組み合わせ後）に測定した。
【０８２４】
試験の結果を下記の表２４に記載する：
【０８２５】
【表２４】
2020536994.tif 000027
【０８２６】
上記の試験は、潤滑剤、特定のＰＯＥ油、及びＣＦ３Ｉ冷媒の組成物が分解した後にそれを効果的に「復元する」ゼオライトの能力を証明している。
【０８２７】
この結果は、１０ｐｐｈｌを超える量のゼオライトが、ヨウ化物レベルを検出不能限度まで低減する際により効果的であること、及び５ｐｐｈｌを超えるゼオライト材料の量が、フッ化物レベルを検出不能の限度まで低減する際により効果的であることを示している。この結果はまた、１５ｐｐｈｌを超えるゼオライトの量が、ＴＡＮを低減する際に最も効果的であることも示している。
【０８２８】
実施例２５−好ましいイオン交換材料
封鎖材料として作用する産業グレードの弱塩基陰イオン交換吸着材樹脂Ａｍｂｅｒｌｙｓｔ  Ａ２１（遊離塩基）の能力を試験した。弱塩基アニオン樹脂は、遊離塩基形態であり、三級アミン（無荷電）によってｅ官能化される。三級アミンは、窒素上に１対の自由孤立電子を含み−酸の存在下で容易にプロトン化される。イオン交換樹脂は、酸によってプロトン化され、次いで、任意の追加的な種を溶液中に戻すことに寄与することなく、完全に酸を除去するために、陰イオンの対イオンを引き付け、結合する。
【０８２９】
出願人らは、Ａｍｂｅｒｌｙｓｔ  Ａ２１が、本発明に従って使用するための優れた材料であることを見出した。この材料は、マクロ多孔性構造を有し、この構造は、本方法及びシステムにおいて、物理的に非常に安定しており、かつ破損に抵抗し、また、寿命にわたって、冷凍システムの高い流速に耐えることができる。
【０８３０】
実施例２６
封鎖材料として作用する産業グレードの弱塩基陰イオン交換吸着材樹脂Ａｍｂｅｒｌｙｓｔ  Ａ２１（遊離塩基）の能力を試験した。弱塩基アニオン樹脂は、遊離塩基形態であり、三級アミン（無荷電）によってｅ官能化される。三級アミンは、窒素上に１対の自由孤立電子を含み−酸の存在下で容易にプロトン化される。イオン交換樹脂は、酸によってプロトン化され、次いで、任意の追加的な種を溶液中に戻すことに寄与することなく、完全に酸を除去するために、陰イオンの対イオンを引き付け、結合する。Ａｍｂｅｒｌｙｓｔ  Ａ２１のマトリックスは、マクロ多孔性である。そのマクロ多孔性構造は、物理的に非常に安定しており、かつ破損に抵抗する。また、寿命にわたって、冷凍システムの高い流速に耐えることができる。以下の特性を有する、Ａｍｂｅｒｌｙｓｔ  Ａ２１（遊離塩基）の商品名で販売されている産業グレードの弱塩基陰イオン交換樹脂：
【０８３１】
【表Ｇ】
2020536994.tif 000028
【０８３２】
約１０００ｐｐｍの量の一級酸化防止剤安定剤ＢＨＴを含む８０重量％のＰＯＥ油（ＰＯＥ  ＩＳＯ  ３２、Ｅｍｋａｒａｔｅ  ＲＬ  ３２−３ＭＡＦ）と、２０重量％のＣＦ３Ｉとの混合物を、シリンダ内に配置し、１７５℃で２日間にわたって加熱した。これらの条件で、冷媒及び潤滑剤の破壊を生じさせた。次いで、シリンダを開き、油の試料を取り出した。
【０８３３】
次いで、試料を、Ａｍｂｅｒｌｙｓｔ  Ａ２１と共にＰａｒｒセル内に配置した。試料に対する乾燥Ａｍｂｅｒｌｙｓｔ  Ａ２１の量を測定した。次いで、Ｐａｒｒセルを５０℃のいずれかで２０日間にわたって維持した。セルは、毎日振盪して、Ａｍｂｅｒｌｙｓｔ  Ａ２１及び試料を適切に混合することを確実にした。
【０８３４】
試料の全酸価（ＴＡＮ）、ヨウ化物ｐｐｍ、及びフッ化物ｐｐｍを、開始時（すなわち、ＣＦ３Ｉ及びＰＯＥ油の分解後、かつＡｍｂｅｒｌｙｓｔ  Ａ２１との組み合わせ前）、及び終了時（すなわち、Ａｍｂｅｒｌｙｓｔ  Ａ２１との組み合わせ後）に測定した。ＴＡＮ、フッ化物、及びヨウ化物の濃度を、本明細書に記載される方法に従って測定した。
【０８３５】
試験の結果を表２６に記載する。
【０８３６】
【表２６】
2020536994.tif 000029
【０８３７】
上記の試験は、ＰＯＥ油及びＣＦ３Ｉ冷媒の組成物が分解した後にそれを効果的に「復元する」Ａｍｂｅｒｌｙｓｔ  Ａ２１の能力を証明している。
【０８３８】
この結果は、３０重量％以上のＡｍｂｅｒｌｙｓｔ  Ａ２１を使用した場合に、Ａｍｂｅｒｌｙｓｔ  Ａ２１が、５０℃において、ヨウ化物及びフッ化物のレベルを分解試料の検出可能レベル未満に低減することができたことを証明している。
【０８３９】
実施例２７
封鎖材料として作用する産業グレードの弱塩基陰イオン交換吸着材樹脂Ａｍｂｅｒｌｙｓｔ  Ａ２２（遊離塩基）の能力を試験した。弱塩基アニオン樹脂は、遊離塩基形態であり、三級アミン（無荷電）によってｅ官能化される。三級アミンは、窒素上に１対の自由孤立電子を含み−酸の存在下で容易にプロトン化される。イオン交換樹脂は、酸によってプロトン化され、次いで、任意の追加的な種を溶液中に戻すことに寄与することなく、完全に酸を除去するために、陰イオンの対イオンを引き付け、結合する。そのマクロ多孔性構造は、物理的に非常に安定しており、かつ破損に抵抗する。また、寿命にわたって、冷凍システムの高い流速に耐えることができる。以下の特性を有する、Ａｍｂｅｒｌｙｓｔ  Ａ２２の商品名で販売されている産業グレードの弱塩基陰イオン交換樹脂：
【０８４０】
【表Ｈ】
2020536994.tif 000030
【０８４１】
約１０００ｐｐｍの量の一級酸化防止剤安定剤ＢＨＴを含む８０重量％のＰＯＥ油（ＰＯＥ  ＩＳＯ  ３２、Ｅｍｋａｒａｔｅ  ＲＬ  ３２−３ＭＡＦ）と、２０重量％のＣＦ３Ｉとの混合物を、シリンダ内に配置し、１７５℃で２日間にわたって加熱した。これらの条件で、冷媒及び潤滑剤の破壊を生じさせた。次いで、シリンダを開き、油の試料を取り出した。
【０８４２】
次いで、試料を、Ａｍｂｅｒｌｙｓｔ  Ａ２２と共にＰａｒｒセル内に配置した。試料に対する乾燥Ａｍｂｅｒｌｙｓｔ  Ａ２２の量を測定した。次いで、Ｐａｒｒセルを５０℃のいずれかで２０日間にわたって維持した。セルは、毎日振盪して、Ａｍｂｅｒｌｙｓｔ  Ａ２２及び試料を適切に混合することを確実にした。
【０８４３】
試料の全酸価（ＴＡＮ）、ヨウ化物ｐｐｍ、及びフッ化物ｐｐｍを、開始時（すなわち、ＣＦ３Ｉ及びＰＯＥ油の分解後、かつＡｍｂｅｒｌｙｓｔ  Ａ２２との組み合わせ前）、及び終了時（すなわち、Ａｍｂｅｒｌｙｓｔ  Ａ２２との組み合わせ後）に測定した。ＴＡＮ、フッ化物、及びヨウ化物の濃度を、本明細書に記載される方法に従って測定した。
【０８４４】
試験の結果を表２７に記載する。
【０８４５】
【表２７】
2020536994.tif 000031
【０８４６】
上記の試験は、ＰＯＥ油及びＣＦ３Ｉ冷媒の組成物が分解した後にそれを効果的に「復元する」Ａｍｂｅｒｌｙｓｔ  Ａ２２の能力を証明している。
【０８４７】
この結果は、１０重量％及び３０重量％のＡｍｂｅｒｌｙｓｔ  Ａ２２を使用した場合、Ａｍｂｅｒｌｙｓｔ  Ａ２２が、５０℃において、分解試料のヨウ化物及びフッ化物レベルを低減することができたことを証明している。
【０８４８】
実施例２８
封鎖材料として作用する産業グレードの弱塩基陰イオン交換吸着材樹脂Ａｍｂｅｒｌｉｔｅ  ＩＲＡ９６の能力を試験した。弱塩基アニオン樹脂は、遊離塩基形態であり、三級アミン（無荷電）によってｅ官能化される。三級アミンは、窒素上に１対の自由孤立電子を含み−酸の存在下で容易にプロトン化される。イオン交換樹脂は、酸によってプロトン化され、次いで、任意の追加的な種を溶液中に戻すことに寄与することなく、完全に酸を除去するために、陰イオンの対イオンを引き付け、結合する。そのマクロ多孔性構造は、物理的に非常に安定しており、かつ破損に抵抗する。また、寿命にわたって、冷凍システムの高い流速に耐えることができる。この樹脂の高い多孔性は、大きい有機分子の効率的な吸着を可能にする。以下の特性を有する、Ａｍｂｅｒｌｉｔｅ  ＩＲＡ９６の商品名で販売されている産業グレードの弱塩基陰イオン交換樹脂：
【０８４９】
【表Ｉ】
2020536994.tif 000032
【０８５０】
約１０００ｐｐｍの量の一級酸化防止剤安定剤ＢＨＴを含む８０重量％のＰＯＥ油（ＰＯＥ  ＩＳＯ  ３２、Ｅｍｋａｒａｔｅ  ＲＬ  ３２−３ＭＡＦ）と、２０重量％のＣＦ３Ｉとの混合物を、シリンダ内に配置し、１７５℃で２日間にわたって加熱した。これらの条件で、冷媒及び潤滑剤の破壊を生じさせた。次いで、シリンダを開き、油の試料を取り出した。
【０８５１】
次いで、試料を、Ａｍｂｅｒｌｉｔｅ  ＩＲＡ９６と共にＰａｒｒセル内に配置した。試料に対する乾燥Ａｍｂｅｒｌｉｔｅ  ＩＲＡ９６の量を測定した。次いで、Ｐａｒｒセルを５０℃のいずれかで２０日間にわたって維持した。セルは、毎日振盪して、Ａｍｂｅｒｌｉｔｅ  ＩＲＡ９６及び試料を適切に混合することを確実にした。
【０８５２】
試料の全酸価（ＴＡＮ）、ヨウ化物ｐｐｍ、及びフッ化物ｐｐｍを、開始時（すなわち、ＣＦ３Ｉ及びＰＯＥ油の分解後、かつＡｍｂｅｒｌｉｔｅ  ＩＲＡ９６との組み合わせ前）、及び終了時（すなわち、Ａｍｂｅｒｌｉｔｅ  ＩＲＡ９６との組み合わせ後）に測定した。ＴＡＮ、フッ化物、及びヨウ化物の濃度を、本明細書に記載される方法に従って測定した。
【０８５３】
試験の結果を表２８に記載する。
【０８５４】
【表２８】
2020536994.tif 000033
【０８５５】
上記の試験は、ＰＯＥ油及びＣＦ３Ｉ冷媒の組成物が分解した後にそれを効果的に「復元する」Ａｍｂｅｒｌｉｔｅ  ＩＲＡ９６の能力を証明している。
【０８５６】
この結果は、３０重量％以上のＡｍｂｅｒｌｉｔｅ  ＩＲＡ９６を使用した場合に、Ａｍｂｅｒｌｉｔｅ  ＩＲＡ９６が、５０℃において、ヨウ化物及びフッ化物のレベルを分解試料の検出可能レベル未満に低減することができたことを証明している。
【０８５７】
実施例２９
封鎖材料として作用する産業グレードの活性アルミナＦ２００の能力を試験した。
【０８５８】
約１０００ｐｐｍの量の一級酸化防止剤安定剤ＢＨＴを含む８０重量％のＰＯＥ油（ＰＯＥ  ＩＳＯ３２、Ｅｍｋａｒａｔｅ  ＲＬ  ３２−３ＭＡＦ）と、２０重量％のＣＦ３Ｉとの混合物を、シリンダ内に配置し、１７５℃で２日間にわたって加熱した。これらの条件で、冷媒及び潤滑剤の破壊を生じさせた。次いで、シリンダを開き、油の試料を取り出した。
【０８５９】
次いで、試料を、産業グレードの活性アルミナＦ２００と共にＰａｒｒセル内に配置した。試料に対する活性アルミナの量を測定した。次いで、Ｐａｒｒセルを５０℃のいずれかで２０日間にわたって維持した。セルは、毎日振盪して、試料の適切な混合を確実にした。
【０８６０】
試料の全酸価（ＴＡＮ）、ヨウ化物ｐｐｍ、及びフッ化物ｐｐｍを、開始時（すなわち、ＣＦ３Ｉ及びＰＯＥ油の分解後、かつＦ２００への曝露前）、及び終了時（すなわち、かつＦ２００への曝露後）に測定した。ＴＡＮ、フッ化物、及びヨウ化物の濃度を、本明細書に記載される方法によって測定した。
【０８６１】
試験の結果を表２９Ａに記載する。
【０８６２】
【表２９】
2020536994.tif 000034
【０８６３】
実施例３０
封鎖材料としてのＡｍｂｅｒｌｙｓｔ  Ａ２１及びゼオライトＩＯＮＳＩＶ  Ｄ７３１０−Ｃの組み合わせの能力を試験した。
【０８６４】
約１０００ｐｐｍの量の一級酸化防止剤安定剤ＢＨＴを含む８０重量％のＰＯＥ油（ＰＯＥ  ＩＳＯ３２、Ｅｍｋａｒａｔｅ  ＲＬ  ３２−３ＭＡＦ）と、２０重量％のＣＦ３Ｉとの混合物を、シリンダ内に配置し、１７５℃で２日間にわたって加熱した。これらの条件で、冷媒及び潤滑剤の破壊を生じさせた。次いで、シリンダを開き、油の試料を取り出した。
【０８６５】
次いで、試料を、封鎖材料と共にＰａｒｒセル内に配置した。試料に対する封鎖材料の量は、２０重量％であった。次いで、Ｐａｒｒセルを５０℃のいずれかで２０日間にわたって維持した。セルは、毎日振盪して、試料の適切な混合を確実にした。
【０８６６】
試料の全酸価（ＴＡＮ）、ヨウ化物ｐｐｍ、及びフッ化物ｐｐｍを、開始時（すなわち、ＣＦ３Ｉ及びＰＯＥ油の分解後、かつ封鎖材料への曝露前）、及び終了時（すなわち、かつ封鎖材料への曝露後）に測定した。ＴＡＮ、フッ化物、及びヨウ化物の濃度を、本明細書に記載される方法によって測定した。試験の結果を表３０に記載する。
【０８６７】
【表３０】
2020536994.tif 000035
【０８６８】
番号付けした実施形態
本発明は、以下の番号付けした実施形態によって更に例示される。番号付けした実施形態の主題は、本明細書又は特許請求の範囲の１つ以上の主題と更に組み合わされてもよい。
【０８６９】
１．少なくとも約９７重量％の以下の３つの化合物を含む冷媒であって、各化合物が、列挙された化合物の総重量に基づいて以下の相対百分率で存在する、冷媒：
４９重量％＋／−２重量％のジフルオロメタン（ＨＦＣ−３２）、
１１．５重量％＋／−２重量％のペンタフルオロエタン（ＨＦＣ−１２５）、及び
３９．５重量％＋／−２重量％のトリフルオロヨードメタン（ＣＦ３Ｉ）。
【０８７０】
２．少なくとも約９７重量％の以下の３つの化合物を含む冷媒であって、各化合物が、列挙された化合物の総重量に基づいて以下の相対百分率で存在する、冷媒：
４９重量％＋／−１重量％のジフルオロメタン（ＨＦＣ−３２）、
１１．５重量％＋／−１重量％のペンタフルオロエタン（ＨＦＣ−１２５）、及び
３９．５重量％＋／−１重量％のトリフルオロヨードメタン（ＣＦ３Ｉ）。
【０８７１】
３．少なくとも約９７重量％の以下の３つの化合物を含む冷媒であって、各化合物が、列挙された化合物の総重量に基づいて以下の相対百分率で存在する、冷媒：
４９重量％＋／−０．５重量％のジフルオロメタン（ＨＦＣ−３２）、
１１．５重量％＋／−０．５重量％のペンタフルオロエタン（ＨＦＣ−１２５）、及び
３９．５重量％＋／−０．５重量％のトリフルオロヨードメタン（ＣＦ３Ｉ）。
【０８７２】
４．少なくとも約９７重量％の以下の３つの化合物を含む冷媒であって、各化合物が、列挙された化合物の総重量に基づいて以下の相対百分率で存在する、冷媒：
４９重量％のジフルオロメタン（ＨＦＣ−３２）、
１１．５重量％のペンタフルオロエタン（ＨＦＣ−１２５）、及び
３９．５重量％のトリフルオロヨードメタン（ＣＦ３Ｉ）。
【０８７３】
５．以下の３つの化合物から本質的になる冷媒であって、各化合物が、列挙された化合物の総重量に基づいて以下の相対百分率で存在する、冷媒：
４９重量％＋／−２重量％のジフルオロメタン（ＨＦＣ−３２）、
１１．６重量％〜１１．９重量％のペンタフルオロエタン（ＨＦＣ−１２５）、及び
３９重量％〜４０重量％のトリフルオロヨードメタン（ＣＦ３Ｉ）。
【０８７４】
６．以下の３つの化合物から本質的になる冷媒であって、各化合物が、列挙された化合物の総重量に基づいて以下の相対百分率で存在する、冷媒：
４９重量％＋／−１重量％のジフルオロメタン（ＨＦＣ−３２）、
１１．６重量％〜１１．９重量％のペンタフルオロエタン（ＨＦＣ−１２５）、及び
３９重量％〜４０重量％のトリフルオロヨードメタン（ＣＦ３Ｉ）。
【０８７５】
７．以下の３つの化合物から本質的になる冷媒であって、各化合物が、列挙された化合物の総重量に基づいて以下の相対百分率で存在する、冷媒：
４９重量％＋／−０．５重量％のジフルオロメタン（ＨＦＣ−３２）、
１１．６重量％〜１１．９重量％のペンタフルオロエタン（ＨＦＣ−１２５）、及び
３９重量％〜４０重量％のトリフルオロヨードメタン（ＣＦ３Ｉ）。
【０８７６】
８．以下の３つの化合物から本質的になる冷媒であって、各化合物が、列挙された化合物の総重量に基づいて以下の相対百分率で存在する、冷媒：
４９重量％のジフルオロメタン（ＨＦＣ−３２）、
１１．６重量％〜１１．９重量％のペンタフルオロエタン（ＨＦＣ−１２５）、及び
３９重量％〜４０重量％のトリフルオロヨードメタン（ＣＦ３Ｉ）。
【０８７７】
９．以下の３つの化合物から本質的になる冷媒であって、各化合物が、列挙された化合物の総重量に基づいて以下の相対百分率で存在する、冷媒：
４９重量％＋／−２重量％のジフルオロメタン（ＨＦＣ−３２）、
１１．５重量％＋／−２重量％のペンタフルオロエタン（ＨＦＣ−１２５）、及び
３９〜３９．４重量％のトリフルオロヨードメタン（ＣＦ３Ｉ）、
並びに、当該３つの化合物の総重量に基づいて約３９．０相対重量％未満のＣＦ３Ｉを含まない、冷媒。
【０８７８】
１０．以下の３つの化合物から本質的になる冷媒であって、各化合物が、列挙された化合物の総重量に基づいて以下の相対百分率で存在する、冷媒：
４９重量％＋／−１重量％のジフルオロメタン（ＨＦＣ−３２）、
１１．５重量％＋／−１重量％のペンタフルオロエタン（ＨＦＣ−１２５）、及び
３９〜３９．４重量％のトリフルオロヨードメタン（ＣＦ３Ｉ）、
並びに、当該３つの化合物の総重量に基づいて約３９．０相対重量％未満のＣＦ３Ｉを含まない、冷媒。
【０８７９】
１１．以下の３つの化合物から本質的になる冷媒であって、各化合物が、列挙された化合物の総重量に基づいて以下の相対百分率で存在する、冷媒：
４９重量％＋／−０．５重量％のジフルオロメタン（ＨＦＣ−３２）、
１１．５重量％＋／−０．５重量％のペンタフルオロエタン（ＨＦＣ−１２５）、及び
３９〜３９．４重量％のトリフルオロヨードメタン（ＣＦ３Ｉ）、
並びに、当該３つの化合物の総重量に基づいて約３９．０相対重量％未満のＣＦ３Ｉを含まない、冷媒。
【０８８０】
１２．以下の３つの化合物から本質的になる冷媒であって、各化合物が、列挙された化合物の総重量に基づいて以下の相対百分率で存在する、冷媒：
４９重量％のジフルオロメタン（ＨＦＣ−３２）、
１１．５重量％のペンタフルオロエタン（ＨＦＣ−１２５）、及び
３９〜３９．４重量％のトリフルオロヨードメタン（ＣＦ３Ｉ）、
並びに、当該３つの化合物の総重量に基づいて約３９．０相対重量％未満のＣＦ３Ｉを含まない、冷媒。
【０８８１】
１３．以下の３つの化合物から本質的になる冷媒であって、各化合物が、列挙された化合物の総重量に基づいて以下の相対百分率で存在する、冷媒：
４９重量％＋／−２重量％のジフルオロメタン（ＨＦＣ−３２）、
１１．５重量％＋／−２重量％のペンタフルオロエタン（ＨＦＣ−１２５）、及び
３９．１重量％〜４０重量％のトリフルオロヨードメタン（ＣＦ３Ｉ）、
並びに、当該３つの化合物の総重量に基づいて３９．５相対重量％のＣＦ３Ｉを含まない、冷媒。
【０８８２】
１４．以下の３つの化合物から本質的になる冷媒であって、各化合物が、列挙された化合物の総重量に基づいて以下の相対百分率で存在する、冷媒：
４９重量％＋／−１重量％のジフルオロメタン（ＨＦＣ−３２）、
１１．５重量％＋／−１重量％のペンタフルオロエタン（ＨＦＣ−１２５）、及び
３９．１重量％〜４０重量％のトリフルオロヨードメタン（ＣＦ３Ｉ）、
並びに、当該３つの化合物の総重量に基づいて３９．５相対重量％のＣＦ３Ｉを含まない、冷媒。
【０８８３】
１５．以下の３つの化合物から本質的になる冷媒であって、各化合物が、列挙された化合物の総重量に基づいて以下の相対百分率で存在する、冷媒：
４９重量％＋／−０．５重量％のジフルオロメタン（ＨＦＣ−３２）、
１１．５重量％＋／−０．５重量％のペンタフルオロエタン（ＨＦＣ−１２５）、及び
３９．１重量％〜４０重量％のトリフルオロヨードメタン（ＣＦ３Ｉ）、
並びに、当該３つの化合物の総重量に基づいて３９．５相対重量％のＣＦ３Ｉを含まない、冷媒。
【０８８４】
１６．以下の３つの化合物から本質的になる冷媒であって、各化合物が、列挙された化合物の総重量に基づいて以下の相対百分率で存在する、冷媒：
４９重量％のジフルオロメタン（ＨＦＣ−３２）、
１１．５重量％のペンタフルオロエタン（ＨＦＣ−１２５）、及び
３９．１重量％〜４０重量％のトリフルオロヨードメタン（ＣＦ３Ｉ）、
並びに、当該３つの化合物の総重量に基づいて３９．５相対重量％のＣＦ３Ｉを含まない、冷媒。
【０８８５】
１７．以下の３つの化合物から本質的になる冷媒であって、各化合物が、列挙された化合物の総重量に基づいて以下の相対百分率で存在する、冷媒：
４９重量％＋／−２重量％のジフルオロメタン（ＨＦＣ−３２）、
１１．１重量％〜１２重量％のペンタフルオロエタン（ＨＦＣ−１２５）、及び
３９重量％〜４０重量％のトリフルオロヨードメタン（ＣＦ３Ｉ）。
【０８８６】
１８．以下の３つの化合物から本質的になる冷媒であって、各化合物が、列挙された化合物の総重量に基づいて以下の相対百分率で存在する、冷媒：
４９重量％＋／−１重量％のジフルオロメタン（ＨＦＣ−３２）、
１１．１重量％〜１２重量％のペンタフルオロエタン（ＨＦＣ−１２５）、及び
３９重量％〜４０重量％のトリフルオロヨードメタン（ＣＦ３Ｉ）。
【０８８７】
１９．以下の３つの化合物から本質的になる冷媒であって、各化合物が、列挙された化合物の総重量に基づいて以下の相対百分率で存在する、冷媒：
４９重量％＋／−０．５重量％のジフルオロメタン（ＨＦＣ−３２）、
１１．１重量％〜１２重量％のペンタフルオロエタン（ＨＦＣ−１２５）、及び
３９重量％〜４０重量％のトリフルオロヨードメタン（ＣＦ３Ｉ）。
【０８８８】
２０．以下の３つの化合物から本質的になる冷媒であって、各化合物が、列挙された化合物の総重量に基づいて以下の相対百分率で存在する、冷媒：
４９重量％のジフルオロメタン（ＨＦＣ−３２）、
１１．１重量％〜１２重量％のペンタフルオロエタン（ＨＦＣ−１２５）、及び
３９重量％〜４０重量％のトリフルオロヨードメタン（ＣＦ３Ｉ）。
【０８８９】
２１．以下の３つの化合物から本質的になる冷媒であって、各化合物が、列挙された化合物の総重量に基づいて以下の相対百分率で存在する、冷媒：
４９重量％＋／−２重量％のジフルオロメタン（ＨＦＣ−３２）、
１１．１〜１２重量％のペンタフルオロエタン（ＨＦＣ−１２５）、及び
３９重量％〜４０重量％のトリフルオロヨードメタン（ＣＦ３Ｉ）、
並びに、当該３つの化合物の総重量に基づいて１１．５相対重量％のＨＦＣ−１２５を含まない、冷媒。
【０８９０】
２２．以下の３つの化合物から本質的になる冷媒であって、各化合物が、列挙された化合物の総重量に基づいて以下の相対百分率で存在する、冷媒：
４９重量％＋／−１重量％のジフルオロメタン（ＨＦＣ−３２）、
１１．１〜１２重量％のペンタフルオロエタン（ＨＦＣ−１２５）、及び
３９重量％〜４０重量％のトリフルオロヨードメタン（ＣＦ３Ｉ）、
並びに、当該３つの化合物の総重量に基づいて１１．５相対重量％のＨＦＣ−１２５を含まない、冷媒。
【０８９１】
２３．以下の３つの化合物から本質的になる冷媒であって、各化合物が、列挙された化合物の総重量に基づいて以下の相対百分率で存在する、冷媒：
４９重量％＋／−０．５重量％のジフルオロメタン（ＨＦＣ−３２）、
１１．１〜１２重量％のペンタフルオロエタン（ＨＦＣ−１２５）、及び
３９重量％〜４０重量％のトリフルオロヨードメタン（ＣＦ３Ｉ）、
並びに、当該３つの化合物の総重量に基づいて１１．５相対重量％のＨＦＣ−１２５を含まない、冷媒。
【０８９２】
２４．以下の３つの化合物から本質的になる冷媒であって、各化合物が、列挙された化合物の総重量に基づいて以下の相対百分率で存在する、冷媒：
４９重量％のジフルオロメタン（ＨＦＣ−３２）、
１１．１〜１２重量％のペンタフルオロエタン（ＨＦＣ−１２５）、及び
３９重量％〜４０重量％のトリフルオロヨードメタン（ＣＦ３Ｉ）、
並びに、当該３つの化合物の総重量に基づいて１１．５相対重量％のＨＦＣ−１２５を含まない、冷媒。
【０８９３】
２５．以下の３つの化合物から本質的になる冷媒であって、各化合物が、列挙された化合物の総重量に基づいて以下の相対百分率で存在する、冷媒：
４９重量％＋／−２重量％のジフルオロメタン（ＨＦＣ−３２）、
１１．１〜１２重量％のペンタフルオロエタン（ＨＦＣ−１２５）、及び
３９．１重量％〜４０重量％のトリフルオロヨードメタン（ＣＦ３Ｉ）、
並びに、当該３つの化合物の総重量に基づいて１１．５相対重量％のＨＦＣ−１２５を含まず、かつ３９．５％のＣＦ３Ｉを含まない、冷媒。
【０８９４】
２６．以下の３つの化合物から本質的になる冷媒であって、各化合物が、列挙された化合物の総重量に基づいて以下の相対百分率で存在する、冷媒：
４９重量％＋／−１重量％のジフルオロメタン（ＨＦＣ−３２）、
１１．１〜１２重量％のペンタフルオロエタン（ＨＦＣ−１２５）、及び
３９．１重量％〜４０重量％のトリフルオロヨードメタン（ＣＦ３Ｉ）、
並びに、当該３つの化合物の総重量に基づいて１１．５相対重量％のＨＦＣ−１２５を含まず、かつ３９．５％のＣＦ３Ｉを含まない、冷媒。
【０８９５】
２７．以下の３つの化合物から本質的になる冷媒であって、各化合物が、列挙された化合物の総重量に基づいて以下の相対百分率で存在する、冷媒：
４９重量％＋／−０．５重量％のジフルオロメタン（ＨＦＣ−３２）、
１１．１〜１２重量％のペンタフルオロエタン（ＨＦＣ−１２５）、及び
３９．１重量％〜４０重量％のトリフルオロヨードメタン（ＣＦ３Ｉ）、
並びに、当該３つの化合物の総重量に基づいて１１．５相対重量％のＨＦＣ−１２５を含まず、かつ３９．５％のＣＦ３Ｉを含まない、冷媒。
【０８９６】
２８．以下の３つの化合物から本質的になる冷媒であって、各化合物が、列挙された化合物の総重量に基づいて以下の相対百分率で存在する、冷媒：
４９重量％のジフルオロメタン（ＨＦＣ−３２）、
１１．１〜１２重量％のペンタフルオロエタン（ＨＦＣ−１２５）、及び
３９．１重量％〜４０重量％のトリフルオロヨードメタン（ＣＦ３Ｉ）、
並びに、当該３つの化合物の総重量に基づいて１１．５相対重量％のＨＦＣ−１２５を含まず、かつ３９．５％のＣＦ３Ｉを含まない、冷媒。
【０８９７】
２９．以下の３つの化合物から本質的になる冷媒であって、各化合物が、列挙された化合物の総重量に基づいて以下の相対百分率で存在する、冷媒：
４９重量％＋／−０．３重量％のジフルオロメタン（ＨＦＣ−３２）、
１１．５重量％＋／−０．３重量％のペンタフルオロエタン（ＨＦＣ−１２５）、及び
３９．５重量％＋／−０．３重量％のトリフルオロヨードメタン（ＣＦ３Ｉ）。
【０８９８】
３０．少なくとも約９７重量％の以下の３つの化合物を含む冷媒であって、各化合物が、列挙された化合物の総重量に基づいて以下の相対百分率で存在する、冷媒：
４９重量％＋／−２重量％のジフルオロメタン（ＨＦＣ−３２）、
１１．５重量％＋／−２重量％のペンタフルオロエタン（ＨＦＣ−１２５）、及び
３９．５重量％＋／−２重量％のトリフルオロヨードメタン（ＣＦ３Ｉ）、
並びに、不燃性試験を満たす、冷媒。
【０８９９】
３１．少なくとも約９７重量％の以下の３つの化合物を含む冷媒であって、各化合物が、列挙された化合物の総重量に基づいて以下の相対百分率で存在する、冷媒：
４９重量％＋／−１重量％のジフルオロメタン（ＨＦＣ−３２）、
１１．５重量％＋／−１重量％のペンタフルオロエタン（ＨＦＣ−１２５）、及び
３９．５重量％＋／−１重量％のトリフルオロヨードメタン（ＣＦ３Ｉ）、
並びに、不燃性試験を満たす、冷媒。
【０９００】
３２．少なくとも約９７重量％の以下の３つの化合物を含む冷媒であって、各化合物が、列挙された化合物の総重量に基づいて以下の相対百分率で存在する、冷媒：
４９重量％＋／−０．５重量％のジフルオロメタン（ＨＦＣ−３２）、
１１．５重量％＋／−０．５重量％のペンタフルオロエタン（ＨＦＣ−１２５）、及び
３９．５重量％＋／−０．５重量％のトリフルオロヨードメタン（ＣＦ３Ｉ）、
並びに、不燃性試験を満たす、冷媒。
【０９０１】
３３．少なくとも約９７重量％の以下の３つの化合物を含む冷媒であって、各化合物が、列挙された化合物の総重量に基づいて以下の相対百分率で存在する、冷媒：
４９重量％のジフルオロメタン（ＨＦＣ−３２）、
１１．５重量％のペンタフルオロエタン（ＨＦＣ−１２５）、及び
３９．５重量％のトリフルオロヨードメタン（ＣＦ３Ｉ）、
並びに、不燃性試験を満たす、冷媒。
【０９０２】
３４．以下の３つの化合物から本質的になる冷媒であって、各化合物が、列挙された化合物の総重量に基づいて以下の相対百分率で存在する、冷媒：
４９重量％＋／−２重量％のジフルオロメタン（ＨＦＣ−３２）、
１１．６重量％〜１１．９重量％のペンタフルオロエタン（ＨＦＣ−１２５）、及び
３９重量％〜４０重量％のトリフルオロヨードメタン（ＣＦ３Ｉ）、
並びに、当該３つの化合物の総重量に基づいて１１．５重量％のＨＦＣ−１２５を含まず、かつ１２相対重量％以上のＨＦＣ−１２５を含まない、冷媒。
【０９０３】
３５．以下の３つの化合物から本質的になる冷媒であって、各化合物が、列挙された化合物の総重量に基づいて以下の相対百分率で存在する、冷媒：
４９重量％＋／−１重量％のジフルオロメタン（ＨＦＣ−３２）、
１１．６重量％〜１１．９重量％のペンタフルオロエタン（ＨＦＣ−１２５）、及び
３９重量％〜４０重量％のトリフルオロヨードメタン（ＣＦ３Ｉ）、
並びに、当該３つの化合物の総重量に基づいて１１．５重量％のＨＦＣ−１２５を含まず、かつ１２相対重量％以上のＨＦＣ−１２５を含まない、冷媒。
【０９０４】
３６．以下の３つの化合物から本質的になる冷媒であって、各化合物が、列挙された化合物の総重量に基づいて以下の相対百分率で存在する、冷媒：
４９重量％＋／−０．５重量％のジフルオロメタン（ＨＦＣ−３２）、
１１．６重量％〜１１．９重量％のペンタフルオロエタン（ＨＦＣ−１２５）、及び
３９重量％〜４０重量％のトリフルオロヨードメタン（ＣＦ３Ｉ）、
並びに、当該３つの化合物の総重量に基づいて１１．５重量％のＨＦＣ−１２５を含まず、かつ１２相対重量％以上のＨＦＣ−１２５を含まない、冷媒。
【０９０５】
３７．以下の３つの化合物から本質的になる冷媒であって、各化合物が、列挙された化合物の総重量に基づいて以下の相対百分率で存在する、冷媒：
４９重量％のジフルオロメタン（ＨＦＣ−３２）、
１１．６重量％〜１１．９重量％のペンタフルオロエタン（ＨＦＣ−１２５）、及び
３９重量％〜４０重量％のトリフルオロヨードメタン（ＣＦ３Ｉ）、
並びに、当該３つの化合物の総重量に基づいて１１．５重量％のＨＦＣ−１２５を含まず、かつ１２相対重量％以上のＨＦＣ−１２５を含まない、冷媒。
【０９０６】
３８．以下の３つの化合物から本質的になる冷媒であって、各化合物が、列挙された化合物の総重量に基づいて以下の相対百分率で存在する、冷媒：
４７重量％〜４９．５重量％のジフルオロメタン（ＨＦＣ−３２）、
１１重量％〜１３．５重量％のペンタフルオロエタン（ＨＦＣ−１２５）、及び
３９重量％〜４１．５重量％のトリフルオロヨードメタン（ＣＦ３Ｉ）。
【０９０７】
３９．以下の３つの化合物から本質的になる冷媒であって、各化合物が、列挙された化合物の総重量に基づいて以下の相対百分率で存在する、冷媒：
４７重量％〜４９．５重量％のジフルオロメタン（ＨＦＣ−３２）、
１１重量％〜１３．５重量％のペンタフルオロエタン（ＨＦＣ−１２５）、及び
３９重量％〜４１．５重量％のトリフルオロヨードメタン（ＣＦ３Ｉ）、並びに、当該３つの化合物の総重量に基づいて１１．５重量％のＨＦＣ−１２５を含まず、かつ１２相対重量％以上のＨＦＣ−１２５を含まない、冷媒。
【０９０８】
４０．以下の３つの化合物からなる冷媒であって、各化合物が、列挙された化合物の総重量に基づいて以下の相対百分率で存在する、冷媒：
４９重量％＋／−２重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．０重量％のＣＦ３Ｉを含まず、かつ３９．５相対重量％以上のＣＦ３Ｉを含まない、冷媒。
【０９０９】
４１．以下の３つの化合物からなる冷媒であって、各化合物が、列挙された化合物の総重量に基づいて以下の相対百分率で存在する、冷媒：
４９重量％＋／−１重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．０重量％のＣＦ３Ｉを含まず、かつ３９．５相対重量％以上のＣＦ３Ｉを含まない、冷媒。
【０９１０】
４２．以下の３つの化合物からなる冷媒であって、各化合物が、列挙された化合物の総重量に基づいて以下の相対百分率で存在する、冷媒：
４９重量％＋／−０．５重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．０重量％のＣＦ３Ｉを含まず、かつ３９．５相対重量％以上のＣＦ３Ｉを含まない、冷媒。
【０９１１】
４３．以下の３つの化合物からなる冷媒であって、各化合物が、列挙された化合物の総重量に基づいて以下の相対百分率で存在する、冷媒：
４９重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．０重量％のＣＦ３Ｉを含まず、かつ３９．５相対重量％以上のＣＦ３Ｉを含まない、冷媒。
【０９１２】
４４．以下の３つの化合物からなる冷媒であって、各化合物が、列挙された化合物の総重量に基づいて以下の相対百分率で存在する、冷媒：
４９重量％＋／−２重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．０重量％のＣＦ３Ｉを含まず、かつ３９．５相対重量％以上のＣＦ３Ｉを含まない、冷媒。
【０９１３】
４５．以下の３つの化合物からなる冷媒であって、各化合物が、列挙された化合物の総重量に基づいて以下の相対百分率で存在する、冷媒：
４９重量％＋／−１重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．０重量％のＣＦ３Ｉを含まず、かつ３９．５相対重量％以上のＣＦ３Ｉを含まない、冷媒。
【０９１４】
４６．以下の３つの化合物からなる冷媒であって、各化合物が、列挙された化合物の総重量に基づいて以下の相対百分率で存在する、冷媒：
４９重量％＋／−０．５重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．０重量％のＣＦ３Ｉを含まず、かつ３９．５相対重量％以上のＣＦ３Ｉを含まない、冷媒。
【０９１５】
４７．以下の３つの化合物からなる冷媒であって、各化合物が、列挙された化合物の総重量に基づいて以下の相対百分率で存在する、冷媒：
４９重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．０重量％のＣＦ３Ｉを含まず、かつ３９．５相対重量％以上のＣＦ３Ｉを含まない、冷媒。
【０９１６】
４８．以下の３つの化合物からなる冷媒であって、各化合物が、列挙された化合物の総重量に基づいて以下の相対百分率で存在する、冷媒：
４９重量％＋／−２重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．０重量％のＣＦ３Ｉを含まない、冷媒。
【０９１７】
４９．以下の３つの化合物からなる冷媒であって、各化合物が、列挙された化合物の総重量に基づいて以下の相対百分率で存在する、冷媒：
４９重量％＋／−１重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．０重量％のＣＦ３Ｉを含まない、冷媒。
【０９１８】
５０．以下の３つの化合物からなる冷媒であって、各化合物が、列挙された化合物の総重量に基づいて以下の相対百分率で存在する、冷媒：
４９重量％＋／−０．５重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．０重量％のＣＦ３Ｉを含まない、冷媒。
【０９１９】
５１．以下の３つの化合物からなる冷媒であって、各化合物が、列挙された化合物の総重量に基づいて以下の相対百分率で存在する、冷媒：
４９重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．０重量％のＣＦ３Ｉを含まない、冷媒。
【０９２０】
５２．以下の３つの化合物からなる冷媒であって、各化合物が、列挙された化合物の総重量に基づいて以下の相対百分率で存在する、冷媒：
４９重量％＋／−２重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．０重量％のＣＦ３Ｉを含まない、冷媒。
【０９２１】
５３．以下の３つの化合物からなる冷媒であって、各化合物が、列挙された化合物の総重量に基づいて以下の相対百分率で存在する、冷媒：
４９重量％＋／−１重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．０重量％のＣＦ３Ｉを含まない、冷媒。
【０９２２】
５４．以下の３つの化合物からなる冷媒であって、各化合物が、列挙された化合物の総重量に基づいて以下の相対百分率で存在する、冷媒：
４９重量％＋／−０．５重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．０重量％のＣＦ３Ｉを含まない、冷媒。
【０９２３】
５５．以下の３つの化合物からなる冷媒であって、各化合物が、列挙された化合物の総重量に基づいて以下の相対百分率で存在する、冷媒：
４９重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．０重量％のＣＦ３Ｉを含まない、冷媒。
【０９２４】
５６．以下の３つの化合物からなる冷媒であって、各化合物が、列挙された化合物の総重量に基づいて以下の相対百分率で存在する、冷媒：
４９重量％＋／−２重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．５相対重量％以上のＣＦ３Ｉを含まない、冷媒。
【０９２５】
５７．以下の３つの化合物からなる冷媒であって、各化合物が、列挙された化合物の総重量に基づいて以下の相対百分率で存在する、冷媒：
４９重量％＋／−１重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．５相対重量％以上のＣＦ３Ｉを含まない、冷媒。
【０９２６】
５８．以下の３つの化合物からなる冷媒であって、各化合物が、列挙された化合物の総重量に基づいて以下の相対百分率で存在する、冷媒：
４９重量％＋／−０．５重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．５相対重量％以上のＣＦ３Ｉを含まない、冷媒。
【０９２７】
５９．以下の３つの化合物からなる冷媒であって、各化合物が、列挙された化合物の総重量に基づいて以下の相対百分率で存在する、冷媒：
４９重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、
並びに、当該３つの化合物の総重量に基づいて３９．５相対重量％以上のＣＦ３Ｉを含まない、冷媒。
【０９２８】
６０．以下の３つの化合物からなる冷媒であって、各化合物が、列挙された化合物の総重量に基づいて以下の相対百分率で存在する、冷媒：
４９重量％＋／−２重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、並びに、不燃性試験を満たす、冷媒。
【０９２９】
６１．以下の３つの化合物からなる冷媒であって、各化合物が、列挙された化合物の総重量に基づいて以下の相対百分率で存在する、冷媒：
４９重量％＋／−１重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、並びに、不燃性試験を満たす、冷媒。
【０９３０】
６２．以下の３つの化合物からなる冷媒であって、各化合物が、列挙された化合物の総重量に基づいて以下の相対百分率で存在する、冷媒：
４９重量％＋／−０．５重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、並びに、不燃性試験を満たす、冷媒。
【０９３１】
６３．以下の３つの化合物からなる冷媒であって、各化合物が、列挙された化合物の総重量に基づいて以下の相対百分率で存在する、冷媒：
４９重量％のジフルオロメタン（ＨＦＣ−３２）、
１１．６重量％〜１１．９重量％のペンタフルオロエタン（ＨＦＣ−１２５）、及び
３９．０重量％〜４０重量％のトリフルオロヨードメタン（ＣＦ３Ｉ）、並びに、不燃性試験を満たす、冷媒。
【０９３２】
６４．冷媒が少なくとも約９８．５重量％の３つの成分を含む、番号付けした実施形態１〜４及び３０〜３３のいずれか１つに記載の冷媒。
【０９３３】
６５．冷媒が少なくとも約９９．５重量％の３つの成分を含む、番号付けした実施形態１〜４及び３０〜３３のいずれか１つに記載の冷媒。
【０９３４】
６６．冷媒が３つの成分から本質的になる、番号付けした実施形態１〜４及び３０〜３３のいずれか１つに記載の冷媒。
【０９３５】
６７．冷媒が３つの成分からなる、番号付けした実施形態１〜３９のいずれか１つに記載の冷媒。
【０９３６】
６８．番号付けした実施形態１〜６７のいずれか１つに記載の冷媒を含む、熱伝達組成物。
【０９３７】
６９．組成物が、熱伝達組成物の４０重量％を超える量で、番号付けした実施形態１〜６７に記載の冷媒のうちの１つ以上を含む、番号付けした実施形態６８に記載の熱伝達組成物。
【０９３８】
７０．組成物が、熱伝達組成物の５０重量％を超える量で、番号付けした実施形態１〜６７に記載の冷媒のうちの１つ以上を含む、番号付けした実施形態６８に記載の熱伝達組成物。
【０９３９】
７１．組成物が、熱伝達組成物の７０重量％を超える量で、番号付けした実施形態１〜６７に記載の冷媒のうちの１つ以上を含む、番号付けした実施形態６８に記載の熱伝達組成物。
【０９４０】
７２．組成物が、熱伝達組成物の８０重量％を超える量で、番号付けした実施形態１〜６７に記載の冷媒のうちの１つ以上を含む、番号付けした実施形態６８に記載の熱伝達組成物。
【０９４１】
７３．組成物が、熱伝達組成物の９０重量％を超える量で、番号付けした実施形態１〜６７に記載の冷媒のうちの１つ以上を含む、番号付けした実施形態６８に記載の熱伝達組成物。
【０９４２】
７４．組成物が、番号付けした実施形態１〜６７に記載の冷媒のうちの１つ以上から本質的になる、番号付けした実施形態６８に記載の熱伝達組成物。
【０９４３】
７５．組成物が、番号付けした実施形態１〜６７に記載の冷媒のうちの１つ以上からなる、番号付けした実施形態６８に記載の熱伝達組成物。
【０９４４】
７６．組成物が、潤滑剤、染料、可溶化剤、相溶化剤、安定化剤、抗酸化剤、腐食抑制剤、極圧添加剤、及び耐摩耗剤からなる群から選択される１つ以上の成分を更に含む、番号付けした実施形態６８〜７４のいずれか１つに記載の熱伝達組成物。
【０９４５】
７７．当該組成物が安定化剤を含む、番号付けした実施形態６８〜７３のいずれか１つに記載の熱伝達組成物。
【０９４６】
７８．安定化剤が、熱伝達組成物の重量に基づいて約０．１％〜約１５％の量で提供される、番号付けした実施形態７７に記載の熱伝達組成物。
【０９４７】
７９．安定化剤が、（ｉ）アルキル化ナフタレン化合物、（ｉｉ）フェノール系化合物、及び（ｉｉｉ）ジエン系化合物のうちの少なくとも１つである、番号付けした実施形態７７又は７８に記載の熱伝達組成物。
【０９４８】
８０．安定化剤が、（ｉ）少なくとも１つのアルキル化ナフタレン化合物と、（ｉｉ）少なくとも１つのフェノール系化合物との組み合わせである、番号付けした実施形態７７又は７８に記載の熱伝達組成物。
【０９４９】
８１．安定化剤が、（ｉ）少なくとも１つのアルキル化ナフタレン化合物と、（ｉｉ）少なくともジエン系化合物との組み合わせである、番号付けした実施形態７７又は７８に記載の熱伝達組成物。
【０９５０】
８２．安定化剤が、（ｉ）少なくとも１つのジエン系化合物と、（ｉｉ）少なくとも１つのフェノール系化合物と、（ｉｉｉ）少なくともジエン系化合物との組み合わせである、番号付けした実施形態７７又は７８に記載の熱伝達組成物。
【０９５１】
８３．安定化剤が、リン化合物、及び／又は窒素化合物、並びに／又は芳香族エポキシド、アルキルエポキシド、及びアルケニルエポキシドからなる群から選択されるエポキシドを更に含む、番号付けした実施形態７７〜８２のいずれか１つに記載の熱伝達組成物。
【０９５２】
８４．安定化剤が、１つ以上のアルキル化ナフタレン及び１つ以上のフェノール系化合物から本質的になる、番号付けした実施形態７７又は７８に記載の熱伝達組成物。
【０９５３】
８５．安定化剤が、１つ以上のアルキル化ナフタレン及び１つ以上のジエン系化合物から本質的になる、番号付けした実施形態７７又は７８に記載の熱伝達組成物。
【０９５４】
８６．安定化剤が、１つ以上のアルキル化ナフタレン、１つ以上のジエン系化合物、及び１つ以上のフェノール系化合物から本質的になる、番号付けした実施形態７７又は７８に記載の熱伝達組成物。
【０９５５】
８７．アルキル化ナフタレンが、以下の構造を有する化合物であり、
【０９５６】
【化２】
2020536994.tif 000036
【０９５７】
式中、各Ｒ１〜Ｒ８が、直鎖アルキル基、分岐アルキル基、及び水素から独立して選択される、番号付けした実施形態７９、８０、８１、８４、８５、及び８６のいずれか１つに記載の熱伝達組成物。
【０９５８】
８８．アルキル化ナフタレンが、表ＡＮ１に記載のアルキル化ナフタレン１の特性を有する、番号付けした実施形態７９、８０、８１、８４、８５、８６、及び８７のいずれか１つに記載の熱伝達組成物。
【０９５９】
８９．アルキル化ナフタレンが、表ＡＮ１に記載のアルキル化ナフタレン２の特性を有する、番号付けした実施形態７９、８０、８１、８４、８５、８６、及び８７のいずれか１つに記載の熱伝達組成物。
【０９６０】
９０．アルキル化ナフタレンが、表ＡＮ１に記載のアルキル化ナフタレン３の特性を有する、番号付けした実施形態７９、８０、８１、８４、８５、８６、及び８７のいずれか１つに記載の熱伝達組成物。
【０９６１】
９１．アルキル化ナフタレンが、表ＡＮ１に記載のアルキル化ナフタレン４の特性を有する、番号付けした実施形態７９、８０、８１、８４、８５、８６、及び８７のいずれか１つに記載の熱伝達組成物。
【０９６２】
９２．アルキル化ナフタレンが、表ＡＮ１に記載のアルキル化ナフタレン５の特性を有する、番号付けした実施形態７９、８０、８１、８４、８５、８６、及び８７のいずれか１つに記載の熱伝達組成物。
【０９６３】
９３．アルキル化ナフタレンが、表ＡＮ２に記載のアルキル化ナフタレン６の特性を有する、番号付けした実施形態７９、８０、８１、８４、８５、８６、及び８７のいずれか１つに記載の熱伝達組成物。
【０９６４】
９４．アルキル化ナフタレンが、表ＡＮ２に記載のアルキル化ナフタレン７の特性を有する、番号付けした実施形態７９、８０、８１、８４、８５、８６、及び８７のいずれか１つに記載の熱伝達組成物。
【０９６５】
９５．アルキル化ナフタレンが、表ＡＮ２に記載のアルキル化ナフタレン８の特性を有する、番号付けした実施形態７９、８０、８１、８４、８５、８６、及び８７のいずれか１つに記載の熱伝達組成物。
【０９６６】
９６．アルキル化ナフタレンが、表ＡＮ２に記載のアルキル化ナフタレン９の特性を有する、番号付けした実施形態７９、８０、８１、８４、８５、８６、及び８７のいずれか１つに記載の熱伝達組成物。
【０９６７】
９７．アルキル化ナフタレンが、表ＡＮ２に記載のアルキル化ナフタレン１０の特性を有する、番号付けした実施形態７９、８０、８１、８４、８５、８６、及び８７のいずれか１つに記載の熱伝達組成物。
【０９６８】
９８．アルキル化ナフタレンが、ＮＡ−ＬＵＢＥ  ＫＲ−００７Ａ、ＫＲ−００８、ＫＲ−００９、ＫＲ−０１０５、ＫＲ−０１９、及びＫＲ−００５ＦＧのうちの１つ以上である、番号付けした実施形態７９〜８１及び８４〜９７のいずれか１つに記載の熱伝達組成物。
【０９６９】
９９．アルキル化ナフタレンが、ＮＡ−ＬＵＢＥ  ＫＲ−００７Ａ、ＫＲ−００８、ＫＲ−００９、及びＫＲ−００５ＦＧのうちの１つ以上である、番号付けした実施形態７９〜８１及び８４〜９７のいずれか１つに記載の熱伝達組成物。
【０９７０】
１００．アルキル化ナフタレンが、ＮＡ−ＬＵＢＥ  ＫＲ−００８である、番号付けした実施形態７９〜８１及び８４〜９７のいずれか１つに記載の熱伝達組成物。
【０９７１】
１０１．アルキル化ナフタレンが０．０１％〜約１０％の量で存在し、量がシステム内のアルキル化ナフタレン及び冷媒の量に基づく重量パーセントである、番号付けした実施形態７９〜８１及び８４〜１００のいずれか１つに記載の熱伝達組成物。
【０９７２】
１０２．アルキル化ナフタレンが約１．５％〜約４．５％の量で存在し、量がシステム内のアルキル化ナフタレン及び冷媒の量に基づく重量パーセントである、番号付けした実施形態７９〜８１及び８４〜１０１のいずれか１つに記載の熱伝達組成物。
【０９７３】
１０３．アルキル化ナフタレンが約２．５％〜約３．５％の量で存在し、量がシステム内のアルキル化ナフタレン及び冷媒の量に基づく重量パーセントである、番号付けした実施形態７９〜８１及び８４〜１０２のいずれか１つに記載の熱伝達組成物。
【０９７４】
１０４．組成物が潤滑剤を更に含み、アルキル化ナフタレンが０．１％〜約２０％の量で存在し、量がシステム内のアルキル化ナフタレン及び潤滑剤の量に基づく重量パーセントである、番号付けした実施形態７９〜８１及び８４〜１０３のいずれか１つに記載の熱伝達組成物。
【０９７５】
１０５．組成物が潤滑剤を更に含み、アルキル化ナフタレンが約５％〜約１５％の量で存在し、量がシステム内のアルキル化ナフタレン及び潤滑剤の量に基づく重量パーセントである、番号付けした実施形態７９〜８１及び８４〜１０４のいずれか１つに記載の熱伝達組成物。
【０９７６】
１０６．組成物が潤滑剤を更に含み、アルキル化ナフタレンが約８％〜約１２％の量で存在し、量がシステム内のアルキル化ナフタレン及び潤滑剤の量に基づく重量パーセントである、番号付けした実施形態７９〜８１及び８４〜１０５のいずれか１つに記載の熱伝達組成物。
【０９７７】
１０７．潤滑剤がＰＯＥ潤滑剤を含む、番号付けした実施形態１０４〜１０６のいずれか１つに記載の熱伝達組成物。
【０９７８】
１０８．潤滑剤が、ＡＳＴＭ  Ｄ４４５Ｃに従って測定された４０℃での粘度が約３０ｃＳｔ〜約７０ｃＳｔであるＰＯＥ潤滑剤を含む、番号付けした実施形態１０４〜１０７のいずれか１つに記載の熱伝達組成物。
【０９７９】
１０９．ジエン系化合物が、Ｃ３〜Ｃ１５ジエン、及び任意の２種以上のＣ３〜Ｃ４ジエンの反応によって形成された化合物を含む、番号付けした実施形態７９、８１、８２、８５、又は８６のいずれか１つに記載の熱伝達組成物。
【０９８０】
１１０．ジエン系化合物が、アリルエーテル、プロパジエン、ブタジエン、イソプレン、及びテルペンからなる群から選択される、番号付けした実施形態１０９に記載の熱伝達組成物。
【０９８１】
１１１．テルペンが、テレベン、レチナール、ゲラニオール、テルピネン、デルタ−３カレン、テルピノレン、フェランドレン、フェンケン、ミルセン、ファルネセン、ピネン、ネロール、シトラル、カンフル、メントール、リモネン、ネロリドール、フィトール、カルノシン酸、及びビタミンＡ１から選択される、番号付けした実施形態１１０に記載の熱伝達組成物。
【０９８２】
１１２．安定化剤がファルネセンである、番号付けした実施形態１１１に記載の熱伝達組成物。
【０９８３】
１１３．ジエン系化合物が、０を超える、好ましくは０．０００１重量％〜約５重量％、好ましくは０．００１重量％〜約２．５重量％、より好ましくは０．０１重量％〜約１重量％の量で熱伝達組成物中に提供され、重量百分率が熱伝達組成物の重量を指す、番号付けした実施形態１０９〜１１２のいずれか１つに記載の熱伝達組成物。
【０９８４】
１１４．安定化剤が、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択されるフェノール系化合物、好ましくはＢＨＴである、番号付けした実施形態７９、８０、８１、８４、及び８６のいずれか１つに記載の熱伝達組成物。
【０９８５】
１１５．フェノール系化合物が、０を超える、好ましくは０．０００１重量％〜約５重量％、好ましくは０．００１重量％〜約２．５重量％、より好ましくは０．０１重量％〜約１重量％の量で熱伝達組成物中に提供され、重量百分率が熱伝達組成物の重量を指す、番号付けした実施形態１１４に記載の熱伝達組成物。
【０９８６】
１１６．安定化剤が、ジフェニルアミン、ｐ−フェニレンジアミン、トリエチルアミン、トリブチルアミン、ジイソプロピルアミン、トリイソプロピルアミン、及びトリイソブチルアミンのうちの１つ以上から選択される窒素化合物、又は置換ピペリジン化合物、すなわち、アルキル置換ピペリジル、ピペリジニル、ピペラジノン、又はアルキオキソピペリジニルの誘導体、特に２，２，６，６−テトラメチル−４−ピペリドン、２，２，６，６−テトラメチル−４−ピペリジノール；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、並びにヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）から選択される１種以上のアミン抗酸化剤、又はビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミンであり、より好ましくはフェニル−アルファ−ナフチルアミン（ＰＡＮＡ）である、番号付けした実施形態７７に記載の熱伝達組成物。
【０９８７】
１１７．安定化剤が、ジニトロベンゼン、ニトロベンゼン、ニトロメタン、ニトロソベンゼン、及びＴＥＭＰＯ［（２，２，６，６−テトラメチルピペリジン−１−イル）オキシル］から選択される１種以上の化合物である、番号付けした実施形態７７に記載の熱伝達組成物。
【０９８８】
１１８．窒素化合物が、０を超える、０．０００１重量％〜約５重量％、好ましくは０．００１重量％〜約２．５重量％、より好ましくは０．０１重量％〜約１重量％の量で熱伝達組成物中に提供され、重量百分率が熱伝達組成物の重量を指す、番号付けした実施形態１１６又は１１７に記載の熱伝達組成物。
【０９８９】
１１９．安定化剤が、芳香族エポキシド、アルキルエポキシド、及びアルケニルエポキシドから選択されるエポキシドである、番号付けした実施形態７７又は７８に記載の熱伝達組成物。
【０９９０】
１２０．安定化剤がイソブチレンである、番号付けした実施形態７７又は７８に記載の熱伝達組成物。
【０９９１】
１２１．番号付けした実施形態１〜６７のいずれか１つに記載の冷媒と、ＢＨＴを含む安定化剤組成物であって、当該ＢＨＴが、熱伝達組成物の重量に基づいて約０．０００１重量％〜約５重量％の量で存在する、安定化剤組成物と、を含む、番号付けした実施形態７７に記載の熱伝達組成物。ＢＨＴ。
【０９９２】
１２２．番号付けした実施形態１〜６７のいずれか１つに記載の冷媒と、ファルネセン、アルキル化ナフタレン４、及びＢＨＴを含む安定化剤組成物であって、ファルネセンが熱伝達組成物の重量に基づいて約０．０００１重量％〜約５重量％の量で提供され、アルキル化ナフタレン４が熱伝達組成物の重量に基づいて約０．０００１重量％〜約５重量％の量で提供され、ＢＨＴが熱伝達組成物の重量に基づいて約０．０００１重量％〜約５重量％の量で提供される、安定化剤組成物と、を含む、番号付けした実施形態７７に記載の熱伝達組成物。
【０９９３】
１２３．番号付けした実施形態１〜６７のいずれか１つに記載の冷媒と、ファルネセン、アルキル化ナフタレン５、及びＢＨＴを含む安定化剤組成物であって、ファルネセンが熱伝達組成物の重量に基づいて約０．０００１重量％〜約５重量％の量で提供され、アルキル化ナフタレン５が熱伝達組成物の重量に基づいて約０．０００１重量％〜約５重量％の量で提供され、ＢＨＴが熱伝達組成物の重量に基づいて約０．０００１重量％〜約５重量％の量で提供される、安定化剤組成物と、を含む、番号付けした実施形態７７に記載の熱伝達組成物。
【０９９４】
１２４．番号付けした実施形態１〜６７のいずれか１つに記載の冷媒と、ファルネセン、アルキル化ナフタレン４、及びＢＨＴを含む安定化剤組成物であって、ファルネセンが熱伝達組成物の重量に基づいて約０．００１重量％〜約２．５重量％の量で提供され、アルキル化ナフタレン４  ５が熱伝達組成物の重量に基づいて約０．００１重量％〜約２．５重量％の量で提供され、ＢＨＴが熱伝達組成物の重量に基づいて約０．００１重量％〜約２．５重量％の量で提供される、安定化剤組成物と、を含む、番号付けした実施形態７７に記載の熱伝達組成物。
【０９９５】
１２５．番号付けした実施形態１〜６７のいずれか１つに記載の冷媒と、ファルネセン、アルキル化ナフタレン５、及びＢＨＴを含む安定化剤組成物であって、ファルネセンが熱伝達組成物の重量に基づいて約０．００１重量％〜約２．５重量％の量で提供され、アルキル化ナフタレン５が熱伝達組成物の重量に基づいて約０．００１重量％〜約２．５重量％の量で提供され、ＢＨＴが熱伝達組成物の重量に基づいて約０．００１重量％〜約２．５重量％の量で提供される、安定化剤組成物と、を含む、番号付けした実施形態７７に記載の熱伝達組成物。
【０９９６】
１２６．番号付けした実施形態１〜６７のいずれか１つに記載の冷媒と、ファルネセン、アルキル化ナフタレン４、及びＢＨＴを含む安定化剤組成物であって、ファルネセンが熱伝達組成物の重量に基づいて約０．０１重量％〜約１重量％の量で提供され、アルキル化ナフタレン４が熱伝達組成物の重量に基づいて約０．０１重量％〜約１重量％の量で提供され、ＢＨＴが熱伝達組成物の重量に基づいて約０．０１重量％〜約１重量％の量で提供される、安定化剤組成物と、を含む、番号付けした実施形態７７に記載の熱伝達組成物。
【０９９７】
１２７．番号付けした実施形態１〜６７のいずれか１つに記載の冷媒と、ファルネセン、アルキル化ナフタレン５、及びＢＨＴを含む安定化剤組成物であって、ファルネセンが熱伝達組成物の重量に基づいて約０．０１重量％〜約１重量％の量で提供され、アルキル化ナフタレン５が熱伝達組成物の重量に基づいて約０．０１重量％〜約１重量％の量で提供され、ＢＨＴが熱伝達組成物の重量に基づいて約０．０１重量％〜約１重量％の量で提供される、安定化剤組成物と、を含む、番号付けした実施形態７７に記載の熱伝達組成物。
【０９９８】
１２８．潤滑剤を更に含む、番号付けした実施形態６８〜１２７のいずれか１つに記載の熱伝達組成物。
【０９９９】
１２９．潤滑剤が、熱伝達組成物の０．１〜５重量％の量で存在する、番号付けした実施形態１２８に記載の熱伝達組成物。
【１０００】
１３０．潤滑剤が、熱伝達組成物の０．１〜１重量％の量で存在する、番号付けした実施形態１２８に記載の熱伝達組成物。
【１００１】
１３１．潤滑剤が、熱伝達組成物の０．１〜０．５重量％の量で存在する、番号付けした実施形態１２８に記載の熱伝達組成物。
【１００２】
１３２．潤滑剤が、ポリオールエステル（ＰＯＥ）、ポリアルキレングリコール（ＰＡＧ）、シリコーン油、鉱物油、アルキルベンゼン（ＡＢ）、ポリビニルエーテル（ＰＶＥ）、及びポリ（アルファ−オレフィン）（ＰＡＯ）のうちの１種以上である、番号付けした実施形態１２８〜１３１のいずれか１つに記載の熱伝達組成物。
【１００３】
１３３．潤滑剤が、ポリオールエステル（ＰＯＥ）、ポリアルキレングリコール（ＰＡＧ）、鉱物油、アルキルベンゼン（ＡＢ）、及びポリビニルエーテル（ＰＶＥ）のうちの１種以上である、番号付けした実施形態１２８〜１３１のいずれか１つに記載の熱伝達組成物。
【１００４】
１３４．潤滑剤が、ポリオールエステル（ＰＯＥ）、鉱物油、アルキルベンゼン（ＡＢ）、及びポリビニルエーテル（ＰＶＥ）のうちの１種以上である、番号付けした実施形態１２８〜１３１のいずれか１つに記載の熱伝達組成物。
【１００５】
１３５．潤滑剤が、ポリオールエステル（ＰＯＥ）、鉱物油、及びアルキルベンゼン（ＡＢ）のうちの１種以上である、番号付けした実施形態１２８〜１３１のいずれか１つに記載の熱伝達組成物。
【１００６】
１３６．潤滑剤が、ポリオールエステル（ＰＯＥ）である、番号付けした実施形態１２８〜１３１のいずれか１つに記載の熱伝達組成物。
【１００７】
１３７．潤滑剤が、熱伝達組成物の重量に基づいて、ＡＳＴＭ  Ｄ４４５に従って測定された４０℃での粘度が約３０〜約７０であるＰＯＥから本質的になる、番号付けした実施形態１３６に記載の熱伝達組成物。
【１００８】
１３８  熱伝達組成物の重量に基づいて、０．１〜０．５重量％のポリオールエステル（ＰＯＥ）潤滑剤を含む、番号付けした実施形態１３６〜１３７のいずれか１つに記載の熱伝達組成物。
【１００９】
１３９．組成物が、約１５００以下の地球温暖化係数（ＧＷＰ）を有する、番号付けした実施形態６８〜１３８のいずれか１つに記載の熱伝達組成物。
【１０１０】
１４０．組成物が、約１０００以下の地球温暖化係数（ＧＷＰ）を有する、番号付けした実施形態６８〜１３８のいずれか１つに記載の熱伝達組成物。
【１０１１】
１４１．組成物が、約７５０以下の地球温暖化係数（ＧＷＰ）を有する、番号付けした実施形態６８〜１３８のいずれか１つに記載の熱伝達組成物。
【１０１２】
１４２．組成物が、０．０５以下のオゾン破壊係数（ＯＤＰ）を有する、番号付けした実施形態６８〜１４１のいずれか１つに記載の熱伝達組成物。
【１０１３】
１４３．組成物が、０．０２以下のオゾン破壊係数（ＯＤＰ）を有する、番号付けした実施形態６８〜１４１のいずれか１つに記載の熱伝達組成物。
【１０１４】
１４４．組成物が、約ゼロのオゾン破壊係数（ＯＤＰ）を有する、番号付けした実施形態６８〜１４１のいずれか１つに記載の熱伝達組成物。
【１０１５】
１４５．組成物が、約４００より大きい職業暴露限界（ＯＥＬ）を有する、番号付けした実施形態６８〜１４４のいずれか１つに記載の熱伝達組成物。
【１０１６】
１４６．互いに流体連通した圧縮機、蒸発器、凝縮器、及び膨張装置と、番号付けした実施形態６８〜１４５のいずれか１つに記載の熱伝達組成物と、を含む、熱伝達システム。
【１０１７】
１４７．互いに流体連通した圧縮機、蒸発器、凝縮器、及び膨張装置と、番号付けした実施形態６８〜１２７及び１３９〜１４５のいずれか１つに記載の熱伝達組成物と、を含む、熱伝達システムであって、熱伝達組成物の５〜６０重量％の量の潤滑剤を含む、熱伝達システム。
【１０１８】
１４８．潤滑剤が、熱伝達組成物の１０〜６０重量％の量で存在する、番号付けした実施形態１４７に記載の熱伝達システム。
【１０１９】
１４９．潤滑剤が、熱伝達組成物の２０〜５０重量％の量で存在する、番号付けした実施形態１４７に記載の熱伝達システム。
【１０２０】
１５０．潤滑剤が、熱伝達組成物の２０〜４０重量％の量で存在する、番号付けした実施形態１４７に記載の熱伝達システム。
【１０２１】
１５１．潤滑剤が、熱伝達組成物の２０〜３０重量％の量で存在する、番号付けした実施形態１４７に記載の熱伝達システム。
【１０２２】
１５２．潤滑剤が、熱伝達組成物の３０〜５０重量％の量で存在する、番号付けした実施形態１４７に記載の熱伝達システム。
【１０２３】
１５３．潤滑剤が、熱伝達組成物の３０〜４０重量％の量で存在する、番号付けした実施形態１４７に記載の熱伝達システム。
【１０２４】
１５４．潤滑剤が、熱伝達組成物の５〜１０重量％の量で存在する、番号付けした実施形態１４７に記載の熱伝達システム。
【１０２５】
１５５．潤滑剤が、熱伝達組成物の８重量％の量で存在する、番号付けした実施形態１４７に記載の熱伝達システム。
【１０２６】
１５６．潤滑剤が、ポリオールエステル（ＰＯＥ）、ポリアルキレングリコール（ＰＡＧ）、シリコーン油、鉱物油、アルキルベンゼン（ＡＢ）、ポリビニルエーテル（ＰＶＥ）、及びポリ（アルファ−オレフィン）（ＰＡＯ）のうちの１種以上である、番号付けした実施形態１４７〜１５５のいずれか１つに記載の熱伝達システム。
【１０２７】
１５７．潤滑剤が、ポリオールエステル（ＰＯＥ）、ポリアルキレングリコール（ＰＡＧ）、鉱物油、アルキルベンゼン（ＡＢ）、及びポリビニルエーテル（ＰＶＥ）のうちの１種以上である、番号付けした実施形態１４７〜１５５のいずれか１つに記載の熱伝達システム。
【１０２８】
１５８．潤滑剤が、ポリオールエステル（ＰＯＥ）、鉱物油、アルキルベンゼン（ＡＢ）、及びポリビニルエーテル（ＰＶＥ）のうちの１種以上である、番号付けした実施形態１４７〜１５５のいずれか１つに記載の熱伝達システム。
【１０２９】
１５９．潤滑剤が、ポリオールエステル（ＰＯＥ）、鉱物油、及びアルキルベンゼン（ＡＢ）のうちの１種以上である、番号付けした実施形態１４７〜１５５のいずれか１つに記載の熱伝達システム。
【１０３０】
１６０．潤滑剤が、ポリオールエステル（ＰＯＥ）である、番号付けした実施形態１４７〜１５５のいずれか１つに記載の熱伝達システム。
【１０３１】
１６１．潤滑剤が、熱伝達組成物の重量に基づいて、ＡＳＴＭ  Ｄ４４５に従って測定された４０℃での粘度が約３０〜約７０であるＰＯＥから本質的になる、番号付けした実施形態１６０に記載の熱伝達システム。
【１０３２】
１６２．熱伝達組成物の重量に基づいて、１０〜５０重量％のポリオールエステル（ＰＯＥ）潤滑剤を含む、番号付けした実施形態１６０〜１６１のいずれか１つに記載の熱伝達システム。
【１０３３】
１６３．互いに流体連通した圧縮機、蒸発器、凝縮器、及び膨張装置と、熱伝達組成物であって、番号付けした実施形態１〜６７のいずれか１つに記載の冷媒、及び番号付けした実施形態１２８〜１３８のいずれか１つに記載の潤滑剤を含む、熱伝達組成物と、封鎖材料と、を含む、熱伝達システムであって、当該封鎖材料が、以下のものを含む、熱伝達システム：
ｉ．銅又は銅合金、又は
ｉｉ．活性アルミナ、又は
ｉｉｉ．銅、銀、鉛、若しくはこれらの組み合わせを含むゼオライトモレキュラーシーブ、又は
ｉｖ．陰イオン交換樹脂、又は
ｖ．水分除去材料、好ましくは水分除去モレキュラーシーブ、又は
ｖｉ．上記のうちの２つ以上の組み合わせ。
【１０３４】
１６４．封鎖材料が、以下のうちの２つ以上を含む、番号付けした実施形態１６３に記載の熱伝達システム：
ｉ．銅又は銅合金、又は
ｉｉ．活性アルミナ、又は
ｉｉｉ．銅、銀、鉛、若しくはこれらの組み合わせを含むゼオライトモレキュラーシーブ、又は
ｉｖ．陰イオン交換樹脂、又は
ｖ．水分除去材料、好ましくは水分除去モレキュラーシーブ。
【１０３５】
１６５．封鎖材料が、以下のものを含む、番号付けした実施形態１６３に記載の熱伝達システム：
ｉｉ．活性アルミナ、
ｉｉｉ．銅、銀、鉛、又はこれらの組み合わせを含むゼオライトモレキュラーシーブ、
ｉｖ．陰イオン交換樹脂、及び
ｖ．水分除去材料、好ましくは水分除去モレキュラーシーブ。
【１０３６】
１６６．封鎖材料が、以下のものを含む、番号付けした実施形態１６３に記載の熱伝達システム：
ｉｉ．活性アルミナ、
ｉｉｉ．銀
ｉｖ．陰イオン交換樹脂、及び
ｖ．水分除去材料、好ましくは水分除去モレキュラーシーブ。
【１０３７】
１６７．当該システムが、圧縮機の下流にオイルセパレータを含み、封鎖材料は、液体潤滑剤が封鎖材料と接触するように、オイルセパレータの内側に位置する、番号付けした実施形態１６３〜１６６のいずれか１つに記載の熱伝達システム。
【１０３８】
１６８．当該システムが、圧縮機の下流にオイルセパレータを含み、封鎖材料は、液体潤滑剤が封鎖材料と接触するように、オイルセパレータの外側かつオイルセパレータの下流に位置する、番号付けした実施形態１６３〜１６６のいずれか１つに記載の熱伝達システム。
【１０３９】
１６９．封鎖材料が、凝縮器を出る冷媒液中に位置する、番号付けした実施形態１６３〜１６６のいずれか１つに記載の熱伝達システム。
【１０４０】
１７０．熱伝達システムにおける熱を伝達する方法であって、当該方法が、冷媒液を蒸発させて冷媒蒸気を生成することと、冷媒蒸気の少なくとも一部分を圧縮機で圧縮することと、複数の繰り返しサイクルにおいて冷媒蒸気を凝縮することと、を含み、当該方法が、
（ａ）番号付けした実施形態１〜６７に記載の冷媒を提供することと、
（ｂ）所望によるが、好ましくは当該圧縮機に潤滑剤を提供することと、
（ｂ）当該冷媒の少なくとも一部分及び／又は当該潤滑剤の少なくとも一部分を、番号付けした実施形態１６３〜１６６のいずれか１つに記載の封鎖材料に曝露することと、を含む、方法。
【１０４１】
１７１．当該冷媒の当該少なくとも一部分及び／又は当該潤滑剤の少なくとも一部分が、約１０℃超の温度で封鎖材料に暴露される、番号付けした実施形態１７０に記載の方法。
【１０４２】
１７２．封鎖材料の構成要素が、フィルタ要素内に一緒に含まれる、番号付けした実施形態１６３〜１６９のいずれか１つに記載の熱伝達システム。
【１０４３】
１７３．封鎖材料の構成要素が、封鎖材料のうちの２種以上をその中に含有した及び／又は組み込んだ多孔質固体内に一緒に含まれ、それによってかかる材料が当該固体を通過する流体にアクセス可能になる、番号付けした実施形態１６３〜１６９のいずれか１つに記載の熱伝達システム。
【１０４４】
１７４．多孔質固体がフィルタ要素を含む、番号付けした実施形態１７３に記載の熱伝達システム。
【１０４５】
１７５．封鎖材料が銅である、番号付けした実施形態１６３〜１６９及び１７２〜１７４のいずれか１つに記載の熱伝達システム。
【１０４６】
１７６．封鎖材料が銅合金であり、当該銅合金が、スズ、アルミニウム、ケイ素、ニッケル、若しくはこれらの組み合わせから選択される１つ以上の金属元素、又は炭素、窒素、ケイ素、酸素、若しくはこれらの組み合わせから選択される１つ以上の非金属元素を更に含む、番号付けした実施形態１６３〜１６９及び１７２〜１７４のいずれか１つに記載の熱伝達システム。
【１０４７】
１７７．銅合金が、銅合金の総重量に基づいて少なくとも約５重量％の銅を含む、番号付けした実施形態１７６に記載の熱伝達システム。
【１０４８】
１７８．銅合金が、銅合金の総重量に基づいて少なくとも約１５重量％の銅を含む、番号付けした実施形態１７６に記載の熱伝達システム。
【１０４９】
１７９．銅合金が、銅合金の総重量に基づいて少なくとも約３０重量％の銅を含む、番号付けした実施形態１７６に記載の熱伝達システム。
【１０５０】
１８０．銅合金が、銅合金の総重量に基づいて少なくとも約５０重量％の銅を含む、番号付けした実施形態１７６に記載の熱伝達システム。
【１０５１】
１８１．銅合金が、銅合金の総重量に基づいて少なくとも約７０重量％の銅を含む、番号付けした実施形態１７６に記載の熱伝達システム。
【１０５２】
１８２．銅合金が、銅合金の総重量に基づいて少なくとも約９０重量％の銅を含む、番号付けした実施形態１７６に記載の熱伝達システム。
【１０５３】
１８３．銅合金が、銅合金の総重量に基づいて約５重量％〜約９５重量％の銅を含む、番号付けした実施形態１７６に記載の熱伝達システム。
【１０５４】
１８４．銅合金が、銅合金の総重量に基づいて約１０重量％〜約９０重量％の銅を含む、番号付けした実施形態１７６に記載の熱伝達システム。
【１０５５】
１８５．銅合金が、銅合金の総重量に基づいて約１５重量％〜約８５重量％の銅を含む、番号付けした実施形態１７６に記載の熱伝達システム。
【１０５６】
１８６．銅合金が、銅合金の総重量に基づいて約２０重量％〜約８０重量％の銅を含む、番号付けした実施形態１７６に記載の熱伝達システム。
【１０５７】
１８７．銅合金が、銅合金の総重量に基づいて約３０重量％〜約７０重量％の銅を含む、番号付けした実施形態１７６に記載の熱伝達システム。
【１０５８】
１８８．銅合金が、銅合金の総重量に基づいて約４０重量％〜約６０重量％の銅を含む、番号付けした実施形態１７６に記載の熱伝達システム。
【１０５９】
１８９．銅金属が、少なくとも約９９重量％の元素銅を含む、番号付けした実施形態１７５に記載の熱伝達システム。
【１０６０】
１９０．銅金属が、少なくとも約９９．５重量％の元素銅を含む、番号付けした実施形態１７５に記載の熱伝達システム。
【１０６１】
１９１．銅金属が、少なくとも約９９．９重量％の元素銅を含む、番号付けした実施形態１７５に記載の熱伝達システム。
【１０６２】
１９２．金属が、メッシュ、ウール、球、円錐、又は円筒の形態である、番号付けした実施形態１６３〜１６９、１７５、及び１８９〜１９１のいずれか１つに記載の熱伝達システム。
【１０６３】
１９３．銅又は銅合金が、ＡＳＴＭ  Ｄ６５５６−１０に従って測定されるとき、少なくとも約１０ｍ２／ｇのＢＥＴ表面積を有する、番号付けした実施形態１７５〜１９２のいずれか１つに記載の熱伝達システム。
【１０６４】
１９４．銅又は銅合金が、ＡＳＴＭ  Ｄ６５５６−１０に従って測定されるとき、少なくとも約２０ｍ２／ｇのＢＥＴ表面積を有する、番号付けした実施形態１７５〜１９２のいずれか１つに記載の熱伝達システム。
【１０６５】
１９５．銅又は銅合金が、ＡＳＴＭ  Ｄ６５５６−１０に従って測定されるとき、少なくとも約３０ｍ２／ｇのＢＥＴ表面積を有する、番号付けした実施形態１７５〜１９２のいずれか１つに記載の熱伝達システム。
【１０６６】
１９６．銅又は銅合金が、ＡＳＴＭ  Ｄ６５５６−１０に従って測定されるとき、少なくとも約４０ｍ２／ｇのＢＥＴ表面積を有する、番号付けした実施形態１７５〜１９２のいずれか１つに記載の熱伝達システム。
【１０６７】
１９７．銅又は銅合金が、ＡＳＴＭ  Ｄ６５５６−１０に従って測定されるとき、少なくとも約５０ｍ２／ｇのＢＥＴ表面積を有する、番号付けした実施形態１７５〜１９２のいずれか１つに記載の熱伝達システム。
【１０６８】
１９８．銅又は銅合金のＢＥＴ表面積が、冷媒１ｋｇ当たり約０．０１〜約１．５ｍ２である、番号付けした実施形態１７５〜１９２のいずれか１つに記載の熱伝達システム。
【１０６９】
１９９．銅又は銅合金のＢＥＴ表面積が、冷媒１ｋｇ当たり約０．０２〜約０．５ｍ２である、番号付けした実施形態１７５〜１９２のいずれか１つに記載の熱伝達システム。
【１０７０】
２００．銅又は銅合金のＢＥＴ表面積が、冷媒１ｋｇ当たり０．０８ｍ２である、番号付けした実施形態１７５〜１９２のいずれか１つに記載の熱伝達システム。
【１０７１】
２０１．封鎖材料が、銅、銀、鉛、又はこれらの組み合わせから選択される金属を含むゼオライトモレキュラーシーブを含む、番号付けした実施形態１６３〜１６９のいずれか１つに記載の熱伝達システム。
【１０７２】
２０２．金属が銀である、番号付けした実施形態２０１に記載の熱伝達システム。
【１０７３】
２０３．ゼオライトモレキュラーシーブが、ゼオライトの総重量に基づいて約１重量％〜約３０重量％の量で金属を含有する、番号付けした実施形態２０１〜２０２のいずれか１つに記載の熱伝達システム。
【１０７４】
２０４．ゼオライトモレキュラーシーブが、ゼオライトの総重量に基づいて約５重量％〜約２０重量％の量で金属を含有する、番号付けした実施形態２０１〜２０２のいずれか１つに記載の熱伝達システム。
【１０７５】
２０５．金属が、単一の酸化状態で、又は様々な酸化状態で存在する、番号付けした実施形態２０１〜２０４のいずれか１つに記載の熱伝達システム。
【１０７６】
２０６．ゼオライトモレキュラーシーブが、銀、鉛、及び／又は銅以外の金属を含む、番号付けした実施形態２０１〜２０５のいずれか１つに記載の熱伝達システム。
【１０７７】
２０７．ゼオライトモレキュラーシーブが、約５〜４０Åのその最大寸法にわたるサイズを有する、番号付けした実施形態２０１〜２０６のいずれか１つに記載の熱伝達システム。
【１０７８】
２０８．ゼオライトモレキュラーシーブが、約３５Å以下のその最大寸法にわたるサイズを有する、番号付けした実施形態２０１〜２０６のいずれか１つに記載の熱伝達システム。
【１０７９】
２０９．ゼオライトモレキュラーシーブが、約１５〜約３５Åのその最大寸法にわたるサイズを有する、番号付けした実施形態２０１〜２０６のいずれか１つに記載の熱伝達システム。
【１０８０】
２１０．ゼオライトモレキュラーシーブが、熱伝達システム内のモレキュラーシーブ、冷媒、及び潤滑剤（存在する場合）の総量に対して、約１重量％〜約３０重量％の量で存在する、番号付けした実施形態２０１〜２０９のいずれか１つに記載の熱伝達システム。
【１０８１】
２１１．ゼオライトモレキュラーシーブが、熱伝達システム内のモレキュラーシーブ、冷媒、及び潤滑剤（存在する場合）の総量に対して、約２重量％〜約２５重量％の量で存在する、番号付けした実施形態２０１〜２０９のいずれか１つに記載の熱伝達システム。
【１０８２】
２１２．ゼオライトモレキュラーシーブが銀を含み、モレキュラーシーブが、熱伝達システム内のモレキュラーシーブ（例えば、ゼオライト）及び潤滑剤の総量に基づいて、少なくとも５％重量部（ｐｂｗ）の量で存在する、番号付けした実施形態２０１〜２０９のいずれか１つに記載の熱伝達システム。
【１０８３】
２１３．ゼオライトモレキュラーシーブが銀を含み、モレキュラーシーブが、熱伝達システム内のモレキュラーシーブ（例えば、ゼオライト）及び潤滑剤の総量に基づいて、約５ｐｂｗ〜約３０ｐｂｗの量で存在する、番号付けした実施形態２０１〜２０９のいずれか１つに記載の熱伝達システム。
【１０８４】
２１４．ゼオライトモレキュラーシーブが銀を含み、モレキュラーシーブが、熱伝達システム内のモレキュラーシーブ（例えば、ゼオライト）及び潤滑剤の総量に基づいて、約５ｐｂｗ〜約２０ｐｂｗの量で存在する、番号付けした実施形態２０１〜２０９のいずれか１つに記載の熱伝達システム。
【１０８５】
２１５．ゼオライトモレキュラーシーブが銀を含み、モレキュラーシーブ内に存在する銀の量が、ゼオライトの総重量に基づいて約１重量％〜約３０重量％である、番号付けした実施形態２０１〜２０９のいずれか１つに記載の熱伝達システム。
【１０８６】
２１６．ゼオライトモレキュラーシーブが銀を含み、モレキュラーシーブ内に存在する銀の量が、ゼオライトの総重量に基づいて約５重量％〜約２０重量％である、番号付けした実施形態２０１〜２０９のいずれか１つに記載の熱伝達システム。
【１０８７】
２１７．ゼオライトモレキュラーシーブが銀を含み、モレキュラーシーブが、熱伝達システム内のモレキュラーシーブ（例えば、ゼオライト）及び潤滑剤の総量に対して、少なくとも１０ｐｐｈｌ重量の量で存在する、番号付けした実施形態２０１〜２０９のいずれか１つに記載の熱伝達システム。
【１０８８】
２１８．ゼオライトモレキュラーシーブが銀を含み、モレキュラーシーブが、熱伝達システム内のモレキュラーシーブ（例えば、ゼオライト）及び潤滑剤の総量に対して、約１０ｐｐｈｌ〜約３０ｐｐｈｌ重量の量で存在する、番号付けした実施形態２０１〜２０９のいずれか１つに記載の熱伝達システム。
【１０８９】
２１９．ゼオライトモレキュラーシーブが銀を含み、モレキュラーシーブが、熱伝達システム内のモレキュラーシーブ（例えば、ゼオライト）及び潤滑剤の総量に対して、約１０ｐｐｈｌ〜約２０ｐｐｈｌ重量の量で存在する、番号付けした実施形態２０１〜２０９のいずれか１つに記載の熱伝達システム。
【１０９０】
２２０．ゼオライトモレキュラーシーブが銀を含み、モレキュラーシーブが、熱伝達システム内のモレキュラーシーブ（例えば、ゼオライト）及び潤滑剤の総量に対して、約１５ｐｐｈｌ〜約３０ｐｐｈｌ重量の量で存在する、番号付けした実施形態２０１〜２０９のいずれか１つに記載の熱伝達システム。
【１０９１】
２２１．ゼオライトモレキュラーシーブが銀を含み、モレキュラーシーブが、熱伝達システム内のモレキュラーシーブ（例えば、ゼオライト）及び潤滑剤の総量に対して、約１５ｐｐｈｌ〜約２０ｐｐｈｌ重量の量で存在する、番号付けした実施形態２０１〜２０９のいずれか１つに記載の熱伝達システム。
【１０９２】
２２２．ゼオライトモレキュラーシーブが銀を含み、モレキュラーシーブ内に存在する銀の量が、ゼオライトの総重量に基づいて約１重量％〜約３０重量％である、番号付けした実施形態２０１〜２０９のいずれか１つに記載の熱伝達システム。
【１０９３】
２２３．ゼオライトモレキュラーシーブが銀を含み、モレキュラーシーブ内に存在する銀の量が、ゼオライトの総重量に基づいて約５重量％〜約２０重量％である、番号付けした実施形態２０１〜２０９のいずれか１つに記載の熱伝達システム。
【１０９４】
２２４．ゼオライトモレキュラーシーブが、システム内のモレキュラーシーブ及び潤滑剤の総量に対して、少なくとも約１５ｐｐｈｌの量で存在する、番号付けした実施形態２０１〜２０９のいずれか１つに記載の熱伝達システム。
【１０９５】
２２５．ゼオライトモレキュラーシーブが、システム内のモレキュラーシーブ及び潤滑剤の総量に対して、少なくとも約１８ｐｐｈｌの量で存在する、番号付けした実施形態２０１〜２０９のいずれか１つに記載の熱伝達システム。
【１０９６】
２２６．ゼオライトモレキュラーシーブが、システム内のモレキュラーシーブ及び潤滑剤の総量に対して、約１５ｐｐｈｌ〜約３０ｐｐｈｌの量で存在する、番号付けした実施形態２０１〜２０９のいずれか１つに記載の熱伝達システム。
【１０９７】
２２７．ゼオライトモレキュラーシーブが、システム内のモレキュラーシーブ及び潤滑剤の総量に対して、約１８ｐｐｈｌ〜約２５ｐｐｈｌの量で存在する、番号付けした実施形態２０１〜２０９のいずれか１つに記載の熱伝達システム。
【１０９８】
２２８．ゼオライトモレキュラーシーブが、システム内のモレキュラーシーブ及び潤滑剤の総量に対して、約５ｐｐｈｌの量で存在する、番号付けした実施形態２０１〜２０９のいずれか１つに記載の熱伝達システム。
【１０９９】
２２９．ゼオライトモレキュラーシーブが、システム内のモレキュラーシーブ及び潤滑剤の総量に対して、約２１ｐｐｈｌの量で存在する、番号付けした実施形態２０１〜２０９のいずれか１つに記載の熱伝達システム。
【１１００】
２３０．封鎖材料が、陰イオン交換樹脂を含む、番号付けした実施形態１６３〜１６９のいずれか１つに記載の熱伝達システム。
【１１０１】
２３１．陰イオン交換樹脂が、１型樹脂の強塩基性陰イオン交換樹脂である、番号付けした実施形態２３０に記載の熱伝達システム。
【１１０２】
２３２．陰イオン交換樹脂が、２型樹脂の強塩基性陰イオン交換樹脂である、番号付けした実施形態２３０に記載の熱伝達システム。
【１１０３】
２３３．陰イオン交換樹脂が、乾燥時に約０．３ｍｍ〜約１．２ｍｍのそれらの最大寸法にわたるサイズを有するビーズとして提供される、番号付けした実施形態２３０〜２３２のいずれか１つに記載の熱伝達システム。
【１１０４】
２３４．陰イオン交換樹脂が、システム内の陰イオン交換樹脂及び潤滑剤の総量に基づいて、約１ｐｐｈｌ〜約６０ｐｐｈｌの量で存在する、番号付けした実施形態２３０〜２３３のいずれか１つに記載の熱伝達システム。
【１１０５】
２３５．陰イオン交換樹脂が、システム内の陰イオン交換樹脂及び潤滑剤の総量に基づいて、約５ｐｐｈｌ〜約６０ｐｐｈｌの量で存在する、番号付けした実施形態２３０〜２３３のいずれか１つに記載の熱伝達システム。
【１１０６】
２３６．陰イオン交換樹脂が、システム内の陰イオン交換樹脂及び潤滑剤の総量に基づいて、約２０ｐｐｈｌ〜約５０ｐｐｈｌの量で存在する、番号付けした実施形態２３０〜２３３のいずれか１つに記載の熱伝達システム。
【１１０７】
２３７．陰イオン交換樹脂が、システム内の陰イオン交換樹脂及び潤滑剤の総量に基づいて、約２０ｐｐｈｌ〜約３０ｐｐｈｌの量で存在する、番号付けした実施形態２３０〜２３３のいずれか１つに記載の熱伝達システム。
【１１０８】
２３８．陰イオン交換樹脂が、システム内の陰イオン交換樹脂及び潤滑剤の総量に基づいて、約１ｐｐｈｌ〜約２５ｐｐｈｌの量で存在する、番号付けした実施形態２３０〜２３３のいずれか１つに記載の熱伝達システム。
【１１０９】
２３９．陰イオン交換樹脂が、システム内の陰イオン交換樹脂及び潤滑剤の総量に基づいて、約２ｐｐｈｌ〜約２０ｐｐｈｌの量で存在する、番号付けした実施形態２３０〜２３３のいずれか１つに記載の熱伝達システム。
【１１１０】
２４０．陰イオン交換樹脂が、システム内の陰イオン交換樹脂及び潤滑剤の総量に基づいて、少なくとも約１０ｐｐｈｌの量で存在する、番号付けした実施形態２３０〜２３３のいずれか１つに記載の熱伝達システム。
【１１１１】
２４１．陰イオン交換樹脂が、システム内の陰イオン交換樹脂及び潤滑剤の総量に基づいて、少なくとも約１５ｐｐｈｌの量で存在する、番号付けした実施形態２３０〜２３３のいずれか１つに記載の熱伝達システム。
【１１１２】
２４２．陰イオン交換樹脂が、システム内の陰イオン交換樹脂及び潤滑剤の総量に基づいて、約１０ｐｐｈｌ〜約２５ｐｐｈｌの量で存在する、番号付けした実施形態２３０〜２３３のいずれか１つに記載の熱伝達システム。
【１１１３】
２４３．陰イオン交換樹脂が、システム内の陰イオン交換樹脂及び潤滑剤の総量に基づいて、約１５ｐｐｈｌ〜約２０ｐｐｈｌの量で存在する、番号付けした実施形態２３０〜２３３のいずれか１つに記載の熱伝達システム。
【１１１４】
２４４．陰イオン交換樹脂が、システム内の陰イオン交換樹脂及び潤滑剤の総量に基づいて、約４ｐｐｈｌの量で存在する、番号付けした実施形態２３０〜２３３のいずれか１つに記載の熱伝達システム。
【１１１５】
２４５．陰イオン交換樹脂が、システム内の陰イオン交換樹脂及び潤滑剤の総量に基づいて、約１６ｐｐｈｌの量で存在する、番号付けした実施形態２３０〜２３３のいずれか１つに記載の熱伝達システム。
【１１１６】
２４６．陰イオン交換樹脂が、Ａｍｂｅｒｌｙｓｔ  Ａ２１（遊離塩基）である、番号付けした実施形態２３０〜２４５のいずれか１つに記載の熱伝達システム。
【１１１７】
２４７．封鎖材料が、タイプ３Ａ、４Ａ、５Ａ、及び１３Ｘからなる群から選択されるアルミノケイ酸ナトリウムモレキュラーシーブである、番号付けした実施形態１６３〜１６６のいずれか１つに記載の熱伝達システム。
【１１１８】
２４８．アルミノケイ酸ナトリウムモレキュラーシーブが、システム内のアルミノケイ酸ナトリウムモレキュラーシーブ及び潤滑剤の総量に基づいて、約１５ｐｐｈｌ〜約６０ｐｐｈｌ重量の量で提供される、番号付けした実施形態２４７に記載の熱伝達システム。
【１１１９】
２４９．アルミノケイ酸ナトリウムモレキュラーシーブが、システム内のアルミノケイ酸ナトリウムモレキュラーシーブ及び潤滑剤の総量に基づいて、約３０ｐｐｈｌ〜約４５ｐｐｈｌ重量の量で提供される、番号付けした実施形態２４７〜２４８のいずれか１つに記載の熱伝達システム。
【１１２０】
２５０．封鎖材料が活性アルミナである、番号付けした実施形態１６３〜１６６のいずれか１つに記載の熱伝達システム。
【１１２１】
２５１．活性アルミナがナトリウム活性アルミナである、番号付けした実施形態２５０に記載の熱伝達システム。
【１１２２】
２５２．活性アルミナがＦ２００又はＣＬＲ−２０４である、番号付けした実施形態２５０〜２５１のいずれか１つに記載の熱伝達システム。
【１１２３】
２５３．活性アルミナが、システム内の活性アルミナ及び潤滑剤の総量に基づいて、約１ｐｐｈｌ〜約６０ｐｐｈｌの量で提供される、番号付けした実施形態２５０〜２５２のいずれか１つに記載の熱伝達システム。
【１１２４】
２５４．活性アルミナが、システム内の活性アルミナ及び潤滑剤の総量に基づいて、約５ｐｐｈｌ〜約６０ｐｐｈｌの量で提供される、番号付けした実施形態２５０〜２５２のいずれか１つに記載の熱伝達システム。
【１１２５】
２５５．封鎖材料が、少なくとも（ｉ）銅又は銅合金と、（ｉｉ）銅、銀、鉛、又はこれらの組み合わせを含むモレキュラーシーブ（例えば、ゼオライト）と、を含む、番号付けした実施形態１６３〜１６６のいずれか１つに記載の熱伝達システム。
【１１２６】
２５６．封鎖材料が、（ｉ）銅、銀、鉛、又はこれらの組み合わせを含むモレキュラーシーブ（例えば、ゼオライト）と、（ｉｉ）陰イオン交換樹脂と、を含む、番号付けした実施形態１６３〜１６６のいずれか１つに記載の熱伝達システム。
【１１２７】
２５７．封鎖材料が、（ｉ）銅又は銅合金と、（ｉｉ）陰イオン交換樹脂と、を含む、番号付けした実施形態１６３〜１６６のいずれか１つに記載の熱伝達システム。
【１１２８】
２５８．陰イオン交換樹脂が、システム内の陰イオン交換樹脂及び潤滑剤の総量に基づいて、約１ｐｐｈｌ〜約２５ｐｐｈｌの量で存在する、番号付けした実施形態２５６〜２５７のいずれか１つに記載の熱伝達システム。
【１１２９】
２５９．陰イオン交換樹脂が、システム内の陰イオン交換樹脂及び潤滑剤の総量に基づいて、約２ｐｐｈｌ〜約２０ｐｐｈｌの量で存在する、番号付けした実施形態２５６〜２５７のいずれか１つに記載の熱伝達システム。
【１１３０】
２６０．陰イオン交換樹脂が、システム内の陰イオン交換樹脂及び潤滑剤の総量に基づいて、少なくとも約１０ｐｐｈｌの量で存在する、番号付けした実施形態２５６〜２５７のいずれか１つに記載の熱伝達システム。
【１１３１】
２６１．陰イオン交換樹脂が、システム内の陰イオン交換樹脂及び潤滑剤の総量に基づいて、少なくとも約１５ｐｐｈｌの量で存在する、番号付けした実施形態２５６〜２５７のいずれか１つに記載の熱伝達システム。
【１１３２】
２６２．陰イオン交換樹脂が、システム内の陰イオン交換樹脂及び潤滑剤の総量に基づいて、約１０ｐｐｈｌ〜約２５ｐｐｈｌの量で存在する、番号付けした実施形態２５６〜２５７のいずれか１つに記載の熱伝達システム。
【１１３３】
２６３．陰イオン交換樹脂が、システム内の陰イオン交換樹脂及び潤滑剤の総量に基づいて、約１５ｐｐｈｌ〜約２０ｐｐｈｌの量で存在する、番号付けした実施形態２５６〜２５７のいずれか１つに記載の熱伝達システム。
【１１３４】
２６４．陰イオン交換樹脂が、システム内の陰イオン交換樹脂及び潤滑剤の総量に基づいて、約４ｐｐｈｌの量で存在する、番号付けした実施形態２５６〜２５７のいずれか１つに記載の熱伝達システム。
【１１３５】
２６５．陰イオン交換樹脂が、システム内の陰イオン交換樹脂及び潤滑剤の総量に基づいて、約１６ｐｐｈｌの量で存在する、番号付けした実施形態２５６〜２５７のいずれか１つに記載の熱伝達システム。
【１１３６】
２６６．銅、銀、鉛、又はこれらの組み合わせを含むゼオライトモレキュラーシーブが、システム内に存在するモレキュラーシーブ（例えば、ゼオライト）及び潤滑剤の総量に基づいて、約１ｐｐｈｌ〜約３０ｐｐｈｌの量で存在する、番号付けした実施形態２５５〜２５６のいずれか１つに記載の熱伝達システム。
【１１３７】
２６７．ゼオライトモレキュラーシーブが、システム内に存在するモレキュラーシーブ（例えば、ゼオライト）及び潤滑剤の総量に基づいて、約２ｐｐｈｌ〜約２５ｐｐｈｌの量で存在する、番号付けした実施形態２５５〜２５６のいずれか１つに記載の熱伝達システム。
【１１３８】
２６８．ゼオライトモレキュラーシーブが、システム内に存在するモレキュラーシーブ及び潤滑剤の総量に対して、少なくとも約１５ｐｐｈｌの量で存在する、番号付けした実施形態２５５〜２５６のいずれか１つに記載の熱伝達システム。
【１１３９】
２６９．ゼオライトモレキュラーシーブが、システム内に存在するモレキュラーシーブ及び潤滑剤の総量に対して、少なくとも約１８ｐｐｈｌの量で存在する、番号付けした実施形態２５５〜２５６のいずれか１つに記載の熱伝達システム。
【１１４０】
２７０．ゼオライトモレキュラーシーブが、システム内に存在するモレキュラーシーブ（例えば、ゼオライト）及び潤滑剤の総量に対して、約１５ｐｐｈｌ〜約３０ｐｐｈｌの量で存在する、番号付けした実施形態２５５〜２５６のいずれか１つに記載の熱伝達システム。
【１１４１】
２７１．ゼオライトモレキュラーシーブが、システム内に存在するモレキュラーシーブ（例えば、ゼオライト）及び潤滑剤の総量に対して、約１８ｐｐｈｌ〜約２５ｐｐｈｌの量で存在する、番号付けした実施形態２５５〜２５６のいずれか１つに記載の熱伝達システム。
【１１４２】
２７２．ゼオライトモレキュラーシーブが、システム内に存在するモレキュラーシーブ（例えば、ゼオライト）及び潤滑剤の総量に対して、約５ｐｐｈｌの量で存在する、番号付けした実施形態２５５〜２５６のいずれか１つに記載の熱伝達システム。
【１１４３】
２７３．ゼオライトモレキュラーシーブが、システム内に存在するモレキュラーシーブ（例えば、ゼオライト）及び潤滑剤の総量に対して、約２１ｐｐｈｌの量で存在する、番号付けした実施形態２５５〜２５６のいずれか１つに記載の熱伝達システム。
【１１４４】
２７４．銅又は銅合金が、冷媒１ｋｇ当たり約０．０１ｍ２〜約１．５ｍ２の表面積を有する、番号付けした実施形態２５５〜２５７のいずれか１つに記載の熱伝達システム。
【１１４５】
２７５．銅又は銅合金が、冷媒１ｋｇ当たり約０．０２ｍ２〜約０．５ｍ２の表面積を有する、番号付けした実施形態２５５〜２５７のいずれか１つに記載の熱伝達システム。
【１１４６】
２７６．銅又は銅合金が、冷媒１ｋｇ当たり約０．０８ｍ２の表面積を有する、番号付けした実施形態２５５〜２５７のいずれか１つに記載の熱伝達システム。
【１１４７】
２７７．封鎖材料が陰イオン交換樹脂及びモレキュラーシーブ（例えば、ゼオライト）を含む場合、陰イオン交換樹脂とモレキュラーシーブ（例えば、ゼオライト）との重量比（乾燥時）が、好ましくは約１０：９０〜約９０：１０の範囲である、番号付けした実施形態２５６に記載の熱伝達システム。
【１１４８】
２７８．封鎖材料が陰イオン交換樹脂及びモレキュラーシーブ（例えば、ゼオライト）を含む場合、陰イオン交換樹脂とモレキュラーシーブ（例えば、ゼオライト）との重量比（乾燥時）が、好ましくは約２０：８０〜約８０：２０の範囲である、番号付けした実施形態２５６に記載の熱伝達システム。
【１１４９】
２７９．封鎖材料が陰イオン交換樹脂及びモレキュラーシーブ（例えば、ゼオライト）を含む場合、陰イオン交換樹脂とモレキュラーシーブ（例えば、ゼオライト）との重量比（乾燥時）が、好ましくは約３０：７０〜約７０：３０の範囲である、番号付けした実施形態２５６に記載の熱伝達システム。
【１１５０】
２８０．封鎖材料が陰イオン交換樹脂及びモレキュラーシーブ（例えば、ゼオライト）を含む場合、陰イオン交換樹脂とモレキュラーシーブ（例えば、ゼオライト）との重量比（乾燥時）が、好ましくは約６０：４０〜約４０：６０の範囲である、番号付けした実施形態２５６に記載の熱伝達システム。
【１１５１】
２８１．封鎖材料が陰イオン交換樹脂及び金属ゼオライトを含む場合、陰イオン交換樹脂と金属ゼオライトとの重量比が約２５：７５である、番号付けした実施形態２５６に記載の熱伝達システム。
【１１５２】
２８２．封鎖材料が陰イオン交換樹脂及び金属ゼオライトを含む場合、陰イオン交換樹脂と金属ゼオライトとの重量比が約５０：５０である、番号付けした実施形態２５６に記載の熱伝達システム。
【１１５３】
２８３．封鎖材料が陰イオン交換樹脂及び金属ゼオライトを含む場合、陰イオン交換樹脂と金属ゼオライトとの重量比が約７５：２５である、番号付けした実施形態２５６に記載の熱伝達システム。
【１１５４】
２８４．当該システムが、番号付けした実施形態１〜６７のいずれか１つに記載の冷媒の少なくとも一部分及び／又は番号付けした実施形態１２８〜１３８のいずれか１つに記載の潤滑剤の少なくとも一部分と接触する封鎖を含み、当該接触時の当該封鎖材料の温度及び／又は当該冷媒の温度及び／又は当該潤滑剤の温度が、少なくとも約１０℃の温度である、番号付けした実施形態１６３、１６６、及び１７１〜２８３のいずれか１つに記載の熱伝達システム。
【１１５５】
２８５．封鎖材料が、好ましくは以下の組み合わせを含む、番号付けした実施形態２８４に記載の熱伝達システム：
陰イオン交換樹脂、
活性アルミナ、
銀を含むゼオライトモレキュラーシーブ、及び
水分除去材料、好ましくは水分除去モレキュラーシーブ。
【１１５６】
２８６．当該システムが住宅用空調システムである、番号付けした実施形態１４６〜１６６及び１７１〜２８５のいずれか１つに記載の熱伝達システム。
【１１５７】
２８７．当該システムが産業用空調システムである、番号付けした実施形態１４６〜１６６及び１７１〜２８５のいずれか１つに記載の熱伝達システム。
【１１５８】
２８８．当該システムが商用空調システムである、番号付けした実施形態１４６〜１６６及び１７１〜２８５のいずれか１つに記載の熱伝達システム。
【１１５９】
２８９．番号付けした実施形態６８〜１４５のいずれか１つに記載の熱伝達組成物を凝縮することと、その後、冷却される物品又は本体の付近で当該組成物を蒸発させることと、を含む、冷却方法。
【１１６０】
２９０．蒸発器、凝縮器、及び圧縮機を備える熱伝達システムにおける冷却方法であって、プロセスが、ｉ）番号付けした実施形態６８〜１４５のいずれか１つに記載の熱伝達組成物を凝縮することと、
ｉｉ）冷却される本体又は物品の付近で組成物を蒸発させることと、を含み、
熱伝達システムの蒸発器温度が、約−４０℃〜約＋１０℃の範囲内である、冷却方法。
【１１６１】
２９１．番号付けした実施形態６８〜１４５のいずれか１つに記載の熱伝達組成物を、加熱される物品又は本体の付近で凝縮することと、その後、当該組成物を蒸発させることと、を含む、加熱方法。
【１１６２】
２９２．蒸発器、凝縮器、及び圧縮機を備える熱伝達システムにおける加熱方法であって、プロセスが、ｉ）番号付けした実施形態６８〜１４５のいずれか１つに記載の熱伝達組成物を、
加熱される本体又は物品の付近で凝縮することと、
ｉｉ）組成物を蒸発させることと、を含み、
熱伝達システムの蒸発器温度が、約−３０℃〜約５℃の範囲内である、加熱方法。
【１１６３】
２９３．空調における使用に関する、番号付けした実施形態６８〜１４５のいずれか１つに記載の熱伝達組成物の使用。
【１１６４】
２９４．住宅用空調システムにおける、番号付けした実施形態６８〜１４５のいずれか１つに記載の熱伝達組成物の使用。
【１１６５】
２９５．産業用空調システムにおける、番号付けした実施形態６８〜１４５のいずれか１つに記載の熱伝達組成物の使用。
【１１６６】
２９６．商用空調システムにおける、番号付けした実施形態６８〜１４５のいずれか１つに記載の熱伝達組成物の使用。
【１１６７】
２９７．商用空調システムがルーフトップシステムである、番号付けした実施形態２９６に記載の熱伝達組成物の使用。
【１１６８】
２９８．商用空調システムが可変冷媒流システムである、番号付けした実施形態２９６に記載の熱伝達組成物の使用。
【１１６９】
２９９．商用空調システムが冷却器システムである、番号付けした実施形態２９６に記載の熱伝達組成物の使用。
【１１７０】
３００．冷却器システムにおける、番号付けした実施形態６８〜１４５のいずれか１つに記載の熱伝達組成物の使用。
【１１７１】
３０１．冷却器システムが、往復動式、回転式（ローリングピストン及び回転弁を含む）、スクロール式、ねじ式、及び遠心式圧縮機から選択される圧縮機を有する、番号付けした実施形態３００に記載の使用。
【１１７２】
３０２．輸送用空調における、番号付けした実施形態２９３に記載の使用。
【１１７３】
３０３．定置型空調における、番号付けした実施形態２９３に記載の使用。
【１１７４】
３０４．モバイルヒートポンプにおける、番号付けした実施形態２９３に記載の使用。
【１１７５】
３０５．容積型冷却器における、番号付けした実施形態２９３に記載の使用。
【１１７６】
３０６．空冷又は水冷直接膨張式冷却器における、番号付けした実施形態２９３に記載の使用。
【１１７７】
３０７．住宅用ヒートポンプにおける、番号付けした実施形態２９３に記載の使用。
【１１７８】
３０８．住宅用空気−水ヒートポンプ／温水システムにおける、番号付けした実施形態２９３に記載の使用。
【１１７９】
３０９．商用の空気熱源、水熱源、又は土壌熱源ヒートポンプシステムにおける、番号付けした実施形態２９３に記載の使用。
【１１８０】
３１０．冷凍システムにおける、番号付けした実施形態６５〜１４５のいずれか１つに記載の熱伝達組成物の使用。
【１１８１】
３１１．低温冷凍システムにおける、番号付けした実施形態３１０に記載の使用。
【１１８２】
３１２．中温冷凍システムにおける、番号付けした実施形態３１０に記載の使用。
【１１８３】
３１３．商用冷蔵庫における、番号付けした実施形態３１０に記載の使用。
【１１８４】
３１４．商用冷凍庫における、番号付けした実施形態３１０に記載の使用。
【１１８５】
３１５．製氷機における、番号付けした実施形態３１０に記載の使用。
【１１８６】
３１６．自動販売機における、番号付けした実施形態３１０に記載の使用。
【１１８７】
３１７．輸送冷凍システムにおける、番号付けした実施形態３１０に記載の使用。
【１１８８】
３１８．家庭用冷凍庫における、番号付けした実施形態３１０に記載の使用。
【１１８９】
３１９．家庭用冷蔵庫における、番号付けした実施形態３１０に記載の使用。
【１１９０】
３２０．産業用冷凍庫における、番号付けした実施形態３１０に記載の使用。
【１１９１】
３２１．産業用冷蔵庫における、番号付けした実施形態３１０に記載の使用、及び
【１１９２】
３２２．冷却器における、番号付けした実施形態３１０に記載の使用。
【１１９３】
３２３．往復動式、回転式（ローリングピストン又は回転弁）、又はスクロール式圧縮機を有する住宅用空調システムにおける、番号付けした実施形態６８〜１４５のいずれか１つに記載の熱伝達組成物の使用。
【１１９４】
３２４．スプリット型住宅用空調システムにおける、番号付けした実施形態６８〜１４５のいずれか１つに記載の熱伝達組成物の使用。
【１１９５】
３２５．ダクト型住宅用空調システムにおける、番号付けした実施形態６８〜１４５のいずれか１つに記載の熱伝達組成物の使用。
【１１９６】
３２６．窓用住宅用空調システムにおける、番号付けした実施形態６８〜１４５のいずれか１つに記載の熱伝達組成物の使用。
【１１９７】
３２７．可搬式住宅用空調システムにおける、番号付けした実施形態６８〜１４５のいずれか１つに記載の熱伝達組成物の使用。
【１１９８】
３２８．冷凍システムである中温冷凍システムにおける、番号付けした実施形態６８〜１４５のいずれか１つに記載の熱伝達組成物の使用。
【１１９９】
３２９．ボトルクーラーである中温冷凍システムにおける、番号付けした実施形態６８〜１４５のいずれか１つに記載の熱伝達組成物の使用。
【１２００】
３３０．低温冷凍システムにおける、番号付けした実施形態６８〜１４５のいずれか１つに記載の熱伝達組成物の使用であって、当該低温冷凍システムが冷凍庫又はアイスクリーム製造機である、使用。
【１２０１】
３３１．Ｒ４１０Ａの代替品としての使用に関する、番号付けした実施形態６８〜１４５のいずれか１つに記載の冷媒の使用。
【１２０２】
３３２．Ｒ−４１０Ａ冷媒を含有するように設計されているか若しくはそれを含有するか、又はＲ−４１０Ａ冷媒との使用に好適である既存の熱伝達システムを追加導入する方法であって、当該方法が、既存のＲ−４１０Ａ冷媒の少なくとも一部を、番号付けした実施形態６８〜１４５に記載の熱伝達組成物又は番号付けした実施形態１〜６７に記載の冷媒に置き換えることを含む、方法。
【１２０３】
３３３．Ｒ４１０Ａを置き換えるための、番号付けした実施形態６８〜１４５に記載の熱伝達組成物又は番号付けした実施形態１〜６７に記載の冷媒の使用が、熱伝達システムにおける凝縮器、蒸発器、及び／又は膨張弁の変更を必要としない、番号付けした実施形態３３２に記載の方法。
【１２０４】
３３４．番号付けした実施形態６８〜１４５に記載の熱伝達組成物又は番号付けした実施形態１〜６７に記載の冷媒が、冷却器システムにおいてＲ−４１０Ａの代替品として提供される、番号付けした実施形態３３２及び３３３に記載の方法。
【１２０５】
３３５．番号付けした実施形態６８〜１４５に記載の熱伝達組成物又は番号付けした実施形態１〜６７に記載の冷媒が、住宅用空調システムにおいてＲ−４１０Ａの代替品として提供される、番号付けした実施形態３３２及び３３３に記載の方法。
【１２０６】
３３６．番号付けした実施形態６８〜１４５に記載の熱伝達組成物又は番号付けした実施形態１〜６７に記載の冷媒が、産業用空調システムにおいてＲ−４１０Ａの代替品として提供される、番号付けした実施形態３３２及び３３３に記載の方法。
【１２０７】
３３７．番号付けした実施形態６８〜１４５に記載の熱伝達組成物又は番号付けした実施形態１〜６７に記載の冷媒が、商用空調システムにおいてＲ−４１０Ａの代替品として提供される、番号付けした実施形態３３２及び３３３に記載の方法。
【１２０８】
３３８．商用空調システムがルーフトップシステムである、番号付けした実施形態３３７に記載の方法。
【１２０９】
３３９．商用空調システムが可変冷媒流システムである、番号付けした実施形態３３７に記載の方法。
【１２１０】
３４０．商用空調システムが冷却器システムである、番号付けした実施形態３３７に記載の方法。
【１２１１】
３４１．少なくとも約５重量％のＲ−４１０Ａをシステムから取り出し、それを、番号付けした実施形態６８〜１４５に記載の熱伝達組成物である熱伝達組成物又は番号付けした実施形態１〜６７に記載の冷媒と置き換えることを含む、番号付けした実施形態３３２〜３４０に記載の方法。
【１２１２】
３４２．少なくとも約１０重量％のＲ−４１０Ａをシステムから取り出し、それを、番号付けした実施形態６８〜１４５に記載の熱伝達組成物である熱伝達組成物又は番号付けした実施形態１〜６７に記載の冷媒と置き換えることを含む、番号付けした実施形態３３２〜３４０に記載の方法。
【１２１３】
３４３．少なくとも約２５重量％のＲ−４１０Ａをシステムから取り出し、それを、番号付けした実施形態６８〜１４５に記載の熱伝達組成物である熱伝達組成物又は番号付けした実施形態１〜６７に記載の冷媒と置き換えることを含む、番号付けした実施形態３３２〜３４０に記載の方法。
【１２１４】
３４４．少なくとも約５０重量％のＲ−４１０Ａをシステムから取り出し、それを、番号付けした実施形態６８〜１４５に記載の熱伝達組成物である熱伝達組成物又は番号付けした実施形態１〜６７に記載の冷媒と置き換えることを含む、番号付けした実施形態３３２〜３４０に記載の方法。
【１２１５】
３４５．少なくとも約７５重量％のＲ−４１０Ａをシステムから取り出し、それを、番号付けした実施形態６８〜１４５に記載の熱伝達組成物である熱伝達組成物又は番号付けした実施形態１〜６２に記載の冷媒と置き換えることを含む、番号付けした実施形態３３２〜３４０に記載の方法。
【１２１６】
３４６．番号付けした実施形態１〜６７に記載の冷媒組成物であって、
Ｒ−４１０Ａと比較して、熱伝達システムにおいて、
−組成物の効率（ＣＯＰ）は、Ｒ−４１０Ａの効率の９５〜１０５％であり、かつ／又は
−能力は、Ｒ−４１０Ａの能力の９５〜１０５％である。
という動作特性を示し、Ｒ−４１０Ａ冷媒と置き換えるために提供される、冷媒組成物。
【１２１７】
３４７．番号付けした実施形態１〜６７に記載の冷媒組成物であって、Ｒ−４１０Ａと比較して、熱伝達システムにおいて、
−組成物の効率（ＣＯＰ）は、Ｒ−４１０Ａの効率の１００〜１０５％であり、かつ／又は
−能力は、Ｒ−４１０Ａの能力の９８〜１０５％である。
という動作特性を示し、Ｒ−４１０Ａ冷媒と置き換えるために提供される、冷媒組成物。
【１２１８】
３４８．番号付けした実施形態１〜６７に記載の冷媒組成物であって、Ｒ−４１０Ａと比較して、熱伝達システムにおいて、
−吐出温度は、Ｒ−４１０Ａの吐出温度よりも１０℃以上高くない、かつ／又は
−圧縮機圧力比は、Ｒ−４１０Ａの圧縮機圧力比の９５〜１０５％である。
という動作特性を示し、Ｒ−４１０Ａ冷媒と置き換えるために提供される、冷媒組成物。
【１２１９】
３４９．２℃未満の蒸発器勾配を有する、番号付けした実施形態１〜６７に記載の冷媒組成物。
【１２２０】
３５０．１．５℃未満の蒸発器勾配を有する、番号付けした実施形態１〜６７に記載の冷媒組成物。
【１２２１】
３５１．番号付けした実施形態６８〜１４５に記載の熱伝達組成物である熱伝達組成物又は番号付けした実施形態１〜６７に記載の冷媒が、空調システムにおいてＲ４１０Ａを置き換えるために提供される、番号付けした実施形態３３２〜３４５に記載の方法。
【１２２２】
３５２．空調システムがモバイル空調システムである、番号付けした実施形態３５１に記載の方法。
【１２２３】
３５３．空調システムが定置型空調システムである、番号付けした実施形態３５１に記載の方法。
【１２２４】
３５４．空調システムが商用空調システムである、番号付けした実施形態３５１に記載の方法。
【１２２５】
３５５．輸送用空調における、番号付けした実施形態３５１に記載の方法。
【１２２６】
３５６．定置型空調における、番号付けした実施形態３５１に記載の方法。
【１２２７】
３５７．モバイルヒートポンプにおける、番号付けした実施形態３５１に記載の方法。
【１２２８】
３５８．容積型冷却器における、番号付けした実施形態３５１に記載の方法。
【１２２９】
３５９．空冷又は水冷直接膨張式冷却器における、番号付けした実施形態３５１に記載の方法。
【１２３０】
３６０．住宅用空調システムにおける、番号付けした実施形態３５１に記載の方法。
【１２３１】
３６１．住宅用ヒートポンプにおける、番号付けした実施形態３５１に記載の方法。
【１２３２】
３６２．住宅用空気−水ヒートポンプ／温水システムにおける、番号付けした実施形態３５１に記載の方法。
【１２３３】
３６３．商用の空気熱源、水熱源、又は土壌熱源ヒートポンプシステムにおける、番号付けした実施形態３５１に記載の方法。
【１２３４】
３６４．冷凍システムにおける、番号付けした実施形態３３２〜３４５に記載の方法。
【１２３５】
３６５．低温冷凍システムにおける、番号付けした実施形態３６４に記載の方法。
【１２３６】
３６６．中温冷凍システムにおける、番号付けした実施形態３６４に記載の方法。
【１２３７】
３６７．商用冷蔵庫における、番号付けした実施形態３６４に記載の方法。
【１２３８】
３６８．商用冷凍庫における、番号付けした実施形態３６４に記載の方法。
【１２３９】
３６９．製氷機における、番号付けした実施形態３６４に記載の方法。
【１２４０】
３７０．自動販売機における、番号付けした実施形態３６４に記載の方法。
【１２４１】
３７１．輸送冷凍システムにおける、番号付けした実施形態３６４に記載の方法。
【１２４２】
３７２．家庭用冷凍庫における、番号付けした実施形態３６４に記載の方法。
【１２４３】
３７３．家庭用冷蔵庫における、番号付けした実施形態３６４に記載の方法。
【１２４４】
３７４．産業用冷凍庫における、番号付けした実施形態３６４に記載の方法。
【１２４５】
３７５．産業用冷蔵庫における、番号付けした実施形態３６４に記載の方法、及び
【１２４６】
３７６．冷却器における、番号付けした実施形態３６４に記載の方法。
【１２４７】
３７７．ダクト型住宅用空調システムにおける、番号付けした実施形態３６４に記載の方法。
【１２４８】
３７８．窓用住宅用空調システムにおける、番号付けした実施形態３６４に記載の方法。
【１２４９】
３７９．可搬式住宅用空調システムにおける、番号付けした実施形態３６４に記載の方法。
【１２５０】
３８０．冷凍システムである中温冷凍システムにおける、番号付けした実施形態３６４に記載の方法。
【１２５１】
３８１．ボトルクーラーである中温冷凍システムにおける、番号付けした実施形態３６４に記載の方法。
【１２５２】
３８２．流体連通した圧縮機、凝縮器、及び蒸発器を備え、かつ内部に熱伝達組成物を含む、熱伝達システムであって、当該熱伝達組成物が、番号付けした実施形態１〜６７に記載の冷媒のいずれか１つによる冷媒を含む、熱伝達システム。
【１２５３】
３８３．住宅用空調システムである、番号付けした実施形態３８２に記載の熱伝達システム。
【１２５４】
３８４．商用空調システムである、番号付けした実施形態３８２に記載の熱伝達システム。
【１２５５】
３８５．商用空調システムがルーフトップシステムである、番号付けした実施形態３８４に記載の熱伝達システム。
【１２５６】
３８６．商用空調システムが可変冷媒流システムである、番号付けした実施形態３８４に記載の熱伝達システム。
【１２５７】
３８７．商用空調システムが冷却器システムである、番号付けした実施形態３８４に記載の熱伝達システム。
【１２５８】
本発明は好ましい実施形態を参照して記載されているが、本発明の範囲を逸脱することなく、様々な変更を行うことができ、その要素に相当する等価物に置換することができることが当業者によって理解されよう。更に、特定の状況又は材料に適合させために、本発明の必須の範囲を逸脱することなく、本発明の教示に対する多くの修正を行うことができる。したがって、本発明は、開示される特定の実施形態に限定されるのではなく、本発明は、添付の特許請求の範囲又は後に追加される任意の特許請求の範囲に含まれる全ての実施形態を含むことが意図される。
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
熱伝達組成物であって、（ａ）ＰＯＥ及び／又はＰＶＥを含む潤滑剤と、（ｂ）アルキル化ナフタレンを含む安定化剤と、（ｃ）少なくとも約９９．５重量％の以下の３つの化合物の組み合わせを含む冷媒であって、前記組み合わせが、
約４９重量％のジフルオロメタン（ＨＦＣ−３２）、
約１１．５重量％のペンタフルオロエタン（ＨＦＣ−１２５）、及び
約３９．５重量％のトリフルオロヨードメタン（ＣＦ３Ｉ）から本質的になり、
前記百分率が前記３つの化合物の総重量に基づく、冷媒と、を含む、熱伝達組成物。
【請求項２】
蒸発器と、凝縮器と、圧縮機とを備える熱伝達システムにおける冷却方法であって、プロセスが、
ｉ）冷媒を凝縮することであって、
少なくとも約９７重量％の以下の３つの化合物の組み合わせを含み、前記組み合わせが、
約４９重量％のジフルオロメタン（ＨＦＣ−３２）、約１１．５重量％のペンタフルオロエタン（ＨＦＣ−１２５）、及び
約３９．５重量％のトリフルオロヨードメタン（ＣＦ３Ｉ）から本質的になり、前記百分率が前記３つの化合物の総重量に基づく、ことと、
ｉｉ）前記冷媒を冷却される本体又は物品の付近で蒸発させることであって、前記冷媒の蒸発温度が、約−４０℃〜約−１０℃の範囲である、ことと、を含む、方法。
【請求項３】
蒸発器と、凝縮器と、圧縮機とを備え、かつ内部に冷媒を含む、熱伝達システムであって、前記冷媒が、
少なくとも約９７重量％の以下の３つの化合物の組み合わせを含み、前記組み合わせが、
約４９重量％のジフルオロメタン（ＨＦＣ−３２）、約１１．５重量％のペンタフルオロエタン（ＨＦＣ−１２５）、及び
約３９．５重量％のトリフルオロヨードメタン（ＣＦ３Ｉ）から本質的になり、前記百分率が前記３つの化合物の総重量に基づく、熱伝達システム。
【国際調査報告】
2020536994.tif 000037
2020536994.tif 000038
2020536994.tif 000039